(57)【要約】本発明は、無線通信システムにおいて、端末がＤＭＲＳ（Ｄｅｍｏｄｕｌａｔｉｏｎ  Ｒｅｆｅｒｅｎｃｅ  Ｓｉｇｎａｌ）を受信する方法を開示する。特に、この方法は、ＳＳ／ＰＢＣＨブロック（Ｓｙｎｃｈｒｏｎｉｚａｔｉｏｎ  Ｓｉｇｎａｌ／Ｐｈｙｓｉｃａｌ  Ｂｒｏａｄｃａｓｔ  Ｃｈａｎｎｅｌ  Ｂｌｏｃｋ）を受信し、前記ＳＳ／ＰＢＣＨブロックに含まれたＰＢＣＨからＣＯＲＥＳＥＴ（Ｃｏｎｔｒｏｌ  Ｒｅｓｏｕｒｃｅ  Ｓｅｔ）＃０に関する情報を取得し、ＰＤＣＣＨ（Ｐｈｙｓｉｃａｌ  Ｄｏｗｎｌｉｎｋ  Ｃｏｎｔｒｏｌ  Ｃｈａｎｎｅｌ）を前記ＣＯＲＥＳＥＴ＃０を介して受信し、前記ＰＤＣＣＨに基づいてスケジュールするＰＤＳＣＨ（Ｐｈｙｓｉｃａｌ  Ｄｏｗｎｌｉｎｋ  Ｓｈａｒｅｄ  Ｃｈａｎｎｅｌ）及び前記ＰＤＳＣＨのためのＤＭＲＳを受信することを特徴とし、前記ＰＤＣＣＨがＳＩ−ＲＮＴＩ（Ｓｙｓｔｅｍ  Ｉｎｆｏｒｍａｔｉｏｎ−Ｒａｄｉｏ  Ｎｅｔｗｏｒｋ  Ｔｅｍｐｏｒａｒｙ  Ｉｄｅｎｔｉｆｉｅｒ）でアドレス（ａｄｄｒｅｓｓｅｄ）された場合、前記ＤＭＲＳのための基準点は、前記ＣＯＲＥＳＥＴ＃０に含まれたＲＢ（Ｒｅｓｏｕｒｃｅ  Ｂｌｏｃｋ）のうち、最低番号（ｎｕｍｂｅｒ）を有するＲＢの副搬送波＃０である。
2020532890.tif 000002
【特許請求の範囲】
【請求項１】
無線通信システムにおいて、端末がＤＭＲＳ（Ｄｅｍｏｄｕｌａｔｉｏｎ  Ｒｅｆｅｒｅｎｃｅ  Ｓｉｇｎａｌ）を受信する方法であって、
ＳＳ／ＰＢＣＨブロック（Ｓｙｎｃｈｒｏｎｉｚａｔｉｏｎ  Ｓｉｇｎａｌ／Ｐｈｙｓｉｃａｌ  Ｂｒｏａｄｃａｓｔ  Ｃｈａｎｎｅｌ  Ｂｌｏｃｋ）を受信し、
前記ＳＳ／ＰＢＣＨブロックに含まれたＰＢＣＨからＣＯＲＥＳＥＴ（Ｃｏｎｔｒｏｌ  Ｒｅｓｏｕｒｃｅ  Ｓｅｔ）＃０に関する情報を取得し、
ＰＤＣＣＨ（Ｐｈｙｓｉｃａｌ  Ｄｏｗｎｌｉｎｋ  Ｃｏｎｔｒｏｌ  Ｃｈａｎｎｅｌ）を前記ＣＯＲＥＳＥＴ＃０を介して受信し、
前記ＰＤＣＣＨに基づいてスケジュールするＰＤＳＣＨ（Ｐｈｙｓｉｃａｌ  Ｄｏｗｎｌｉｎｋ  Ｓｈａｒｅｄ  Ｃｈａｎｎｅｌ）及び前記ＰＤＳＣＨのためのＤＭＲＳを受信することを特徴とし、
前記ＰＤＣＣＨがＳＩ−ＲＮＴＩ（Ｓｙｓｔｅｍ  Ｉｎｆｏｒｍａｔｉｏｎ−Ｒａｄｉｏ  Ｎｅｔｗｏｒｋ  Ｔｅｍｐｏｒａｒｙ  Ｉｄｅｎｔｉｆｉｅｒ）でアドレス（ａｄｄｒｅｓｓｅｄ）された場合、
前記ＤＭＲＳのための基準点は、前記ＣＯＲＥＳＥＴ＃０に含まれたＲＢ（Ｒｅｓｏｕｒｃｅ  Ｂｌｏｃｋ）のうち、最低番号（ｎｕｍｂｅｒ）を有するＲＢの副搬送波＃０である、ＤＭＲＳ受信方法。
【請求項２】
前記ＣＯＲＥＳＥＴ＃０は、
ＳＳ／ＰＢＣＨ（Ｓｙｎｃｈｒｏｎｉｚａｔｉｏｎ  Ｓｉｇｎａｌ／Ｐｈｙｓｉｃａｌ  Ｂｒｏａｄｃａｓｔ  Ｃｈａｎｎｅｌ）ブロックに含まれたＰＢＣＨに基づいて設定される、請求項１に記載のＤＭＲＳ受信方法。
【請求項３】
前記ＰＤＣＣＨは、前記ＣＯＲＥＳＥＴ＃０の検索空間（Ｓｅａｒｃｈ  Ｓｐａｃｅ）＃０を介して受信される、請求項１に記載のＤＭＲＳ受信方法。
【請求項４】
前記検索空間＃０は、
ＳＳ／ＰＢＣＨ（Ｓｙｎｃｈｒｏｎｉｚａｔｉｏｎ  Ｓｉｇｎａｌ／Ｐｈｙｓｉｃａｌ  Ｂｒｏａｄｃａｓｔ  Ｃｈａｎｎｅｌ）ブロックに含まれたＰＢＣＨに基づいて設定される共通検索空間（Ｃｏｍｍｏｎ  Ｓｅａｒｃｈ  Ｓｐａｃｅ）である、請求項１に記載のＤＭＲＳ受信方法。
【請求項５】
前記端末は、前記端末以外の端末、ネットワーク、基地局及び自律走行車両のうちの少なくとも１つと通信可能なものである、請求項１に記載のＤＭＲＳ受信方法。
【請求項６】
無線通信システムにおいて、ＤＭＲＳ（Ｄｅｍｏｄｕｌａｔｉｏｎ  Ｒｅｆｅｒｅｎｃｅ  Ｓｉｇｎａｌ）を受信するための装置であって、
少なくとも１つのプロセッサー；及び
前記少なくとも１つのプロセッサーに動作可能に接続し、実行時に前記少なくとも１つのプロセッサーが特定の動作を行うようにする命令（ｉｎｓｔｒｕｃｔｉｏｎｓ）を記憶する少なくとも１つのメモリ；を備えてなり、
前記特定の動作は、
ＳＳ／ＰＢＣＨブロック（Ｓｙｎｃｈｒｏｎｉｚａｔｉｏｎ  Ｓｉｇｎａｌ／Ｐｈｙｓｉｃａｌ  Ｂｒｏａｄｃａｓｔ  Ｃｈａｎｎｅｌ  Ｂｌｏｃｋ）を受信し、
前記ＳＳ／ＰＢＣＨブロックに含まれたＰＢＣＨからＣＯＲＥＳＥＴ（Ｃｏｎｔｒｏｌ  Ｒｅｓｏｕｒｃｅ  Ｓｅｔ）＃０に関する情報を取得し、
ＰＤＣＣＨ（Ｐｈｙｓｉｃａｌ  Ｄｏｗｎｌｉｎｋ  Ｃｏｎｔｒｏｌ  Ｃｈａｎｎｅｌ）を前記ＣＯＲＥＳＥＴ＃０を介して受信し、
前記ＰＤＣＣＨに基づいてスケジュールするＰＤＳＣＨ（Ｐｈｙｓｉｃａｌ  Ｄｏｗｎｌｉｎｋ  Ｓｈａｒｅｄ  Ｃｈａｎｎｅｌ）及び前記ＰＤＳＣＨのためのＤＭＲＳを受信することを特徴とし、
前記ＰＤＣＣＨがＳＩ−ＲＮＴＩ（Ｓｙｓｔｅｍ  Ｉｎｆｏｒｍａｔｉｏｎ−Ｒａｄｉｏ  Ｎｅｔｗｏｒｋ  Ｔｅｍｐｏｒａｒｙ  Ｉｄｅｎｔｉｆｉｅｒ）でアドレス（ａｄｄｒｅｓｓｅｄ）された場合、
前記ＤＭＲＳのための基準点は、前記ＣＯＲＥＳＥＴ＃０に含まれたＲＢ（Ｒｅｓｏｕｒｃｅ  Ｂｌｏｃｋ）のうち、最低番号（ｎｕｍｂｅｒ）を有するＲＢの副搬送波＃０である、装置。
【請求項７】
前記ＣＯＲＥＳＥＴ＃０は、
ＳＳ／ＰＢＣＨ（Ｓｙｎｃｈｒｏｎｉｚａｔｉｏｎ  Ｓｉｇｎａｌ／Ｐｈｙｓｉｃａｌ  Ｂｒｏａｄｃａｓｔ  Ｃｈａｎｎｅｌ）ブロックに含まれたＰＢＣＨに基づいて設定される、請求項６に記載の装置。
【請求項８】
前記ＰＤＣＣＨは、前記ＣＯＲＥＳＥＴ＃０の検索空間（Ｓｅａｒｃｈ  Ｓｐａｃｅ）＃０を介して受信される、請求項６に記載の装置。
【請求項９】
前記検索空間＃０は、
ＳＳ／ＰＢＣＨ（Ｓｙｎｃｈｒｏｎｉｚａｔｉｏｎ  Ｓｉｇｎａｌ／Ｐｈｙｓｉｃａｌ  Ｂｒｏａｄｃａｓｔ  Ｃｈａｎｎｅｌ）ブロックに含まれたＰＢＣＨに基づいて設定される共通検索空間（Ｃｏｍｍｏｎ  Ｓｅａｒｃｈ  Ｓｐａｃｅ）である、請求項６に記載の装置。
【請求項１０】
前記装置は、端末、ネットワーク、基地局及び前記装置以外の自律走行車両のうちの少なくとも１つと通信可能なものである、請求項６に記載の装置。
【請求項１１】
無線通信システムにおいて、ＤＭＲＳ（Ｄｅｍｏｄｕｌａｔｉｏｎ  Ｒｅｆｅｒｅｎｃｅ  Ｓｉｇｎａｌ）を受信するための端末であって、
少なくとも１つのトランシーバー；
少なくとも１つのプロセッサー；及び
前記少なくとも１つのプロセッサーに動作可能に接続し、実行時に前記少なくとも１つのプロセッサーが特定の動作を行うようにする命令（ｉｎｓｔｒｕｃｔｉｏｎｓ）を記憶する少なくとも１つのメモリ；を備えてなり、
前記特定の動作は、
前記少なくとも１つのトランシーバーを介して、ＳＳ／ＰＢＣＨブロック（Ｓｙｎｃｈｒｏｎｉｚａｔｉｏｎ  Ｓｉｇｎａｌ／Ｐｈｙｓｉｃａｌ  Ｂｒｏａｄｃａｓｔ  Ｃｈａｎｎｅｌ  Ｂｌｏｃｋ）を受信し、
前記少なくとも１つのトランシーバーを介して、前記ＳＳ／ＰＢＣＨブロックに含まれたＰＢＣＨからＣＯＲＥＳＥＴ（Ｃｏｎｔｒｏｌ  Ｒｅｓｏｕｒｃｅ  Ｓｅｔ）＃０に関する情報を取得し、
前記少なくとも１つのトランシーバーを介して、ＰＤＣＣＨ（Ｐｈｙｓｉｃａｌ  Ｄｏｗｎｌｉｎｋ  Ｃｏｎｔｒｏｌ  Ｃｈａｎｎｅｌ）を前記ＣＯＲＥＳＥＴ＃０を介して受信し、
前記少なくとも１つのトランシーバーを介して、前記ＰＤＣＣＨに基づいてスケジュールするＰＤＳＣＨ（Ｐｈｙｓｉｃａｌ  Ｄｏｗｎｌｉｎｋ  Ｓｈａｒｅｄ  Ｃｈａｎｎｅｌ）及び前記ＰＤＳＣＨのためのＤＭＲＳを受信することを特徴とし、
前記ＰＤＣＣＨがＳＩ−ＲＮＴＩ（Ｓｙｓｔｅｍ  Ｉｎｆｏｒｍａｔｉｏｎ−Ｒａｄｉｏ  Ｎｅｔｗｏｒｋ  Ｔｅｍｐｏｒａｒｙ  Ｉｄｅｎｔｉｆｉｅｒ）でアドレス（ａｄｄｒｅｓｓｅｄ）された場合、
前記ＤＭＲＳのための基準点は、前記ＣＯＲＥＳＥＴ＃０に含まれたＲＢ（Ｒｅｓｏｕｒｃｅ  Ｂｌｏｃｋ）のうち、最低番号（ｎｕｍｂｅｒ）を有するＲＢの副搬送波＃０である、端末。
【請求項１２】
無線通信システムにおいて、基地局がＤＭＲＳ（Ｄｅｍｏｄｕｌａｔｉｏｎ  Ｒｅｆｅｒｅｎｃｅ  Ｓｉｇｎａｌ）を送信する方法であって、
ＣＯＲＥＳＥＴ（Ｃｏｎｔｒｏｌ  Ｒｅｓｏｕｒｃｅ  Ｓｅｔ）＃０に関する情報を含むＳＳ／ＰＢＣＨブロック（Ｓｙｎｃｈｒｏｎｉｚａｔｉｏｎ  Ｓｉｇｎａｌ／Ｐｈｙｓｉｃａｌ  Ｂｒｏａｄｃａｓｔ  Ｃｈａｎｎｅｌ  Ｂｌｏｃｋ）を送信し、
ＰＤＣＣＨ（Ｐｈｙｓｉｃａｌ  Ｄｏｗｎｌｉｎｋ  Ｃｏｎｔｒｏｌ  Ｃｈａｎｎｅｌ）を前記ＣＯＲＥＳＥＴ＃０を介して送信し、
前記ＰＤＣＣＨに基づいてスケジュールするＰＤＳＣＨ（Ｐｈｙｓｉｃａｌ  Ｄｏｗｎｌｉｎｋ  Ｓｈａｒｅｄ  Ｃｈａｎｎｅｌ）及び前記ＰＤＳＣＨのためのＤＭＲＳを送信することを特徴とし、
前記ＰＤＣＣＨがＳＩ−ＲＮＴＩ（Ｓｙｓｔｅｍ  Ｉｎｆｏｒｍａｔｉｏｎ−Ｒａｄｉｏ  Ｎｅｔｗｏｒｋ  Ｔｅｍｐｏｒａｒｙ  Ｉｄｅｎｔｉｆｉｅｒ）でアドレス（ａｄｄｒｅｓｓｅｄ）された場合、
前記ＤＭＲＳのための基準点は、前記ＣＯＲＥＳＥＴ＃０に含まれたＲＢ（Ｒｅｓｏｕｒｃｅ  Ｂｌｏｃｋ）のうち、最低番号（ｎｕｍｂｅｒ）を有するＲＢの副搬送波＃０である、ＤＭＲＳ送信方法。
【請求項１３】
無線通信システムにおいて、ＤＭＲＳ（Ｄｅｍｏｄｕｌａｔｉｏｎ  Ｒｅｆｅｒｅｎｃｅ  Ｓｉｇｎａｌ）を送信するための基地局であって、
少なくとも１つのトランシーバー；
少なくとも１つのプロセッサー；及び
前記少なくとも１つのプロセッサーに動作可能に接続し、実行時に前記少なくとも１つのプロセッサーが特定の動作を行うようにする命令（ｉｎｓｔｒｕｃｔｉｏｎｓ）を記憶する少なくとも１つのメモリ；を備えてなり、
前記特定の動作は、
前記少なくとも１つのトランシーバーを介して、ＣＯＲＥＳＥＴ（Ｃｏｎｔｒｏｌ  Ｒｅｓｏｕｒｃｅ  Ｓｅｔ）＃０に関する情報を含むＳＳ／ＰＢＣＨブロック（Ｓｙｎｃｈｒｏｎｉｚａｔｉｏｎ  Ｓｉｇｎａｌ／Ｐｈｙｓｉｃａｌ  Ｂｒｏａｄｃａｓｔ  Ｃｈａｎｎｅｌ  Ｂｌｏｃｋ）を送信し、
前記少なくとも１つのトランシーバーを介して、ＰＤＣＣＨ（Ｐｈｙｓｉｃａｌ  Ｄｏｗｎｌｉｎｋ  Ｃｏｎｔｒｏｌ  Ｃｈａｎｎｅｌ）を前記ＣＯＲＥＳＥＴ＃０を介して送信し、
前記少なくとも１つのトランシーバーを介して、前記ＰＤＣＣＨに基づいてスケジュールするＰＤＳＣＨ（Ｐｈｙｓｉｃａｌ  Ｄｏｗｎｌｉｎｋ  Ｓｈａｒｅｄ  Ｃｈａｎｎｅｌ）及び前記ＰＤＳＣＨのためのＤＭＲＳを送信することを特徴とし、
前記ＰＤＣＣＨがＳＩ−ＲＮＴＩ（Ｓｙｓｔｅｍ  Ｉｎｆｏｒｍａｔｉｏｎ−Ｒａｄｉｏ  Ｎｅｔｗｏｒｋ  Ｔｅｍｐｏｒａｒｙ  Ｉｄｅｎｔｉｆｉｅｒ）でアドレス（ａｄｄｒｅｓｓｅｄ）された場合、
前記ＤＭＲＳのための基準点は、前記ＣＯＲＥＳＥＴ＃０に含まれたＲＢ（Ｒｅｓｏｕｒｃｅ  Ｂｌｏｃｋ）のうち、最低番号（ｎｕｍｂｅｒ）を有するＲＢの副搬送波＃０である、基地局。
【発明の詳細な説明】
【技術分野】
【０００１】
本発明は、共通リソースブロック（Ｒｅｓｏｕｒｃｅ  Ｂｌｏｃｋ；ＲＢ）グリッドに関係なく基準点（Ｒｅｆｅｒｅｎｃｅ  Ｐｏｉｎｔ）を設定する方法及びそのための装置に関し、より詳細には、ＵＥが共通ＲＢグリッド（Ｃｏｍｍｏｎ  ＲＢ  Ｇｒｉｄ）に関する情報を取得していない状態でＤＭＲＳ（Ｄｅｍｏｄｕｌａｔｉｏｎ  Ｒｅｆｅｒｅｎｃｅ  Ｓｉｇｎａｌ）マッピング及び／又はＲＢバンドルのための基準点を設定する方法及びそのための装置に関する。
【背景技術】
【０００２】
５Ｇは、秒当たり数百メガビットから秒当たりギガビットと評価されるストリームを提供する手段であって、ＦＴＴＨ（ｆｉｂｅｒ−ｔｏ−ｔｈｅ−ｈｏｍｅ）及びケーブルベース広帯域（又はＤＯＣＳＩＳ）を補完することができる。このような早い速度は、仮想現実と増強現実だけでなく、４Ｋ以上（６Ｋ、８Ｋ及びそれ以上）の解像度でＴＶを伝達するのに要求される。ＶＲ（Ｖｉｒｔｕａｌ  Ｒｅａｌｉｔｙ）及びＡＲ（Ａｕｇｍｅｎｔｅｄ  Ｒｅａｌｉｔｙ）のアプリケーションは、ほとんど没入型（ｉｍｍｅｒｓｉｖｅ）スポーツ競技を含む。特定の応用プログラムは、特別なネットワーク設定が要求され得る。例えば、ＶＲゲームの場合、ゲーム会社が遅延を最小化するために、コアサーバーをネットワークオペレータのエッジネットワークサーバーと統合しなければならない。
【０００３】
自動車（Ａｕｔｏｍｏｔｉｖｅ）は、車両に対する移動通信のための多くの使用例と共に、５Ｇにおいて重要な新しい動力になることが予想される。例えば、乗客のためのエンターテインメントは、同時の高い容量と高い移動性モバイル広帯域を要求する。その理由は、将来のユーザーは、その位置及び速度と関係なく、高品質の接続を続けて期待するためである。自動車分野の他の活用例は、増強現実のダッシュボードである。これは、運転者が前面の窓を通じて見ているものの上に、暗やみで物体を識別し、物体の距離と動きに対して運転者に言ってくれる情報を重ねてディスプレーする。将来、無線モジュールは、車両間の通信、車両と支援するインフラ構造の間で情報交換及び自動車と他の連結されたデバイス（例えば、歩行者によって伴われるデバイス）間で情報交換を可能にする。安全システムは、運転者がより安全な運転ができるように行動の代替コースを案内し、事故の危険を減らせる。次の段階は、遠隔操縦されたり、自己運転車両（ｓｅｌｆ−ｄｒｉｖｅｎ  ｖｅｈｉｃｌｅ）になる。これは、互いに異なる自己運転車両間及び自動車とインフラ間で非常に信頼性があり、非常に早い通信であることを要求する。将来には、自己運転車両が全ての運転活動を行い、運転者は車両そのものが識別できない交通異常にのみ集中できるようにする。自己運転車両の技術的要求事項は、トラフィックの安全が人の達成できない程度まで増加するように超低遅延と高速信頼性を要求する。
【０００４】
スマート社会（ｓｍａｒｔ  ｓｏｃｉｅｔｙ）として言及されるスマートシティとスマートホームは、高密度の無線センサネットワークにエンベデッドされる。知能型センサの分散ネットワークは、シティ又は家庭の費用及びエネルギー−効率的な維持に対する条件を識別する。類似する設定が各家庭のために行われることができる。温度センサ、窓及び暖房コントローラ、盗難警報機及び家電製品がいずれも無線で接続される。このようなセンサの多くのものが典型的に低いデータ送信速度、低電力及び低コストである。しかし、例えば、リアルタイムＨＤビデオは、監視のために特定タイプの装置で要求されることがある。
【０００５】
熱又はガスを含むエネルギーの消費及び分配は、高度に分散化しており、分散センサネットワークの自動化された制御が要求される。スマートグリッドは、情報を収集して、これによって行動するようにデジタル情報及び通信技術を使用し、このようなセンサを相互接続する。この情報は、供給メーカーと消費者の行動を含むことができるため、スマートグリッドが効率性、信頼性、経済性、生産の持続可能性、及び自動化された方式で電気のような燃料の分配を改善させることができる。スマートグリッドは、遅延の少ない他のセンサネットワークと見ることもできる。
【０００６】
健康部門は、移動通信の恵みを受けることのできる多くの応用プログラムを保有している。通信システムは、遠く離れたところで臨床診療を提供する遠隔診療を支援することができる。これは、距離という障壁を減らすのに役立ち、距離が遠い田舎で持続的に利用できない医療サービスへの接近を改善させることができる。これはまた、重要な診療及び応急状況で命を救うために用いられる。移動通信ベースの無線センサネットワークは、心拍数及び血圧のようなパラメータに対する遠隔モニタリング及びセンサを提供することができる。
【０００７】
無線及びモバイル通信は、産業応用分野でますます重要になっている。配線は設置及び維持費用が高い。従って、ケーブルを再構成することが可能な無線リンクへの交換可能性は、多くの産業分野で魅力的な機会である。しかし、これを達成するには、無線接続がケーブルと類似した遅延、信頼性及び容量で動作することと、その管理を単純化することが要求される。低い遅延と非常に低いエラー確率は、５Ｇに繋がる必要のある新たな要求事項である。
【０００８】
物流（ｌｏｇｉｓｔｉｃｓ）及び貨物追跡（ｆｒｅｉｇｈｔ  ｔｒａｃｋｉｎｇ）は、位置に基づく情報システムを使用し、どこでもインベントリ（ｉｎｖｅｎｔｏｒｙ）及びパッケージの追跡を可能にする移動通信に対する重要な使用例である。物流及び貨物追跡の使用例は、典型的に低いデータ速度を要求するが、広い範囲と信頼性のある位置情報が必要である。
【発明の概要】
【発明が解決しようとする課題】
【０００９】
本発明は、共通リソースブロックグリッドに関係なく基準点を設定する方法及びそのための装置を提供しようとする。
【００１０】
本発明で達成しようとする技術的課題は前記技術的課題に制限されず、言及しなかった他の技術的課題は下記の記載から本発明が属する技術分野で通常の知識を有する者に明らかに理解可能であろう。
【課題を解決するための手段】
【００１１】
本発明の実施例に係る無線通信システムにおいて、端末がＤＭＲＳ（Ｄｅｍｏｄｕｌａｔｉｏｎ  Ｒｅｆｅｒｅｎｃｅ  Ｓｉｇｎａｌ）を受信する方法であって、ＳＳ／ＰＢＣＨブロック（Ｓｙｎｃｈｒｏｎｉｚａｔｉｏｎ  Ｓｉｇｎａｌ／Ｐｈｙｓｉｃａｌ  Ｂｒｏａｄｃａｓｔ  Ｃｈａｎｎｅｌ  Ｂｌｏｃｋ）を受信し、前記ＳＳ／ＰＢＣＨブロックに含まれたＰＢＣＨからＣＯＲＥＳＥＴ（Ｃｏｎｔｒｏｌ  Ｒｅｓｏｕｒｃｅ  Ｓｅｔ）＃０に関する情報を取得し、ＰＤＣＣＨ（Ｐｈｙｓｉｃａｌ  Ｄｏｗｎｌｉｎｋ  Ｃｏｎｔｒｏｌ  Ｃｈａｎｎｅｌ）を前記ＣＯＲＥＳＥＴ＃０を介して受信し、前記ＰＤＣＣＨに基づいてスケジュールするＰＤＳＣＨ（Ｐｈｙｓｉｃａｌ  Ｄｏｗｎｌｉｎｋ  Ｓｈａｒｅｄ  Ｃｈａｎｎｅｌ）及び前記ＰＤＳＣＨのためのＤＭＲＳを受信することを特徴とし、前記ＰＤＣＣＨがＳＩ−ＲＮＴＩ（Ｓｙｓｔｅｍ  Ｉｎｆｏｒｍａｔｉｏｎ−Ｒａｄｉｏ  Ｎｅｔｗｏｒｋ  Ｔｅｍｐｏｒａｒｙ  Ｉｄｅｎｔｉｆｉｅｒ）でアドレス（ａｄｄｒｅｓｓｅｄ）された場合、前記ＤＭＲＳのための基準点は、前記ＣＯＲＥＳＥＴ＃０に含まれたＲＢ（Ｒｅｓｏｕｒｃｅ  Ｂｌｏｃｋ）のうち、最低番号（ｎｕｍｂｅｒ）を有するＲＢの副搬送波＃０である。
【００１２】
このとき、前記ＣＯＲＥＳＥＴ＃０は、ＳＳ／ＰＢＣＨ（Ｓｙｎｃｈｒｏｎｉｚａｔｉｏｎ  Ｓｉｇｎａｌ／Ｐｈｙｓｉｃａｌ  Ｂｒｏａｄｃａｓｔ  Ｃｈａｎｎｅｌ）ブロックに含まれたＰＢＣＨに基づいて設定される。
【００１３】
また、前記ＰＤＣＣＨは、前記ＣＯＲＥＳＥＴ＃０の検索空間（Ｓｅａｒｃｈ  Ｓｐａｃｅ）＃０を介して受信される。
【００１４】
また、前記検索空間＃０は、ＳＳ／ＰＢＣＨ（Ｓｙｎｃｈｒｏｎｉｚａｔｉｏｎ  Ｓｉｇｎａｌ／Ｐｈｙｓｉｃａｌ  Ｂｒｏａｄｃａｓｔ  Ｃｈａｎｎｅｌ）ブロックに含まれたＰＢＣＨに基づいて設定される共通検索空間（Ｃｏｍｍｏｎ  Ｓｅａｒｃｈ  Ｓｐａｃｅ）である。
【００１５】
また、前記端末は、前記端末以外の端末、ネットワーク、基地局及び自律走行車両のうちの少なくとも１つと通信可能である。
【００１６】
本発明に係る無線通信システムにおいて、ＤＭＲＳ（Ｄｅｍｏｄｕｌａｔｉｏｎ  Ｒｅｆｅｒｅｎｃｅ  Ｓｉｇｎａｌ）を受信するための装置であって、少なくとも１つのプロセッサー；及び前記少なくとも１つのプロセッサーに動作可能に接続し、実行時に前記少なくとも１つのプロセッサーが特定の動作を行うようにする命令（ｉｎｓｔｒｕｃｔｉｏｎｓ）を記憶する少なくとも１つのメモリ；を含み、前記特定の動作は、ＳＳ／ＰＢＣＨブロック（Ｓｙｎｃｈｒｏｎｉｚａｔｉｏｎ  Ｓｉｇｎａｌ／Ｐｈｙｓｉｃａｌ  Ｂｒｏａｄｃａｓｔ  Ｃｈａｎｎｅｌ  Ｂｌｏｃｋ）を受信し、前記ＳＳ／ＰＢＣＨブロックに含まれたＰＢＣＨからＣＯＲＥＳＥＴ（Ｃｏｎｔｒｏｌ  Ｒｅｓｏｕｒｃｅ  Ｓｅｔ）＃０に関する情報を取得し、ＰＤＣＣＨ（Ｐｈｙｓｉｃａｌ  Ｄｏｗｎｌｉｎｋ  Ｃｏｎｔｒｏｌ  Ｃｈａｎｎｅｌ）を前記ＣＯＲＥＳＥＴ＃０を介して受信し、 前記ＰＤＣＣＨに基づいてスケジュールするＰＤＳＣＨ（Ｐｈｙｓｉｃａｌ  Ｄｏｗｎｌｉｎｋ  Ｓｈａｒｅｄ  Ｃｈａｎｎｅｌ）及び前記ＰＤＳＣＨのためのＤＭＲＳを受信することを特徴とし、前記ＰＤＣＣＨがＳＩ−ＲＮＴＩ（Ｓｙｓｔｅｍ  Ｉｎｆｏｒｍａｔｉｏｎ−Ｒａｄｉｏ  Ｎｅｔｗｏｒｋ  Ｔｅｍｐｏｒａｒｙ  Ｉｄｅｎｔｉｆｉｅｒ）でアドレス（ａｄｄｒｅｓｓｅｄ）された場合、前記ＤＭＲＳのための基準点は、前記ＣＯＲＥＳＥＴ＃０に含まれたＲＢ（Ｒｅｓｏｕｒｃｅ  Ｂｌｏｃｋ）のうち、最低番号（ｎｕｍｂｅｒ）を有するＲＢの副搬送波＃０である。
【００１７】
このとき、前記ＣＯＲＥＳＥＴ＃０は、ＳＳ／ＰＢＣＨ（Ｓｙｎｃｈｒｏｎｉｚａｔｉｏｎ  Ｓｉｇｎａｌ／Ｐｈｙｓｉｃａｌ  Ｂｒｏａｄｃａｓｔ  Ｃｈａｎｎｅｌ）ブロックに含まれたＰＢＣＨに基づいて設定される。
【００１８】
また、前記ＰＤＣＣＨは、前記ＣＯＲＥＳＥＴ＃０の検索空間（Ｓｅａｒｃｈ  Ｓｐａｃｅ）＃０を介して受信される。
【００１９】
また、前記検索空間＃０は、ＳＳ／ＰＢＣＨ（Ｓｙｎｃｈｒｏｎｉｚａｔｉｏｎ  Ｓｉｇｎａｌ／Ｐｈｙｓｉｃａｌ  Ｂｒｏａｄｃａｓｔ  Ｃｈａｎｎｅｌ）ブロックに含まれたＰＢＣＨに基づいて設定される共通検索空間（Ｃｏｍｍｏｎ  Ｓｅａｒｃｈ  Ｓｐａｃｅ）である。
【００２０】
また、前記装置は、端末、ネットワーク、基地局及び前記装置以外の自律走行車両のうちの少なくとも１つと通信可能である。
【００２１】
本発明に係る無線通信システムにおいて、ＤＭＲＳ（Ｄｅｍｏｄｕｌａｔｉｏｎ  Ｒｅｆｅｒｅｎｃｅ  Ｓｉｇｎａｌ）を受信するための端末であって、少なくとも１つのトランシーバー；少なくとも１つのプロセッサー；及び前記少なくとも１つのプロセッサーに動作可能に接続し、実行時に前記少なくとも１つのプロセッサーが特定の動作を行うようにする命令（ｉｎｓｔｒｕｃｔｉｏｎｓ）を記憶する少なくとも１つのメモリ；を含み、前記特定の動作は、前記少なくとも１つのトランシーバーを介して、ＳＳ／ＰＢＣＨブロック（Ｓｙｎｃｈｒｏｎｉｚａｔｉｏｎ  Ｓｉｇｎａｌ／Ｐｈｙｓｉｃａｌ  Ｂｒｏａｄｃａｓｔ  Ｃｈａｎｎｅｌ  Ｂｌｏｃｋ）を受信し、前記少なくとも１つのトランシーバーを介して、前記ＳＳ／ＰＢＣＨブロックに含まれたＰＢＣＨからＣＯＲＥＳＥＴ（Ｃｏｎｔｒｏｌ  Ｒｅｓｏｕｒｃｅ  Ｓｅｔ）＃０に関する情報を取得し、前記少なくとも１つのトランシーバーを介して、ＰＤＣＣＨ（Ｐｈｙｓｉｃａｌ  Ｄｏｗｎｌｉｎｋ  Ｃｏｎｔｒｏｌ  Ｃｈａｎｎｅｌ）を前記ＣＯＲＥＳＥＴ＃０を介して受信し、前記少なくとも１つのトランシーバーを介して、前記ＰＤＣＣＨに基づいてスケジュールするＰＤＳＣＨ（Ｐｈｙｓｉｃａｌ  Ｄｏｗｎｌｉｎｋ  Ｓｈａｒｅｄ  Ｃｈａｎｎｅｌ）及び前記ＰＤＳＣＨのためのＤＭＲＳを受信することを特徴とし、前記ＰＤＣＣＨがＳＩ−ＲＮＴＩ（Ｓｙｓｔｅｍ  Ｉｎｆｏｒｍａｔｉｏｎ−Ｒａｄｉｏ  Ｎｅｔｗｏｒｋ  Ｔｅｍｐｏｒａｒｙ  Ｉｄｅｎｔｉｆｉｅｒ）でアドレス（ａｄｄｒｅｓｓｅｄ）された場合、前記ＤＭＲＳのための基準点は、前記ＣＯＲＥＳＥＴ＃０に含まれたＲＢ（Ｒｅｓｏｕｒｃｅ  Ｂｌｏｃｋ）のうち、最低番号（ｎｕｍｂｅｒ）を有するＲＢの副搬送波＃０である。
【００２２】
本発明の実施例に係る無線通信システムにおいて、基地局がＤＭＲＳ（Ｄｅｍｏｄｕｌａｔｉｏｎ  Ｒｅｆｅｒｅｎｃｅ  Ｓｉｇｎａｌ）を送信する方法であって、ＣＯＲＥＳＥＴ（Ｃｏｎｔｒｏｌ  Ｒｅｓｏｕｒｃｅ  Ｓｅｔ）＃０に関する情報を含むＳＳ／ＰＢＣＨブロック（Ｓｙｎｃｈｒｏｎｉｚａｔｉｏｎ  Ｓｉｇｎａｌ／Ｐｈｙｓｉｃａｌ  Ｂｒｏａｄｃａｓｔ  Ｃｈａｎｎｅｌ  Ｂｌｏｃｋ）を送信し、ＰＤＣＣＨ（Ｐｈｙｓｉｃａｌ  Ｄｏｗｎｌｉｎｋ  Ｃｏｎｔｒｏｌ  Ｃｈａｎｎｅｌ）を前記ＣＯＲＥＳＥＴ＃０を介して送信し、前記ＰＤＣＣＨに基づいてスケジュールするＰＤＳＣＨ（Ｐｈｙｓｉｃａｌ  Ｄｏｗｎｌｉｎｋ  Ｓｈａｒｅｄ  Ｃｈａｎｎｅｌ）及び前記ＰＤＳＣＨのためのＤＭＲＳを送信することを特徴とし、前記ＰＤＣＣＨがＳＩ−ＲＮＴＩ（Ｓｙｓｔｅｍ  Ｉｎｆｏｒｍａｔｉｏｎ−Ｒａｄｉｏ  Ｎｅｔｗｏｒｋ  Ｔｅｍｐｏｒａｒｙ  Ｉｄｅｎｔｉｆｉｅｒ）でアドレス（ａｄｄｒｅｓｓｅｄ）された場合、前記ＤＭＲＳのための基準点は、前記ＣＯＲＥＳＥＴ＃０に含まれたＲＢ（Ｒｅｓｏｕｒｃｅ  Ｂｌｏｃｋ）のうち、最低番号（ｎｕｍｂｅｒ）を有するＲＢの副搬送波＃０である。
【００２３】
本発明に係る無線通信システムにおいて、ＤＭＲＳ（Ｄｅｍｏｄｕｌａｔｉｏｎ  Ｒｅｆｅｒｅｎｃｅ  Ｓｉｇｎａｌ）を送信するための基地局であって、少なくとも１つのトランシーバー；少なくとも１つのプロセッサー；及び前記少なくとも１つのプロセッサーに動作可能に接続し、実行時に前記少なくとも１つのプロセッサーが特定の動作を行うようにする命令（ｉｎｓｔｒｕｃｔｉｏｎｓ）を記憶する少なくとも１つのメモリ；を含み、前記特定の動作は、前記少なくとも１つのトランシーバーを介して、ＣＯＲＥＳＥＴ（Ｃｏｎｔｒｏｌ  Ｒｅｓｏｕｒｃｅ  Ｓｅｔ）＃０に関する情報を含むＳＳ／ＰＢＣＨブロック（Ｓｙｎｃｈｒｏｎｉｚａｔｉｏｎ  Ｓｉｇｎａｌ／Ｐｈｙｓｉｃａｌ  Ｂｒｏａｄｃａｓｔ  Ｃｈａｎｎｅｌ  Ｂｌｏｃｋ）を送信し、前記少なくとも１つのトランシーバーを介して、ＰＤＣＣＨ（Ｐｈｙｓｉｃａｌ  Ｄｏｗｎｌｉｎｋ  Ｃｏｎｔｒｏｌ  Ｃｈａｎｎｅｌ）を前記ＣＯＲＥＳＥＴ＃０を介して送信し、前記少なくとも１つのトランシーバーを介して、前記ＰＤＣＣＨに基づいてスケジュールするＰＤＳＣＨ（Ｐｈｙｓｉｃａｌ  Ｄｏｗｎｌｉｎｋ  Ｓｈａｒｅｄ  Ｃｈａｎｎｅｌ）及び前記ＰＤＳＣＨのためのＤＭＲＳを送信することを特徴とし、前記ＰＤＣＣＨがＳＩ−ＲＮＴＩ（Ｓｙｓｔｅｍ  Ｉｎｆｏｒｍａｔｉｏｎ−Ｒａｄｉｏ  Ｎｅｔｗｏｒｋ  Ｔｅｍｐｏｒａｒｙ  Ｉｄｅｎｔｉｆｉｅｒ）でアドレス（ａｄｄｒｅｓｓｅｄ）された場合、前記ＤＭＲＳのための基準点は、前記ＣＯＲＥＳＥＴ＃０に含まれたＲＢ（Ｒｅｓｏｕｒｃｅ  Ｂｌｏｃｋ）のうち、最低番号（ｎｕｍｂｅｒ）を有するＲＢの副搬送波＃０である。
【発明の効果】
【００２４】
本発明によれば、ＵＥが共通リソースブロックグリッド（Ｃｏｍｍｏｎ  Ｒｅｓｏｕｒｃｅ  Ｂｌｏｃｋ  Ｇｒｉｄ）による基準点ではなく、他の基準点に基づいてＤＭＲＳを送受信して、リソースを効率的に活用することができる。
【００２５】
本発明で得られる効果は以上で言及した効果に制限されず、言及しなかった他の効果は下記の記載から本発明が属する技術分野で通常の知識を有する者に明らかに理解可能であろう。
【図面の簡単な説明】
【００２６】
【図１】本発明の実施例を具現するためのＡＩ（Ａｒｔｉｆｉｃｉａｌ  Ｉｎｔｅｌｌｉｇｅｎｃｅ）システム及び装置の例示を示す図である。
【図２】本発明の実施例を具現するためのＡＩ（Ａｒｔｉｆｉｃｉａｌ  Ｉｎｔｅｌｌｉｇｅｎｃｅ）システム及び装置の例示を示す図である。
【図３】本発明の実施例を具現するためのＡＩ（Ａｒｔｉｆｉｃｉａｌ  Ｉｎｔｅｌｌｉｇｅｎｃｅ）システム及び装置の例示を示す図である。
【図４】本発明を実行する無線装置の構成要素を示すブロック図である。
【図５】３ＧＰＰ無線接続網の規格に基づく端末とＥ−ＵＴＲＡＮの間の無線インターフェースプロトコル（Ｒａｄｉｏ  Ｉｎｔｅｒｆａｃｅ  Ｐｒｏｔｏｃｏｌ）の制御プレーン（Ｃｏｎｔｒｏｌ  Ｐｌａｎｅ）及びユーザプレーン（Ｕｓｅｒ  Ｐｌａｎｅ）構造を示す図である。
【図６】ＮＲシステムにおいて用いられるＳＳ／ＰＢＣＨブロック（Ｓｙｎｃｈｒｏｎｉｚａｔｉｏｎ  Ｓｉｇｎａｌ／Ｐｈｙｓｉｃａｌ  Ｂｒｏａｄｃａｓｔ  Ｃｈａｎｎｅｌ  Ｂｌｏｃｋ）の構造及び送信の例示を示す図である。
【図７】ＮＲシステムにおいて用いられるＳＳ／ＰＢＣＨブロック（Ｓｙｎｃｈｒｏｎｉｚａｔｉｏｎ  Ｓｉｇｎａｌ／Ｐｈｙｓｉｃａｌ  Ｂｒｏａｄｃａｓｔ  Ｃｈａｎｎｅｌ  Ｂｌｏｃｋ）の構造及び送信の例示を示す図である。
【図８】任意接続過程（Ｒａｎｄｏｍ  Ａｃｃｅｓｓ  Ｐｒｏｃｅｄｕｒｅ）の例示を示す図である。
【図９】ＮＲシステムにおいて下りリンク制御チャンネル（Ｐｈｙｓｉｃａｌ  Ｄｏｗｎｌｉｎｋ  Ｃｏｎｔｒｏｌ  Ｃｈａｎｎｅｌ；ＰＤＣＣＨ）について説明するための図である。
【図１０】ＮＲシステムにおいて下りリンク制御チャンネル（Ｐｈｙｓｉｃａｌ  Ｄｏｗｎｌｉｎｋ  Ｃｏｎｔｒｏｌ  Ｃｈａｎｎｅｌ；ＰＤＣＣＨ）について説明するための図である。
【図１１】ＮＲシステムにおいて下りリンク制御チャンネル（Ｐｈｙｓｉｃａｌ  Ｄｏｗｎｌｉｎｋ  Ｃｏｎｔｒｏｌ  Ｃｈａｎｎｅｌ；ＰＤＣＣＨ）について説明するための図である。
【図１２】ＮＲシステムにおいて用いられる無線フレーム及びスロットの構造を説明するための図である。
【図１３】ＮＲシステムにおいて用いられる無線フレーム及びスロットの構造を説明するための図である。
【図１４】ＮＲシステムにおいて用いられる無線フレーム及びスロットの構造を説明するための図である。
【図１５】本発明に係る端末、基地局及びネットワークの動作の具現例を説明するための図である。
【図１６】本発明に係る端末、基地局及びネットワークの動作の具現例を説明するための図である。
【図１７】本発明に係る端末、基地局及びネットワークの動作の具現例を説明するための図である。
【発明を実施するための形態】
【００２７】
以下、添付図面を参照しながら説明する本発明の実施例によって本発明の構成、作用及び他の特徴をより容易に理解できるであろう。以下の実施例は本発明の技術的特徴が３ＧＰＰシステムに適用された例である。
【００２８】
この明細書では、ＬＴＥシステム、ＬＴＥ−Ａシステム及びＮＲシステムを用いて本発明の実施例を説明しているが、これは一例であり、本発明の実施例は上記定義に該当するいかなる通信システムにも適用することができる。
【００２９】
また、この明細書では、基地局の名称がＲＲＨ（ｒｅｍｏｔｅ  ｒａｄｉｏ  ｈｅａｄ）、ｅＮＢ、ＴＰ（ｔｒａｎｓｍｉｓｓｉｏｎ  ｐｏｉｎｔ）、ＲＰ（ｒｅｃｅｐｔｉｏｎ  ｐｏｉｎｔ）、中継器（ｒｅｌａｙ）などの包括的な用語で使用されている。
【００３０】
３ＧＰＰ基盤の通信標準は、上位層から生じる情報を運ぶリソース要素に対応する下りリンク物理チャンネルと、物理層によって用いられるものの、上位層から生じる情報を運搬しないリソース要素に対応する下りリンク物理信号を定義する。例えば、物理下りリンク共有チャンネル（ｐｈｙｓｉｃａｌ  ｄｏｗｎｌｉｎｋ  ｓｈａｒｅｄ  ｃｈａｎｎｅｌ，ＰＤＳＣＨ）、物理ブロードキャストチャンネル（ｐｈｙｓｉｃａｌ  ｂｒｏａｄｃａｓｔ  ｃｈａｎｎｅｌ，ＰＢＣＨ）、物理マルチキャストチャンネル（ｐｈｙｓｉｃａｌ  ｍｕｌｔｉｃａｓｔ  ｃｈａｎｎｅｌ，ＰＭＣＨ）、物理制御フォーマット指示子チャンネル（ｐｈｙｓｉｃａｌ  ｃｏｎｔｒｏｌ  ｆｏｒｍａｔ  ｉｎｄｉｃａｔｏｒ  ｃｈａｎｎｅｌ，ＰＣＦＩＣＨ）、物理下りリンク制御チャンネル（ｐｈｙｓｉｃａｌ  ｄｏｗｎｌｉｎｋ  ｃｏｎｔｒｏｌ  ｃｈａｎｎｅｌ，ＰＤＣＣＨ）及び物理ハイブリッドＡＲＱ指示子チャンネル（ｐｈｙｓｉｃａｌ  ｈｙｂｒｉｄ  ＡＲＱ  ｉｎｄｉｃａｔｏｒ  ｃｈａｎｎｅｌ，ＰＨＩＣＨ）が下りリンク物理チャンネルとして定義されており、参照信号と同期信号が下りリンク物理信号として定義されている。パイロット（ｐｉｌｏｔ）とも呼ばれる参照信号（ｒｅｆｅｒｅｎｃｅ  ｓｉｇｎａｌ，ＲＳ）は、ｇＮＢとＵＥが互いに知っている既に定義された特別な波形の信号を意味するが、例えば、セル特定のＲＳ（ｃｅｌｌ  ｓｐｅｃｉｆｉｃ  ＲＳ）、ＵＥ−特定のＲＳ（ＵＥ−ｓｐｅｃｉｆｉｃ  ＲＳ，ＵＥ−ＲＳ）、ポジショニングＲＳ（ｐｏｓｉｔｉｏｎｉｎｇ  ＲＳ，ＰＲＳ）及びチャンネル状態情報ＲＳ（ｃｈａｎｎｅｌ  ｓｔａｔｅ  ｉｎｆｏｒｍａｔｉｏｎ  ＲＳ，ＣＳＩ−ＲＳ）が下りリンク参照信号として定義される。３ＧＰＰ  ＬＴＥ／ＬＴＥ−Ａ標準は、上位層から生じる情報を運搬するリソース要素に対応する上りリンク物理チャンネルと、物理層によって用いられるものの、上位層から生じる情報を運搬しないリソース要素に対応する上りリンク物理信号を定義している。例えば、物理上りリンク共有チャンネル（ｐｈｙｓｉｃａｌ  ｕｐｌｉｎｋ  ｓｈａｒｅｄ  ｃｈａｎｎｅｌ，ＰＵＳＣＨ）、物理上りリンク制御チャンネル（ｐｈｙｓｉｃａｌ  ｕｐｌｉｎｋ  ｃｏｎｔｒｏｌ  ｃｈａｎｎｅｌ，ＰＵＣＣＨ）、物理任意接続チャンネル（ｐｈｙｓｉｃａｌ  ｒａｎｄｏｍ  ａｃｃｅｓｓ  ｃｈａｎｎｅｌ，ＰＲＡＣＨ）が上りリンク物理チャンネルとして定義され、上りリンク制御／データ信号のための復調参照信号（ｄｅｍｏｄｕｌａｔｉｏｎ  ｒｅｆｅｒｅｎｃｅ  ｓｉｇｎａｌ，ＤＭＲＳ）と上りリンクチャンネル測定に用いられるサウンディング参照信号（ｓｏｕｎｄｉｎｇ  ｒｅｆｅｒｅｎｃｅ  ｓｉｇｎａｌ，ＳＲＳ）が定義される。
【００３１】
本発明で、ＰＤＣＣＨ（Ｐｈｙｓｉｃａｌ  Ｄｏｗｎｌｉｎｋ  Ｃｏｎｔｒｏｌ  ＣＨａｎｎｅｌ）／ＰＣＦＩＣＨ（Ｐｈｙｓｉｃａｌ  Ｃｏｎｔｒｏｌ  Ｆｏｒｍａｔ  Ｉｎｄｉｃａｔｏｒ  ＣＨａｎｎｅｌ）／ＰＨＩＣＨ（（Ｐｈｙｓｉｃａｌ  Ｈｙｂｒｉｄ  ａｕｔｏｍａｔｉｃ  ｒｅｔｒａｎｓｍｉｔ  ｒｅｑｕｅｓｔ  Ｉｎｄｉｃａｔｏｒ  ＣＨａｎｎｅｌ）／ＰＤＳＣＨ（Ｐｈｙｓｉｃａｌ  Ｄｏｗｎｌｉｎｋ  Ｓｈａｒｅｄ  Ｃｈａｎｎｅｌ）はそれぞれ、ＤＣＩ（Ｄｏｗｎｌｉｎｋ  Ｃｏｎｔｒｏｌ  Ｉｎｆｏｒｍａｔｉｏｎ）／ＣＦＩ（Ｃｏｎｔｒｏｌ  Ｆｏｒｍａｔ  Ｉｎｄｉｃａｔｏｒ）／下りリンクＡＣＫ／ＮＡＣＫ（ＡＣＫｎｏｗｌｅｇｅｍｅｎｔ／Ｎｅｇａｔｉｖｅ  ＡＣＫ）／下りリンクデータを運搬する時間−周波数リソースの集合或いはリソース要素の集合を意味する。また、ＰＵＣＣＨ（Ｐｈｙｓｉｃａｌ  Ｕｐｌｉｎｋ  Ｃｏｎｔｒｏｌ  ＣＨａｎｎｅｌ）／ＰＵＳＣＨ（Ｐｈｙｓｉｃａｌ  Ｕｐｌｉｎｋ  Ｓｈａｒｅｄ  ＣＨａｎｎｅｌ）／ＰＲＡＣＨ（Ｐｈｙｓｉｃａｌ  Ｒａｎｄｏｍ  Ａｃｃｅｓｓ  ＣＨａｎｎｅｌ）はそれぞれ、ＵＣＩ（Ｕｐｌｉｎｋ  Ｃｏｎｔｒｏｌ  Ｉｎｆｏｒｍａｔｉｏｎ）／上りリンクデータ／ランダムアクセス信号を運搬する時間−周波数リソースの集合或いはリソース要素の集合を意味する。本発明では、特に、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨに割り当てられたり、これに属した時間−周波数リソース或いはリソース要素（Ｒｅｓｏｕｒｃｅ  Ｅｌｅｍｅｎｔ，ＲＥ）をそれぞれ、ＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨ  ＲＥ又はＰＤＣＣＨ／ＰＣＦＩＣＨ／ＰＨＩＣＨ／ＰＤＳＣＨ／ＰＵＣＣＨ／ＰＵＳＣＨ／ＰＲＡＣＨリソースと称する。以下では、ＵＥがＰＵＣＣＨ／ＰＵＳＣＨ／ＰＲＡＣＨを送信するという表現は、それぞれ、ＰＵＳＣＨ／ＰＵＣＣＨ／ＰＲＡＣＨ上で／或いはを通じて、上りリンク制御情報／上りリンクデータ／ランダムアクセス信号を送信することと同じ意味で使われる。また、ｇＮＢがＰＤＣＣＨ／ＰＣＦＩＣＨ／ＰＨＩＣＨ／ＰＤＳＣＨを送信するという表現は、それぞれ、ＰＤＣＣＨ／ＰＣＦＩＣＨ／ＰＨＩＣＨ／ＰＤＳＣＨ上で／或いはを通じて、下りリンクデータ／制御情報を送信することと同じ意味で使われる。
【００３２】
以下では、ＣＲＳ／ＤＭＲＳ／ＣＳＩ−ＲＳ／ＳＲＳ／ＵＥ−ＲＳが割り当てられた或いは設定された（ｃｏｎｆｉｇｕｒｅｄ）ＯＦＤＭシンボル／副搬送波／ＲＥを、ＣＲＳ／ＤＭＲＳ／ＣＳＩ−ＲＳ／ＳＲＳ／ＵＥ−ＲＳシンボル／搬送波／副搬送波／ＲＥと称する。例えば、トラッキングＲＳ（ｔｒａｃｋｉｎｇ  ＲＳ、ＴＲＳ）が割り当てられた或いは設定されたＯＦＤＭシンボルは、ＴＲＳシンボルと称し、ＴＲＳが割り当てられた或いは設定された副搬送波は、ＴＲＳ副搬送波と称し、ＴＲＳが割り当てられた或いは設定されたＲＥはＴＲＳ  ＲＥと称する。また、ＴＲＳ送信のために設定された（ｃｏｎｆｉｇｕｒｅｄ）サブフレームを、ＴＲＳサブフレームと称する。また、ブロードキャスト信号が送信されるサブフレームを、ブロードキャストサブフレーム或いはＰＢＣＨサブフレームと称し、同期信号（例えば、ＰＳＳ及び／又はＳＳＳ）が送信されるサブフレームを、同期信号サブフレーム或いはＰＳＳ／ＳＳＳサブフレームと称する。ＰＳＳ／ＳＳＳが割り当てられた或いは設定された（ｃｏｎｆｉｇｕｒｅｄ）ＯＦＤＭシンボル／副搬送波／ＲＥをそれぞれ、ＰＳＳ／ＳＳＳシンボル／副搬送波／ＲＥと称する。
【００３３】
本発明において、ＣＲＳポート、ＵＥ−ＲＳポート、ＣＳＩ−ＲＳポート、ＴＲＳポートとは、それぞれ、ＣＲＳを送信するように設定された（ｃｏｎｆｉｇｕｒｅｄ）アンテナポート、ＵＥ−ＲＳを送信するように設定されたアンテナポート、ＣＳＩ−ＲＳを送信するように設定されたアンテナポート、ＴＲＳを送信するように設定されたアンテナポートを意味する。ＣＲＳを送信するように設定されたアンテナポートは、ＣＲＳポートによってＣＲＳが占有するＲＥの位置によって相互区別でき、ＵＥ−ＲＳを送信するように設定された（ｃｏｎｆｉｇｕｒｅｄ）アンテナポートは、ＵＥ−ＲＳポートによってＵＥ−ＲＳが占有するＲＥの位置によって相互区別でき、ＣＳＩ−ＲＳを送信するように設定されたアンテナポートは、ＣＳＩ−ＲＳポートによってＣＳＩ−ＲＳが占有するＲＥの位置によって相互区別できる。従って、ＣＲＳ／ＵＥ−ＲＳ／ＣＳＩ−ＲＳ／ＴＲＳポートという用語が、一定リソース領域内でＣＲＳ／ＵＥ−ＲＳ／ＣＳＩ−ＲＳ／ＴＲＳが占有するＲＥのパターンを意味する用語として用いられることもある。
【００３４】
<人工知能（ＡＩ：Ａｒｔｉｆｉｃｉａｌ  Ｉｎｔｅｌｌｉｇｅｎｃｅ）>
【００３５】
人工知能とは、人工的な知能又はこれを製作可能な方法論を研究する分野を意味し、マシンラーニング（機械学習、Ｍａｃｈｉｎｅ  Ｌｅａｒｎｉｎｇ）とは、人工知能分野において取り扱う様々な問題を定義して、それを解決する方法論を研究する分野を意味する。マシンラーニングは、ある作業に対する経験を積み重ね、その作業の性能を高めるアルゴリズムと定義することもある。
【００３６】
人工ニューラルネットワーク（ＡＮＮ：Ａｒｔｉｆｉｃｉａｌ  Ｎｅｕｒａｌ  Ｎｅｔｗｏｒｋ）は、マシンラーニングにおいて用いられるモデルであって、シナプスの結合によってネットワークを形成した人工ニューロン（ノード）からなる、問題解決能力を有するモデル全般を意味することができる。人工ニューラルネットワークは、他のレイヤのニューロン間の連結パターン、モデルパラメータを更新する学習過程、出力値を生成する活性化関数（Ａｃｔｉｖａｔｉｏｎ  Ｆｕｎｃｔｉｏｎ）によって定義することができる。
【００３７】
人工ニューラルネットワークは、入力レイヤ（Ｉｎｐｕｔ  Ｌａｙｅｒ）、出力レイヤ（Ｏｕｔｐｕｔ  Ｌａｙｅｒ）、また選択的に１つ以上の隠れレイヤ（Ｈｉｄｄｅｎ  Ｌａｙｅｒ）を含むことができる。各層は、１つ以上のニューロンを含み、人口ニューラルネットワークは、ニューロンとニューロンとを連結するシナプスを含むことができる。人工ニューラルネットワークにおいて、各々のニューロンは、シナプスを介して入力される入力信号、加重値、偏向に対する活性関数の関数値を出力することができる。
【００３８】
モデルパラメータは、学習によって決定されるパラメータを意味し、シナプス連結の加重値及びニューロンの偏向などが含まれる。また、ハイパーパラメータは、マシンラーニングアルゴリズムにおいて、学習の前に設定すべきパラメータを意味し、学習率（Ｌｅａｒｎｉｎｇ  Ｒａｔｅ）、繰り返し回数、ミニバッチサイズ、初期化関数などが含まれる。
【００３９】
人工ニューラルネットワークの学習の目的は、損失関数を最小化するモデルパラメータを決定することとみられる。損失関数は、人工ニューラルネットワークの学習過程において、最適なモデルパラメータを決定するための指標として用いられる。
【００４０】
マシンラーニングは、学習方式によって、教師あり学習（Ｓｕｐｅｒｖｉｓｅｄ  Ｌｅａｒｎｉｎｇ）、教師なし学習（Ｕｎｓｕｐｅｒｖｉｓｅｄ  Ｌｅａｒｎｉｎｇ）、強化学習（Ｒｅｉｎｆｏｒｃｅｍｅｎｔ  Ｌｅａｒｎｉｎｇ）に分類することができる。
【００４１】
教師あり学習とは、学習データに対するレーブル（ｌａｂｅｌ）が与えられた状態で人工ニューラルネットワークを学習させる方法を意味し、レーブルとは、学習データが人工ニューラルネットワークに入力される場合、人工ニューラルネットワークが推論すべき正解（又は、結果値）を意味する。教師なし学習とは、学習データに対するレーブルが与えられていない状態で人工ニューラルネットワークを学習させる方法を意味する。強化学習とは、ある環境内で定義されたエージェントが、各状態で累積補償を最大化する行動又は行動手順を選択するように学習させる方法を意味する。
【００４２】
人工ニューラルネットワークのうち、複数の隠れレイヤを含むディープニューラルネットワーク（ＤＮＮ：Ｄｅｅｐ  Ｎｅｕｒａｌ  Ｎｅｔｗｏｒｋ）によって具現するマシンラーニングをディープラーニング（深層学習、Ｄｅｅｐ  Ｌｅａｒｎｉｎｇ）と呼び、ディープラーニングは、マシンラーニングの一部である。以下、マシンラーニングは、ディープラーニングを含む意味として用いられる。
【００４３】
<ロボット（Ｒｏｂｏｔ）>
【００４４】
ロボットとは、自ら保有している能力により、与えられた仕事を自動に処理したり作動する機械を意味する。特に、環境を認識し自分で判断して動作を実行する機能を有するロボットを知能型ロボットとも呼ぶ。
【００４５】
ロボットは、その使用目的や分野に応じて、産業用、医療用、家庭用、軍用などに分類できる。
【００４６】
ロボットは、アクチュエータ又はモーターを含む駆動部を備え、ロボットの関節を動かすなどの様々な物理的動作を行うことができる。また、移動可能なロボットは、駆動部に、ホイール、ブレーキ、プロペラなどが含まれ、駆動部によって地上で走行したり空中で飛行することができる。
【００４７】
<自律走行（Ｓｅｌｆ−Ｄｒｉｖｉｎｇ、Ａｕｔｏｎｏｍｏｕｓ−Ｄｒｉｖｉｎｇ）>
【００４８】
自律走行とは、自ら走行する技術を意味し、自律走行車両は、使用者の操作無しで、又は使用者の最小限の操作で走行する車両（Ｖｅｈｉｃｌｅ）を意味する。
【００４９】
例えば、自律走行には、走行中の車線を維持する技術、アダプティブクルーズコントロールのように速度を自動に調節する技術、既定の経路に沿って自動に走行する技術、目的地の設定によって自動に経路を設定して走行する技術などがいずれも含まれる。
【００５０】
車両は、内燃機関のみを備える車両、内燃機関と電気モーターを共に備えるハイブリッド車両、及び電気モーターのみを備える電気車両を何れも含み、自動車のみならず、列車、オートバイなどを含んでもよい。
【００５１】
このとき、自律走行車両は、自律走行機能を有するロボットとみられる。
【００５２】
<拡張現実（ＸＲ：ｅＸｔｅｎｄｅｄ  Ｒｅａｌｉｔｙ）>
【００５３】
拡張現実は、仮想現実（ＶＲ：Ｖｉｒｔｕａｌ  Ｒｅａｌｉｔｙ）、増強現実（ＡＲ：Ａｕｇｍｅｎｔｅｄ  Ｒｅａｌｉｔｙ）、混合現実（ＭＲ：Ｍｉｘｅｄ  Ｒｅａｌｉｔｙ）を総称する。ＶＲ技術は、現実世界のオブジェクトや背景などをＣＧ映像のみで提供し、ＡＲ技術は、実際の事物映像上に仮想で作られたＣＧ映像を共に提供し、ＭＲ技術は、現実世界において仮想のオブジェクトを混合し結合して提供するコンピューターグラフィック技術である。
【００５４】
ＭＲ技術は、現実のオブジェクトと仮想のオブジェクトを共にみせるという点においてＡＲ技術と類似している。しかし、ＡＲ技術では、仮想のオブジェクトが現実のオブジェクトを補完するために用いられるが、ＭＲ技術では、仮想のオブジェクトと現実のオブジェクトとが同等に用いられるという差がある。
【００５５】
ＸＲ技術は、ＨＭＤ（Ｈｅａｄ−Ｍｏｕｎｔ  Ｄｉｓｐｌａｙ）、ＨＵＤ（Ｈｅａｄ−Ｕｐ  Ｄｉｓｐｌａｙ）、携帯電話、タブレットＰＣ、ラプトップコンピューター、デスクトップコンピューター、ＴＶ、デジタルサイネージなどに適用可能であり、ＸＲ技術が適用された装置をＸＲ装置（ＸＲ  Ｄｅｖｉｃｅ）と呼ぶ。
【００５６】
図１は、本発明の実施例を具現可能なＡＩ装置１００を示す。
【００５７】
ＡＩ装置１００は、ＴＶ、プロジェクター、携帯電話、スマートホン、デスクトップコンピューター、ノートブックコンピューター、デジタル放送用端末機、ＰＤＡ（ｐｅｒｓｏｎａｌ  ｄｉｇｉｔａｌ  ａｓｓｉｓｔａｎｔｓ）、ＰＭＰ（ｐｏｒｔａｂｌｅ  ｍｕｌｔｉｍｅｄｉａ  ｐｌａｙｅｒ）、カーナビゲーション、タブレットＰＣ、ウェアラブルデバイス、セットトップボックス（ＳＴＢ）、ＤＭＢ受信器、ラジオ、洗濯機、冷蔵庫、デスクトップコンピューター、デジタルサイネージ、ロボット、車両などのような固定型機器又は移動型機器などによって具現できる。
【００５８】
図１を参照すると、端末機１００は、通信部１１０、入力部１２０、ラーニングプロセッサー１３０、センシング部１４０、出力部１５０、メモリ１７０及びプロセッサー１８０などを含むことができる。
【００５９】
通信部１１０は、有無線通信技術を用いて、他のＡＩ装置１００ａ〜１００ｅ又はＡＩサーバー２００などの外部装置とデータを送受信することができる。例えば、通信部１１０は、外部装置とセンター情報、ユーザ入力、学習モデル、制御信号などを送受信することができる。
【００６０】
この場合、通信部１１０が用いる通信技術には、ＧＳＭ（登録商標）（Ｇｌｏｂａｌ  Ｓｙｓｔｅｍ  ｆｏｒ  Ｍｏｂｉｌｅ  ｃｏｍｍｕｎｉｃａｔｉｏｎ）、ＣＤＭＡ（Ｃｏｄｅ  Ｄｉｖｉｓｉｏｎ  Ｍｕｌｔｉ  Ａｃｃｅｓｓ）、ＬＴＥ（Ｌｏｎｇ  Ｔｅｒｍ  Ｅｖｏｌｕｔｉｏｎ）、５Ｇ、ＷＬＡＮ（Ｗｉｒｅｌｅｓｓ  ＬＡＮ）、Ｗｉ−Ｆｉ（Ｗｉｒｅｌｅｓｓ−Ｆｉｄｅｌｉｔｙ）、ブルートゥース（登録商標）（Ｂｌｕｅｔｏｏｔｈ（登録商標）TM）、ＲＦＩＤ（Ｒａｄｉｏ  Ｆｒｅｑｕｅｎｃｙ  Ｉｄｅｎｔｉｆｉｃａｔｉｏｎ）、赤外線通信（Ｉｎｆｒａｒｅｄ  Ｄａｔａ  Ａｓｓｏｃｉａｔｉｏｎ；ＩｒＤＡ）、ＺｉｇＢｅｅ、ＮＦＣ（Ｎｅａｒ  Ｆｉｅｌｄ  Ｃｏｍｍｕｎｉｃａｔｉｏｎ）などがある。
【００６１】
入力部１２０は、種々のデータを取得することができる。
【００６２】
この場合、入力部１２０は、映像信号入力のためのカメラ、オーディオ信号を受信するためのマイクロホン、ユーザから情報を入力するためのユーザ入力部などを含むことができる。ここで、カメラやマイクロホンをセンサーとして取り扱い、カメラやマイクロホンから取得した信号をセンシングデータ又はセンサー情報とすることもできる。
【００６３】
入力部１２０は、モデル学習のための学習データ及び学習モデルを用いて出力を取得するときに用いる入力データなどを取得することができる。入力部１２０は、未加工の入力データを取得することもでき、この場合、プロセッサー１８０又はラーニングプロセッサー１３０は、入力データに対する前処理として入力特徴点（ｉｎｐｕｔ  ｆｅａｔｕｒｅ）を抽出することができる。
【００６４】
ラーニングプロセッサー１３０は、学習データを用いて人工ニューラルネットワークで構成されたモデルを学習させることができる。ここで、学習された人工ニューラルネットワークを学習モデルと称してもよい。学習モデルは、学習データではなく新たな入力データに対して結果値を推論するために用いられることができ、推論値は、ある動作を行うための判断の根拠として用いることができる。
【００６５】
この場合、ラーニングプロセッサー１３０は、ＡＩサーバー２００のラーニングプロセッサー２４０と共にＡＩプロセッシングを行うことができる。
【００６６】
この場合、ラーニングプロセッサー１３０は、ＡＩ装置１００に統合されているか、具現されているメモリを含むことができる。或いは、ラーニングプロセッサー１３０は、メモリ１７０、ＡＩ装置１００に直接接続した外部メモリ又は外部装置において維持されるメモリを用いて具現されてもよい。
【００６７】
センシング部１４０は、様々なセンサーを用いて、ＡＩ装置１００の内部情報、ＡＩ装置１００の周辺環境情報及びユーザ情報のうちの少なくとも１つを取得することができる。
【００６８】
この場合、センシング部１４０に含まれるセンサーには、近接センサー、照度センサー、加速度センサー、磁気センサー、ジャイロセンサー、慣性センサー、ＲＧＢセンサー、ＩＲセンサー、指紋認証センサー、超音波センサー、光センサー、マイクロホン、ライダー、レーダーなどがある。
【００６９】
出力部１５０は、視覚、聴覚又は触覚などに関連する出力を発生させることができる。
【００７０】
この場合、出力部１５０には、視覚情報を出力するディスプレー部、聴覚情報を出力するスピーカー、触覚情報を出力するハプティックモジュールなどがある。
【００７１】
メモリ１７０は、ＡＩ装置１００の様々な機能を支援するデータを記憶することができる。例えば、メモリ１７０は、入力部１２０から取得した入力データ、学習データ、学習モデル、学習履歴などを記憶することができる。
【００７２】
プロセッサー１８０は、データ分析アルゴリズム又はマシンラーニングアルゴリズムを用いて決定又は生成された情報に基づいて、ＡＩ装置１００の少なくとも１つの実行可能な動作を決定することができる。また、プロセッサー１８０は、ＡＩ装置１００の構成要素を制御し、決定された動作を行うことができる。
【００７３】
そのために、プロセッサー１８０は、ラーニングプロセッサー１３０又はメモリ１７０のデータを要請、検索、受信又は活用することができ、上述した少なくとも１つの実行可能な動作のうち、予測される動作、又は好ましいと判断される動作を行うように、ＡＩ装置１００の構成要素を制御することができる。
【００７４】
この場合、プロセッサー１８０は、決定された動作を行うために、外部装置の接続が必要な場合、該当外部装置を制御するための制御信号を生成し、生成した制御信号を該当外部装置へ送信することができる。
【００７５】
プロセッサー１８０は、ユーザ入力に対して意図情報を取得し、取得した意図情報に基づいてユーザの要求事項を決定することができる。
【００７６】
この場合、プロセッサー１８０は、音声入力を文字列に切り替えるためのＳＴＴ（Ｓｐｅｅｃｈ  Ｔｏ  Ｔｅｘｔ）エンジン又は自然言語の意図情報を取得するための自然言語処理（ＮＬＰ：Ｎａｔｕｒａｌ  Ｌａｎｇｕａｇｅ  Ｐｒｏｃｅｓｓｉｎｇ）エンジンのうちの少なくとも１つ以上を用いて、ユーザ入力に相応する意図情報を取得することができる。
【００７７】
この場合、ＳＴＴエンジン又はＮＬＰエンジンのうちの少なくとも１つ以上は、少なくとも一部がマシンラーニングアルゴリズムに沿って学習された人工ニューラルネットワークで構成できる。また、ＳＴＴエンジン又はＮＬＰエンジンのうちの少なくとも１つ以上は、ラーニングプロセッサー１３０によって学習されたものであってもよく、ＡＩサーバー２００のラーニングプロセッサー２４０によって学習されたものであってよく、又はこれらの分散処理によって学習されたものであってもよい。
【００７８】
プロセッサー１８０は、ＡＩ装置１００の動作内容や動作に対するユーザのフィードバックなどを含む履歴情報を集め、メモリ１７０又はラーニングプロセッサー１３０に記憶させるか、ＡＩサーバー２００などの外部装置へ送信することができる。集めた履歴情報は、学習モデルの更新に用いることができる。
【００７９】
プロセッサー１８０は、メモリ１７０に記憶した応用プログラムを駆動するために、ＡＩ装置１００の構成要素のうちの少なくとも一部を制御することができる。さらに、プロセッサー１８０は、応用プログラムの駆動のために、ＡＩ装置１００に含まれた構成要素のうちの２つ以上を組み合わせて動作させることができる。
【００８０】
図２は、本発明の実施例を具現可能なＡＩサーバー２００を示す。
【００８１】
図２を参照すると、ＡＩサーバー２００は、マシンラーニングアルゴリズムを用いて、人工ニューラルネットワークを学習させたり学習された人工ニューラルネットワークを利用する装置を意味してもよい。ここで、ＡＩサーバー２００は、複数のサーバーからなり、分散処理を行うこともでき、５Ｇネットワークで定義できる。このとき、ＡＩサーバー２００は、ＡＩ装置１００の一部の構成として含まれ、ＡＩプロセッシングのうちの少なくとも一部を一緒に行うこともできる。
【００８２】
ＡＩサーバー２００は、通信部２１０、メモリ２３０、ラーニングプロセッサー２４０及びプロセッサー２６０などを含むことができる。
【００８３】
通信部２１０は、ＡＩ装置１００などの外部装置とデータを送受信することができる。
【００８４】
メモリ２３０は、モデル記憶部２３１を含んでもよい。モデル記憶部２３１は、ラーニングプロセッサー２４０によって学習中又は学習されたモデル（又は、人工ニューラルネットワーク、２３１ａ）を記憶することができる。
【００８５】
ラーニングプロセッサー２４０は、学習データを用いて、人工ニューラルネットワーク２３１ａを学習させることができる。学習モデルは、人工ニューラルネットワークのＡＩサーバー２００に搭載したまま用いられてもよく、ＡＩ装置１００などの外部装置に搭載されて用いられてもよい。
【００８６】
学習モデルは、ハードウェア、ソフトウェア又はハードウェアとソフトウェアとの組み合わせによって具現できる。学習モデルの一部又は全部がソフトウェアで具現される場合、学習モデルを構成する１つ以上の命令語（ｉｎｓｔｒｕｃｔｉｏｎ）はメモリ２３０に記憶可能である。
【００８７】
プロセッサー２６０は、学習モデルを用いて新たな入力データに対して結果値を推論し、推論した結果値に基づいて応答又は制御命令を生成することができる。
【００８８】
図３は、本発明の実施例を具現可能なＡＩシステム１を示す。
【００８９】
図３を参照すると、ＡＩシステム１においては、ＡＩサーバー２００、ロボット１００ａ、自律走行車両１００ｂ、ＸＲ装置１００ｃ、スマートホン１００ｄ又は家電１００ｅのうちの少なくとも１つ以上がクラウドネットワーク１０と接続する。ここで、ＡＩ技術の適用されたロボット１００ａ、自律走行車両１００ｂ、ＸＲ装置１００ｃ、スマートホン１００ｄ又は家電１００ｅなどをＡＩ装置１００ａ〜１００ｅと称することができる。
【００９０】
クラウドネットワーク１０は、クラウドコンピューティングインフラの一部を構成するか、クラウドコンピューティングインフラ内に存在するネットワークを意味してもよい。ここで、クラウドネットワーク１０は、３Ｇネットワーク、４Ｇ又はＬＴＥ（Ｌｏｎｇ  Ｔｅｒｍ  Ｅｖｏｌｕｔｉｏｎ）ネットワーク又は５Ｇネットワークなどを用いて構成できる。
【００９１】
すなわち、ＡＩシステム１を構成する各々の装置１００ａ〜１００ｅ，２００は、クラウドネットワーク１０を介して互いに接続可能である。特に、各々の装置１００ａ〜１００ｅ，２００は、基地局を介して互いに通信することもできるが、基地局を介さずに直接通信することもできる。
【００９２】
ＡＩサーバー２００は、ＡＩプロセッシングを行うサーバーと、ビックデータに関する演算を行うサーバーとを含むことができる。
【００９３】
ＡＩサーバー２００は、ＡＩシステム１を構成するＡＩ装置であるロボット１００ａ、自律走行車両１００ｂ、ＸＲ装置１００ｃ、スマートホン１００ｄ又は家電１００ｅのうちの少なくとも１つ以上とクラウドネットワーク１０を介して接続し、接続したＡＩ装置１００ａ〜１００ｅのＡＩプロセッシングの少なくとも一部を補助することができる。
【００９４】
この場合、ＡＩサーバー２００は、ＡＩ装置１００ａ〜１００ｅに代わって、マシンラーニングアルゴリズムに従って人工ニューラルネットワークを学習させることができ、学習モデルを直接記憶するか、ＡＩ装置１００ａ〜１００ｅに送信することができる。
【００９５】
この場合、ＡＩサーバー２００は、ＡＩ装置１００ａ〜１００ｅから入力データを受信し、学習モデルを用いて、受信した入力データに対して結果値を推論し、推論した結果値に基づいて応答又は制御命令を生成して、ＡＩ装置１００ａ〜１００ｅへ送信することができる。
【００９６】
或いは、ＡＩ装置１００ａ〜１００ｅは、学習モデルを直接用いて、入力データに対して結果値を推論し、推論した結果値に基づいて応答又は制御命令を生成することもできる。
【００９７】
以下、上述した技術が適用されたＡＩ装置１００ａ〜１００ｅの様々な実施例を説明する。ここで、図２２に示したＡＩ装置１００ａ〜１００ｅは、図２０に示したＡＩ装置１００の具体的な実施例とみられる。
【００９８】
<ＡＩ＋ロボット>
【００９９】
ロボット１００ａは、ＡＩ技術が適用され、案内ロボット、運搬ロボット、掃除ロボット、ウェアラブルロボット、エンターテインメントロボット、ペットロボット、無人飛行ロボットなどで具現できる。
【０１００】
ロボット１００ａは、動作を制御するためのロボット制御モジュールを含み、ロボット制御モジュールは、ソフトウェアモジュール又はこれをハードウェアで具現したチップを意味してもよい。
【０１０１】
ロボット１００ａは、種々のセンサーから取得したセンサー情報を用いて、ロボット１００ａの状態情報を取得したり、周辺環境及びオブジェクトを検出（認識）したり、マップデータを生成したり、移動経路及び走行計画を決定したり、ユーザ相互作用への応答を決定したり、動作を決定したりすることができる。
【０１０２】
ここで、ロボット１００ａは、移動経路及び走行計画を決定するために、ライダー、レーダー、カメラのうちの少なくとも１つ以上のセンサーから取得したセンサー情報を用いることができる。
【０１０３】
ロボット１００ａは、少なくとも１つ以上の人工ニューラルネットワークからなる学習モデルを用いて、上述した動作を行うことができる。例えば、ロボット１００ａは、学習モデルを用いて、周辺環境及びオブジェクトを認識することができ、認識した周辺環境情報又はオブジェクト情報を用いて動作を決定することができる。ここで、学習モデルは、ロボット１００ａで直接学習されてもよく、ＡＩサーバー２００などの外部装置で学習されてもよい。
【０１０４】
この場合、ロボット１００ａは、学習モデルを直接用いて結果を生成し動作を行うこともできるが、ＡＩサーバー２００などの外部装置にセンサー情報を送信し、それに従って生成された結果を受信して動作を行うこともできる。
【０１０５】
ロボット１００ａは、マップデータ、センサー情報から検出したオブジェクト情報又は外部装置から取得したオブジェクト情報のうちの少なくとも１つ以上を用いて、移動経路及び走行計画を決定し、駆動部を制御して、決定された移動経路及び走行計画に従ってロボット１００ａを走行させることができる。
【０１０６】
マップデータには、ロボット１００ａが移動する空間に配置された様々なオブジェクトに対するオブジェクト識別情報が含まれてもよい。例えば、マップデータには、壁、ドアなどの固定オブジェクト、鉢、机などの移動可能なオブジェクトに関するオブジェクト識別情報が含まれる。また、オブジェクト識別情報には、名称、種類、距離、位置などが含まれる。
【０１０７】
また、ロボット１００ａは、ユーザの制御／相互作用に基づいて駆動部を制御することで、動作を実行又は走行することができる。この場合、ロボット１００ａは、ユーザの動作又は音声発話による相互作用の意図情報を取得し、取得した意図情報に基づいて、応答を決定し動作を行うことができる。
【０１０８】
<ＡＩ＋自律走行>
【０１０９】
自律走行車両１００ｂは、ＡＩ技術が適用され、移動型ロボット、車両、無人飛行体などで具現できる。
【０１１０】
自律走行車両１００ｂは、自律走行機能を制御するための自律走行制御モジュールを含んでもよく、自律走行制御モジュールは、ソフトウェアモジュール又はこれをハードウェアで具現したチップを意味してもよい。自律走行制御モジュールは、自律走行車両１００ｂの構成として内部に含まれてもよく、自律走行車両１００ｂの外部に別のハードウェアとして構成して接続してもよい。
【０１１１】
自律走行車両１００ｂは、種々のセンサーから取得したセンサー情報を用いて、自律走行車両１００ｂの状態情報を取得したり、周辺環境及びオブジェクトを検出（認識）したり、マップデータを生成したり、移動経路及び走行計画を決定したり、動作を決定したりすることができる。
【０１１２】
ここで、自律走行車両１００ｂは、移動経路及び走行計画を決定するために、ロボット１００ａと同様に、ライダー、レーダー、カメラのうちの少なくとも１つ以上のセンサーから取得したセンサー情報を用いることができる。
【０１１３】
特に、自律走行車両１００ｂは、視野の遮られる領域又は所定距離以上の領域に対する環境やオブジェクトは、外部装置からセンサー情報を受信して認識してもよく、外部装置から認識した情報を直接受信してもよい。
【０１１４】
自律走行車両１００ｂは、少なくとも１つ以上の人工ニューラルネットワークからなる学習モデルを用いて、上述した動作を行うことができる。例えば、自律走行車両１００ｂは、学習モデルを用いて、周辺環境及びオブジェクトを認識することができ、認識した周辺環境情報又はオブジェクト情報を用いて走行動線を決定することができる。ここで、学習モデルは、自律走行車両１００ｂで直接学習されてもよく、ＡＩサーバー２００などの外部装置で学習されてもよい。
【０１１５】
この場合、自律走行車両１００ｂは、学習モデルを直接用いて結果を生成し動作を行うこともできるが、ＡＩサーバー２００などの外部装置にセンサー情報を送信し、それに従って生成された結果を受信して動作を行うこともできる。
【０１１６】
自律走行車両１００ｂは、マップデータ、センサー情報から検出したオブジェクト情報又は外部装置から取得したオブジェクト情報のうちの少なくとも１つ以上を用いて、移動経路及び走行計画を決定し、駆動部を制御して決定された移動経路及び走行計画に従って、自律走行車両１００ｂを走行させることができる。
【０１１７】
マップデータには、自律走行車両１００ｂが走行する空間（例えば、道路）に配置された様々なオブジェクトに関するオブジェクト識別情報が含まれてもよい。例えば、マップデータには、街灯、岩、建物などの固定オブジェクトと、車両、歩行者などの移動可能なオブジェクトに関するオブジェクト識別情報が含まれる。また、オブジェクト識別情報には、名称、種類、距離、位置などが含まれる。
【０１１８】
また、自律走行車両１００ｂは、ユーザの制御／相互作用に基づいて駆動部を制御することで、動作を実行又は走行することができる。この場合、自律走行車両１００ｂは、ユーザの動作や音声発話による相互作用の意図情報を取得し、取得した意図情報に基づいて応答を決定し動作を行うことができる。
【０１１９】
<ＡＩ＋ＸＲ>
【０１２０】
ＸＲ装置１００ｃは、ＡＩ技術が適用され、ＨＭＤ（Ｈｅａｄ−Ｍｏｕｎｔ  Ｄｉｓｐｌａｙ）、車両に備えられたＨＵＤ（Ｈｅａｄ−Ｕｐ  Ｄｉｓｐｌａｙ）、ＴＶ、携帯電話、スマートホン、コンピューター、ウェアラブルデバイス、家電機器、デジタルサイネージ、車両、固定型ロボット又は移動型ロボットなどで具現できる。
【０１２１】
ＸＲ装置１００ｃは、様々なセンサーを介して外部装置から取得した３次元ポイントクラウドデータ又はイメージデータを分析し、３次元ポイントに対する位置データ及び属性データを生成することで、周辺空間又は現実オブジェクトに関する情報を取得し、出力するＸＲオブジェクトをレンダリングして出力することができる。例えば、ＸＲ装置１００ｃは、認識した物体に対する追加情報を含むＸＲオブジェクトをその認識した物体に対応させて出力することができる。
【０１２２】
ＸＲ装置１００ｃは、少なくとも１つ以上の人工ニューラルネットワークから構成される学習モデルを用いて、上述した動作を行うことができる。例えば、ＸＲ装置１００ｃは、学習モデルを用いて、３次元ポイントクラウドデータ又はイメージデータで現実のオブジェクトを認識することができ、認識した現実オブジェクトに相応する情報を提供することができる。ここで、学習モデルは、ＸＲ装置１００ｃで直接学習されてもよく、ＡＩサーバー２００などの外部装置で学習されてもよい。
【０１２３】
この場合、ＸＲ装置１００ｃは、学習モデルを用いて直接結果値を生成して動作を行うこともできるが、ＡＩサーバー２００などの外部装置にセンサー情報を送信し、それに従って生成された結果を受信して動作を行うこともできる。
【０１２４】
<ＡＩ＋ロボット＋自律走行>
【０１２５】
ロボット１００ａは、ＡＩ技術及び自律走行技術が適用され、案内ロボット、運搬ロボット、掃除ロボット、ウェアラブルロボット、エンターテインメントロボット、ペットロボット、無人飛行ロボットなどで具現できる。
【０１２６】
ＡＩ技術及び自律走行技術が適用されたロボット１００ａは、自律走行機能を有するロボットそのもの、又は自律走行車両１００ｂと相互作用するロボット１００ａなどを意味してもよい。
【０１２７】
自律走行機能を有するロボット１００ａは、ユーザの制御がなくても、与えられた動線を沿って自ら動いたり、動線を自ら決定して動く装置を総称してもよい。
【０１２８】
自律走行機能を有するロボット１００ａ及び自律走行車両１００ｂは、移動経路又は走行計画のうちの１つ以上を決定するために、共通のセンシング方法を用いることができる。例えば、自律走行機能を有するロボット１００ａ及び自律走行車両１００ｂは、ライダー、レーダー、カメラを介してセンシングされた情報を用いて、移動経路又は走行計画のうちの１つ以上を決定することができる。
【０１２９】
自律走行車両１００ｂと相互作用するロボット１００ａは、自律走行車両１００ｂとは別として存在して、自律走行車両１００ｂの内部又は外部において自律走行機能に連動するか、自律走行車両１００ｂに搭乗したユーザと連係した連動を行うことができる。
【０１３０】
この場合、自律走行車両１００ｂと相互作用するロボット１００ａは、自律走行車両１００ｂに代わってセンサー情報を取得して自律走行車両１００ｂへ提供したり、センサー情報を取得して周辺環境情報又はオブジェクト情報を生成して自律走行車両１００ｂへ提供することで、自律走行車両１００ｂの自律走行機能を制御又は補助することができる。
【０１３１】
或いは、自律走行車両１００ｂと相互作用するロボット１００ａは、自律走行車両１００ｂに搭乗したユーザをモニタリングしたりユーザとの相互作用によって自律走行車両１００ｂの機能を制御することができる。例えば、ロボット１００ａは、運転者が居眠り運転をしていると判断した場合、自律走行車両１００ｂの自律走行機能を活性化するか、自律走行車両１００ｂの駆動部の制御を補助することができる。ここで、ロボット１００ａが制御する自律走行車両１００ｂの機能には、単なる自律走行機能のみならず、自律走行車両１００ｂの内部に備えられたカーナビゲーションシステム又はオーディオシステムで提供する機能が含まれてもよい。
【０１３２】
或いは、自律走行車両１００ｂと相互作用するロボット１００ａは、自律走行車両１００ｂの外部で自律走行車両１００ｂに情報を提供するか、機能を補助することができる。例えば、ロボット１００ａは、スマート信号灯のように自律走行車両１００ｂに信号情報などを含む交通情報を提供することもでき、電気車両の自動電気充填機のように自律走行車両１００ｂと相互作用して充填口に電気充填機を自動に連結することもできる。
【０１３３】
<ＡＩ＋ロボット＋ＸＲ>
【０１３４】
ロボット１００ａは、ＡＩ技術及びＸＲ技術が適用され、案内ロボット、運搬ロボット、掃除ロボット、ウェアラブルロボット、エンターテインメントロボット、ペットロボット、無人飛行ロボット、ドローンなどで具現できる。
【０１３５】
ＸＲ技術が適用されたロボット１００ａは、ＸＲ映像内における制御／相互作用の対象となるロボットを意味してもよい。この場合、ロボット１００ａは、ＸＲ装置１００ｃとは区分され、互いに連動可能である。
【０１３６】
ＸＲ映像内における制御／相互作用の対象となるロボット１００ａは、カメラを含むセンサーからセンサー情報を取得すると、ロボット１００ａ又はＸＲ装置１００ｃはセンサー情報に基づくＸＲ映像を生成し、ＸＲ装置１００ｃは、生成されたＸＲ映像を出力することができる。また、このロボット１００ａは、ＸＲ装置１００ｃを介して入力する制御信号又はユーザの相互作用に基づいて動作できる。
【０１３７】
例えば、ユーザは、ＸＲ装置１００ｃなどの外部装置を介して遠隔で連動されているロボット１００ａの視点に相応するＸＲ映像を確認することができ、相互作用によってロボット１００ａの  自律走行経路を調整したり、動作又は走行を制御したり、周辺オブジェクトの情報を確認することができる。
【０１３８】
<ＡＩ＋自律走行＋ＸＲ>
【０１３９】
自律走行車両１００ｂは、ＡＩ技術及びＸＲ技術が適用され、移動型ロボット、車両、無人飛行体などで具現できる。
【０１４０】
ＸＲ技術が適用された自律走行車両１００ｂは、ＸＲ映像を提供する手段を備えた自律走行車両、又はＸＲ映像内における制御／相互作用の対象となる自律走行車両などを意味してもよい。特に、ＸＲ映像内における制御／相互作用の対象となる自律走行車両１００ｂは、ＸＲ装置１００ｃとは区分され、互いに連動可能である。
【０１４１】
ＸＲ映像を提供する手段を備えた自律走行車両１００ｂは、カメラを含むセンサーからセンサー情報を取得し、取得したセンサー情報に基づいて生成されたＸＲ映像を出力することができる。例えば、自律走行車両１００ｂは、ＨＵＤを備えてＸＲ映像を出力することで、搭乗者に現実のオブジェクト又は画面内のオブジェクトに対応するＸＲオブジェクトを提供することができる。
【０１４２】
このとき、ＸＲオブジェクトがＨＵＤに出力される場合には、ＸＲオブジェクトの少なくとも一部が搭乗者の視線が向かう実際のオブジェクトにオーバーラップするように出力されてもよい。一方、ＸＲオブジェクトが自律走行車両１００ｂの内部に備えられるディスプレーに出力される場合には、ＸＲオブジェクトの少なくとも一部が画面内のオブジェクトにオーバーラップするように出力されてもよい。例えば、自律走行車両１００ｂは、車道、車両、信号灯、交通標識、二輪車、歩行者、建物などのようなオブジェクトと対応するＸＲオブジェクトを出力することができる。
【０１４３】
ＸＲ映像内における制御／相互作用の対象となる自律走行車両１００ｂは、カメラを含むセンサーからセンサー情報を取得すると、自律走行車両１００ｂ又はＸＲ装置１００ｃは、センサー情報に基づくＸＲ映像を生成し、ＸＲ装置１００ｃは、生成したＸＲ映像を出力することができる。また、この自律走行車両１００ｂは、ＸＲ装置１００ｃなどの外部装置を介して入力される制御信号又はユーザの相互作用に基づいて動作できる。
【０１４４】
図４は、本発明の実施例に係る無線通信装置の一実施例を示す。
【０１４５】
図４に示した無線通信装置は、本発明の実施例に係る端末及び／又は基地局を示す。しかし、図１２の無線通信装置は、この実施例に係る端末及び／又は基地局に限定されず、車両通信システム又は装置、ウェアラブルデバイス(ｗｅａｒａｂｌｅ ｄｅｖｉｃｅ)、ラップトップ、スマートフォンなどの様々な装置に代替することができる。より具体的には、上記装置は基地局、ネットワークノード、送信端末、受信端末、無線装置、無線通信装置、車両、自律走行機能を有する車両、ドローン(Ｕｎｍａｎｎｅｄ Ａｅｒｉａｌ Ｖｅｈｉｃｌｅ，ＵＡＶ)、ＡＩ(Ａｒｔｉｆｉｃｉａｌ Ｉｎｔｅｌｌｉｇｅｎｃｅ)モジュール、ロボット、ＡＲ(Ａｕｇｍｅｎｔｅｄ Ｒｅａｌｉｔｙ)装置、ＶＲ(Ｖｉｒｔｕａｌ Ｒｅａｌｉｔｙ)装置、ＭＴＣ装置、ＩｏＴ装置、医療装置、フィンテック装置(又は金融装置)、セキュリティ装置、気候／環境装置又はその他の４次産業革命分野又は５Ｇサービスに関連する装置などである。例えば、ドローンは、人は搭乗せず、無線制御信号により飛行する飛行体である。例えば、ＭＴＣ装置及びＩｏＴ装置は、人の直接的な介入又は操作が不要な装置であって、スマートメーター、自動販売機、体温計、スマート電球、ドアロック、各種センサなどがある。例えば、医療装置は、疾病を診断、治療、軽減、処置又は予防するために使用される装置、構造又は機能を検査、代替又は変形するために使用される装置であって、診療用装備、手術用装置、(体外)診断用装置、補聴器、施術用装置などがある。例えば、セキュリティ装置は、発生する恐れのある危険を防止し、安全を維持するために設置した装置であって、カメラ、ＣＣＴＶ、ブラックボックスなどがある。例えば、フィンテック装置は、モバイル決済などの金融サービスを提供する装置であって、決済装置、ＰＯＳ(Ｐｏｉｎｔ ｏｆ Ｓａｌｅｓ)などがある。例えば、気候／環境装置は、気候／環境をモニタリング、予測する装置を意味する。
【０１４６】
また、送信端末及び受信端末は携帯電話、スマートフォン(Ｓｍａｒｔ  ｐｈｏｎｅ)、ラップトップ型ＰＣ(ｌａｐｔｏｐ  ｃｏｍｐｕｔｅｒ)、デジタル放送用端末器、ＰＤＡ(ｐｅｒｓｏｎａｌ  ｄｉｇｉｔａｌ  ａｓｓｉｓｔａｎｔｓ)、ＰＭＰ(ｐｏｒｔａｂｌｅ  ｍｕｌｔｉｍｅｄｉａ  ｐｌａｙｅｒ)、カーナビゲーション、スレートＰＣ(Ｓｌａｔｅ  ＰＣ)、タブレット型パソコン(ｔａｂｌｅｔ  ＰＣ)、ウルトラブック(ｕｌｔｒａｂｏｏｋ)、ウェアラブルデバイス(ｗｅａｒａｂｌｅ  Ｄｅｖｉｃｅ、例えば、スマートウオッチ(Ｓｍａｒｔｗａｔｃｈ)、グラス型端末器(Ｓｍａｒｔ  ｇｌａｓｓ)、ＨＭＤ(ｈｅａｄ  ｍｏｕｎｔｅｄ  ｄｉｓｐｌａｙ))、折り畳み式(ｆｏｌｄａｂｌｅ)デバイスなどを含む。例えば、ＨＭＤは頭部に装着する形態のディスプレー装置であって、ＶＲ又はＡＲの具現に使用される。
【０１４７】
図４を参照すると、本発明の実施例に係る端末及び／又は基地局は、デジタル信号プロセッサー(Ｄｉｇｉｔａｌ  Ｓｉｇｎａｌ  Ｐｒｏｃｅｓｓｏｒ；ＤＳＰ)又はマイクロプロセッサーのような少なくとも１つのプロセッサー１０、トランシーバー(Ｔｒａｎｓｃｅｉｖｅｒ)３５、電力管理モジュール５、アンテナ４０、バッテリー５５、ディスプレー１５、キーパッド２０、メモリ３０、加入者識別モジュール(ＳＩＭ)カード２５、スピーカー４５及びマイクロホン５０などを含む。また端末及び／又は基地局は単一アンテナ又は多重アンテナを含む。なお、トランシーバー３５はＲＦモジュール(ｒａｄｉｏ Ｆｒｅｑｕｅｎｃｙ ＭＯＤＵＬＥ)とも呼ばれる。
【０１４８】
プロセッサー１０は、図５乃至図１７に説明した機能、手順及び／又は方法を具現するように構成される。図５乃至図１７に説明した実施例のうちの少なくとも一部において、プロセッサー１０は無線インターフェースプロトコールの階層(例えば、機能階層(ｆｕｎｃｔｉｏｎａｌ ｌａｙｅｒｓ))のような１つ以上のプロトコールを具現する。
【０１４９】
メモリ３０は、プロセッサー１０に接続してプロセッサー１０の動作に関連する情報を記憶する。メモリ３０はプロセッサー１０の内部又は外部に位置し、有線又は無線通信のような様々な技術によりプロセッサーに接続する。
【０１５０】
ユーザはキーパッド２０のボタンを押すことにより又はマイクロホン５０を用いた音声活性化のような様々な技術により、様々な類型の情報(例えば、電話番号のような指示情報)を入力することができる。プロセッサー１０はユーザの情報を受信及び／又は処理し、電話番号をダイアルするような適切な機能を行う。
【０１５１】
また、上記適切な機能を行うために、ＳＩＭカード２５又はメモリ３０からデータ(例えば、操作データ)を検索することもできる。また、プロセッサー１０はＧＰＳチップからＧＰＳ情報を受信及び処理して車両ナビゲーション、マップサービスなどのような端末及び／又は基地局の位置情報を得るか、又は位置情報に関連する機能を行うことができる。また、プロセッサー１０はユーザの参照及び便宜のためにかかる様々な類型の情報及びデータをディスプレー１５上に表示することができる。
【０１５２】
トランシーバー３５はプロセッサー１０に接続してＲＦ(Ｒａｄｉｏ Ｆｒｅｑｕｅｎｃｙ)信号のような無線信号を送信及び／又は受信する。このとき、プロセッサー１０は通信を開始し、音声通信データのような様々な類型の情報又はデータを含む無線信号を送信するようにトランシーバー３５を制御する。トランシーバー３５は無線信号を受信する受信器及び送信する送信器を含む。アンテナ４０は無線信号の送信及び受信を容易にする。一部の実施例において、無線信号が受信されると、トランシーバー３５はプロセッサー１０による処理のために基底帯域周波数に信号をフォーワードして変換する。処理された信号は可聴又は読み取り可能な情報に変換されるなど様々な技術によって処理され、かかる信号はスピーカー４５により出力される。
【０１５３】
一部の実施例においてはセンサもプロセッサー１０に接続する。センサは速度、加速度、光、振動などを含む様々な類型の情報を検出するように構成された１つ以上の検知装置を含む。近接、位置、イメージなどのようにセンサから得られたセンサ情報をプロセッサー１０が受信して処理することにより、衝突回避、自律走行などの各種機能を行うことができる。
【０１５４】
一方、カメラ、ＵＳＢポートなどのような様々な構成要素が端末及び／又は基地局にさらに含まれる。例えば、カメラがプロセッサー１０にさらに接続することができ、かかるカメラは自律走行、車両安全サービスなどのような様々なサービスに用いられる。
【０１５５】
このように図４は端末及び／又は基地局を構成する装置の一実施例に過ぎず、これに限られない。例えば、キーパッド２０、ＧＰＳ(Ｇｌｏｂａｌ  Ｐｏｓｉｔｉｏｎｉｎｇ  Ｓｙｓｔｅｍ)チップ、センサ、スピーカー４５及び／又はマイクロホン５０のような一部の構成要素は、一部の実施例において端末及び／又は基地局の具現のために除外されることもできる。
【０１５６】
具体的に、本発明の実施例を具現するために、図４に示された無線通信装置が本発明の実施例に係る端末である場合の動作を説明する。無線通信装置が本発明の実施例に係る端末である場合、プロセッサー１０は、ＳＳ／ＰＢＣＨブロック（Ｓｙｎｃｈｒｏｎｉｚａｔｉｏｎ  Ｓｉｇｎａｌ／Ｐｈｙｓｉｃａｌ  Ｂｒｏａｄｃａｓｔ  Ｃｈａｎｎｅｌ  Ｂｌｏｃｋ）を受信するようにトランシーバー３５を制御し、ＳＳ／ＰＢＣＨブロックのＰＢＣＨに含まれたＭＩＢ（Ｍａｓｔｅｒ  Ｉｎｆｏｒｍａｔｉｏｎ  Ｂｌｏｃｋ）からＰＤＳＣＨ（Ｐｈｙｓｉｃａｌ  Ｄｏｗｎｌｉｎｋ  Ｓｈａｒｅｄ  Ｃｈａｎｎｅｌ）をスケジュールするＰＤＣＣＨ（Ｐｈｙｓｉｃａｌ  Ｄｏｗｎｌｉｎｋ  Ｃｏｎｔｒｏｌ  Ｃｈａｎｎｅｌ）のためのＣＯＲＥＳＥＴ（Ｃｏｎｔｒｏｌ  Ｒｅｓｏｕｒｃｅ  Ｓｅｔ）に関する情報を取得することができる。
【０１５７】
この後、プロセッサー１０は、第１のデフォールトモード（ｄｅｆａｕｌｔ  ｍｏｄｅ）に基づいて、ＣＯＲＥＳＥＴの検索空間（Ｓｅａｒｃｈ  Ｓｐａｃｅ）を介してＰＤＣＣＨ及びＤＭＲＳ（Ｄｅｍｏｄｕｌａｔｉｏｎ  Ｒｅｆｅｒｅｎｃｅ  Ｓｉｇｎａｌ）を受信するようにトランシーバー３５を制御することができる。このとき、第１のデフォールトモードに基づいてＤＭＲＳを受信する方法及び条件は、後述する条件１−１乃至条件１−２に基づくことができる。
【０１５８】
プロセッサー１０は、受信したＰＤＣＣＨから取得したＰＤＳＣＨのスケジューリング情報に従って、第２のデフォールトモードに基づいてＳＩＢ  １（Ｓｙｓｔｅｍ  Ｉｎｆｏｒｍａｔｉｏｎ  Ｂｌｏｃｋ  １）を運搬するＰＤＳＣＨ及びＰＤＳＣＨのためのＤＭＲＳを受信するようにトランシーバー３５を制御することができる。このとき、第２のデフォールトモードに基づいてＤＭＲＳを受信する方法及び条件は、後述する条件２−１乃至条件２−２に基づくことができる。
【０１５９】
また、プロセッサー１０は、ＳＩＢ１を受信したＵＥがＳＩＢ１を介して初期（ｉｎｉｔｉａｌ）ＢＷＰ（Ｂａｎｄｗｉｄｔｈ  Ｐａｒｔ）情報を取得することができ、初期ＢＷＰ情報に基づいてグループＴＰＣ情報を含むＤＣＩ（Ｄｏｗｎｌｉｎｋ  Ｃｏｎｔｒｏｌ  Ｉｎｆｏｒｍａｔｉｏｎ）を受信するようにトランシーバー１０を制御することができる。このとき、グループＴＰＣ情報を含むＤＣＩを生成する方法及び送受信する方法もまた、後述する方法１−１乃至方法１−３及び方法２−１乃至方法２−２に基づいて行うことができる。
【０１６０】
なお、本発明の実施例を具現するために、図１２に示された無線通信装置が本発明の実施例に係る基地局である場合、プロセッサー１０は、ＳＳ／ＰＢＣＨブロックを送信するようにトランシーバー３５を制御することができる。また、プロセッサー１０は、ＳＳ／ＰＢＣＨブロックのＰＢＣＨに含まれたＭＩＢを介して送信されたＣＯＲＥＳＥＴに関する情報に従って、第１のデフォールトモードに基づいてＰＤＣＣＨ及びそのＰＤＣＣＨのためのＤＭＲＳを送信するようにトランシーバー３５を制御することができる。このとき、第１のデフォールトモードに基づいてＤＭＲＳを生成及び送信する方法及び条件は、後述する条件１−１乃至条件１−２に基づくことができる。
【０１６１】
また、プロセッサー１０は、ＰＤＣＣＨに含まれたスケジューリング情報に従って、第２のデフォールトモードに基づいてＳＩＢ１を運搬するＰＤＳＣＨ及びそのＰＤＳＣＨのためのＤＭＲＳを送信するようにトランシーバー３５を制御することができる。このとき、第２のデフォールトモードに基づいてＤＭＲＳを生成及び送信する方法及び条件は、後述する条件２−１乃至条件２−２に基づくことができる。
【０１６２】
また、ＳＩＢ１を送信したプロセッサー１０は、ＳＩＢ１を介して初期（ｉｎｉｔｉａｌ）ＢＷＰ（Ｂａｎｄｗｉｄｔｈ  Ｐａｒｔ）情報を送信するようにトランシーバー３５を制御することができ、初期ＢＷＰ情報に基づいてグループＴＰＣ情報を含むＤＣＩ（Ｄｏｗｎｌｉｎｋ  Ｃｏｎｔｒｏｌ  Ｉｎｆｏｒｍａｔｉｏｎ）を送信するようにトランシーバー３５を制御することができる。このとき、グループＴＰＣ情報を含むＤＣＩを生成する方法及び送受信する方法もまた、後述する方法１−１乃至方法１−３及び方法２−１乃至方法２−２に基づいて行うことができる。
【０１６３】
図５は、３ＧＰＰ無線接続網の規格に基づく端末とＥ−ＵＴＲＡＮの間の無線インターフェースプロトコルの制御プレーン（Ｃｏｎｔｒｏｌ  Ｐｌａｎｅ）及びユーザプレーン（Ｕｓｅｒ  Ｐｌａｎｅ）の構造を示す図である。制御プレーンは端末（Ｕｓｅｒ  Ｅｑｕｉｐｍｅｎｔ；ＵＥ）とネットワークがコールを管理するために用いる制御メッセージが送信される通路を意味する。ユーザプレーンはアプリケーション層で生成されたデータ、例えば、音声データ又はインターネットパケットデータなどが送信される通路を意味する。
【０１６４】
第１の層である物理層は、物理チャンネル（Ｐｈｙｓｉｃａｌ  Ｃｈａｎｎｅｌ）を用いて上位層に情報送信サービス（Ｉｎｆｏｒｍａｔｉｏｎ  Ｔｒａｎｓｆｅｒ  Ｓｅｒｖｉｃｅ）を提供する。物理層は上位にある媒体接続制御（Ｍｅｄｉｕｍ  Ａｃｃｅｓｓ  Ｃｏｎｔｒｏｌ）層とは送信チャンネル（Ｔｒａｎｓｐｏｒｔ  Ｃｈａｎｎｅｌ）を介して連結される。この送信チャンネルを介して媒体接続制御層と物理層の間でデータが移動する。送信側と受信側の物理層の間では物理チャンネルを介してデータが移動する。物理チャンネルは時間と周波数を無線リソースとして活用する。具体的には、物理チャンネルは、下りリンクにおいて、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ）方式で変調され、上りリンクにおいては、ＳＣ−ＦＤＭＡ（Ｓｉｎｇｌｅ  Ｃａｒｒｉｅｒ  Ｆｒｅｑｕｅｎｃｙ  Ｄｉｖｉｓｉｏｎ  Ｍｕｌｔｉｐｌｅ  Ａｃｃｅｓｓ）方式で変調される。
【０１６５】
第２の層である媒体接続制御（Ｍｅｄｉｕｍ  Ａｃｃｅｓｓ  Ｃｏｎｔｒｏｌ；ＭＡＣ）層は、論理チャンネル（Ｌｏｇｉｃａｌ  Ｃｈａｎｎｅｌ）を介して上位層である無線リンク制御（Ｒａｄｉｏ  Ｌｉｎｋ  Ｃｏｎｔｒｏｌ；ＲＬＣ）層にサービスを提供する。第２の層のＲＬＣ層は信頼性のあるデータ送信を支援する。ＲＬＣ層の機能はＭＡＣ内部の機能ブロックにより具現できる。第２の層のＰＤＣＰ層は帯域幅が狭い無線インターフェースにおいてＩＰｖ４或いはＩＰｖ６のようなＩＰパケットを効率的に送信するために不要な制御情報を減らすヘッダ圧縮（Ｈｅａｄｅｒ  Ｃｏｍｐｒｅｓｓｉｏｎ）の機能を果たす。
【０１６６】
第３の層である最下部に位置する無線リソース制御（Ｒａｄｉｏ  Ｒｅｓｏｕｒｃｅ  Ｃｏｎｔｒｏｌ；ＲＲＣ）層は、制御プレーンでのみ定義される。ＲＲＣ層は無線ベアラ（Ｒａｄｉｏ  Ｂｅａｒｅｒ）の設定（ｃｏｎｆｉｇｕｒａｔｉｏｎ）、再設定（ｒｅ−ｃｏｎｆｉｇｕｒａｔｉｏｎ）及び解除（ｒｅｌｅａｓｅ）に関連して論理チャンネル、送信チャンネル及び物理チャンネルの制御を担当する。無線ベアラは端末とネットワークの間のデータ伝達のために第２の層により提供されるサービスを意味する。このために、端末とネットワークのＲＲＣ層は互いにＲＲＣメッセージを交換する。端末とネットワークのＲＲＣ層の間にＲＲＣ連結（ＲＲＣ  Ｃｏｎｎｅｃｔｅｄ）がある場合、端末はＲＲＣ連結状態（Ｃｏｎｎｅｃｔｅｄ  Ｍｏｄｅ）であり、そうではない場合はＲＲＣ休止状態（Ｉｄｌｅ  Ｍｏｄｅ）である。ＲＲＣ層の上位にあるＮＡＳ（Ｎｏｎ−Ａｃｃｅｓｓ  Ｓｔｒａｔｕｍ）層は、セッション管理（Ｓｅｓｓｉｏｎ  Ｍａｎａｇｅｍｅｎｔ）と移動性管理（Ｍｏｂｉｌｉｔｙ  Ｍａｎａｇｅｍｅｎｔ）などの機能を果たす。
【０１６７】
ネットワークから端末にデータを送信する下り送信チャンネルとしては、システム情報を送信するＢＣＨ（Ｂｒｏａｄｃａｓｔ  Ｃｈａｎｎｅｌ）、ページングメッセージを送信するＰＣＨ（Ｐａｇｉｎｇ  Ｃｈａｎｎｅｌ）、ユーザトラフィックや制御メッセージを送信する下りＳＣＨ（Ｓｈａｒｅｄ  Ｃｈａｎｎｅｌ）などがある。下りマルチキャスト又は放送サービスのトラフィック又は制御メッセージの場合、下りＳＣＨを介して送信され、又は別の下りＭＣＨ（Ｍｕｌｔｉｃａｓｔ  Ｃｈａｎｎｅｌ）を介して送信されることができる。なお、端末からネットワークにデータを送信する上り送信チャンネルとしては、初期制御メッセージを送信するＲＡＣＨ（Ｒａｎｄｏｍ  Ａｃｃｅｓｓ  Ｃｈａｎｎｅｌ）、ユーザトラフィックや制御メッセージを送信する上りＳＣＨ（Ｓｈａｒｅｄ  Ｃｈａｎｎｅｌ）がある。送信チャンネルの上位にありかつ送信チャンネルにマッピングされる論理チャンネル（Ｌｏｇｉｃａｌ  Ｃｈａｎｎｅｌ）としては、ＢＣＣＨ（Ｂｒｏａｄｃａｓｔ  Ｃｏｎｔｒｏｌ  Ｃｈａｎｎｅｌ）、ＰＣＣＨ（Ｐａｇｉｎｇ  Ｃｏｎｔｒｏｌ  Ｃｈａｎｎｅｌ）、ＣＣＣＨ（Ｃｏｍｍｏｎ  Ｃｏｎｔｒｏｌ  Ｃｈａｎｎｅｌ）、ＭＣＣＨ（Ｍｕｌｔｉｃａｓｔ  Ｃｏｎｔｒｏｌ  Ｃｈａｎｎｅｌ）、ＭＴＣＨ（Ｍｕｌｔｉｃａｓｔ  Ｔｒａｆｆｉｃ  Ｃｈａｎｎｅｌ）などがある。
【０１６８】
一方、ＮＲシステムは、広い周波数帯域を用いて、多数のユーザに高い送信率を維持しながらデータを送信するために、高い超高周波帯域、すなわち、６ＧＨｚ以上のミリメータ周波数帯域を用いて方案を考慮している。３ＧＰＰでは、これをＮＲと称し、以下、本発明ではＮＲシステムと称する。
【０１６９】
図６は、ＳＳＢ構造を例示する。端末は、ＳＳＢに基づいてセル探索（ｓｅａｒｃｈ）、システム情報取得、初期接続のためのビーム整列、ＤＬ測定などを行うことができる。ＳＳＢは、ＳＳ／ＰＢＣＨ（Ｓｙｎｃｈｒｏｎｉｚａｔｉｏｎ  Ｓｉｇｎａｌ／Ｐｈｙｓｉｃａｌ  Ｂｒｏａｄｃａｓｔ  ｃｈａｎｎｅｌ）ブロックと混用できる。
【０１７０】
図６を参照すると、ＳＳＢは、ＰＳＳ、ＳＳＳ及びＰＢＣＨからなる。ＳＳＢは、４個の連続したＯＦＤＭシンボルに構成され、ＯＦＤＭシンボルごとに、ＰＳＳ、ＰＢＣＨ、ＳＳＳ／ＰＢＣＨ及びＰＢＣＨが送信される。ＰＳＳ及びＳＳＳはそれぞれ、１個のＯＦＤＭシンボルと１２７個の副搬送波からなり、ＰＢＣＨは、３個のＯＦＤＭシンボルと５７６個の副搬送波からなる。ＰＢＣＨにはポーラーコーディング及びＱＰＳＫ（Ｑｕａｄｒａｔｕｒｅ  Ｐｈａｓｅ  Ｓｈｉｆｔ  Ｋｅｙｉｎｇ）が適用される。ＰＢＣＨは、ＯＦＤＭシンボルごとに、データＲＥとＤＭＲＳ（Ｄｅｍｏｄｕｌａｔｉｏｎ  Ｒｅｆｅｒｅｎｃｅ  Ｓｉｇｎａｌ）ＲＥからなる。ＲＢごとに３個のＤＭＲＳ  ＲＥが存在し、ＤＭＲＳ  ＲＥ間には３個のデータＲＥが存在する。
【０１７１】
セル探索は、端末がセルの時間／周波数同期を取得し、このセルのセルＩＤ（Ｉｄｅｎｔｉｆｉｅｒ）（例えば、Ｐｈｙｓｉｃａｌ  ｌａｙｅｒ  Ｃｅｌｌ  ＩＤ，ＰＣＩＤ）を検出する過程を意味する。ＰＳＳは、セルＩＤグループ内においてセルＩＤを検出するのに用いられ、ＳＳＳは、セルＩＤグループを検出するのに用いられる。ＰＢＣＨは、ＳＳＢ（時間）インデックス検出及びハーフ−フレームの検出に用いられる。
【０１７２】
端末のセル探索過程は、下記の表１のようにまとめられる。
【０１７３】
【表１】
2020532890.tif 000003
【０１７４】
３３６個のセルＩＤグループが存在し、セルＩＤグループごとに３個のセルＩＤが存在する。全１００８個のセルＩＤが存在する。セルのセルＩＤが属するセルＩＤグループに関する情報は、セルのＳＳＳを介して提供／取得され、セルＩＤ内の３３６個のセルのうちのセルＩＤに関する情報はＰＳＳを介して提供／取得される。
【０１７５】
図７は、ＳＳＢ送信を例示する。図８を参照すると、ＳＳＢは、ＳＳＢ周期（ｐｅｒｉｏｄｉｃｉｔｙ）に合わせて周期的に送信される。初期セル探索時に端末が仮定するＳＳＢ基本周期は、２０ｍｓと定義される。セル接続の後、ＳＳＢ周期は、ネットワーク（例えば、基地局）によって[５ｍｓ，１０ｍｓ，２０ｍｓ，４０ｍｓ，８０ｍｓ，１６０ｍｓ]のいずれか１つに設定される。ＳＳＢ周期の開始部にＳＳＢバースト（ｂｕｒｓｔ）セットが構成される。ＳＳＢバーストセットは、５ｍｓ時間ウィンドー（すなわち、ハーフ−フレーム）で構成され、ＳＳＢは、ＳＳバーストセット内において最大Ｌ回送信できる。ＳＳＢの最大送信回数Ｌは、搬送波の周波数帯域に応じて、以下のように与えられる。１個のスロットは、最大２個のＳＳＢを含む。
【０１７６】
-  Ｆｏｒ  ｆｒｅｑｕｅｎｃｙ  ｒａｎｇｅ  ｕｐ  ｔｏ  ３ＧＨｚ，Ｌ＝４
【０１７７】
-  Ｆｏｒ  ｆｒｅｑｕｅｎｃｙ  ｒａｎｇｅ  ｆｒｏｍ  ３ＧＨｚ  ｔｏ  ６ＧＨｚ，Ｌ＝８
【０１７８】
-  Ｆｏｒ  ｆｒｅｑｕｅｎｃｙ  ｒａｎｇｅ  ｆｒｏｍ  ６ＧＨｚ  ｔｏ  ５２．６ＧＨｚ，Ｌ＝６４
【０１７９】
ＳＳバーストセット内においてＳＳＢ候補の時間位置は、ＳＣＳに応じて、以下のように定義される。ＳＳＢ候補の時間位置は、ＳＳＢバーストセット（すなわち、ハーフ−フレーム）内において、時間順に従って０〜Ｌ−１とインデックスされる（ＳＳＢインデックス）。
【０１８０】
-  Ｃａｓｅ  Ａ−１５ｋＨｚ  ＳＣＳ：候補ＳＳＢの開始シンボルのインデックスは、[２，８]＋１４＊ｎで与えられる。搬送波周波数が３ＧＨｚ以下の場合、ｎ＝０，１である。搬送波周波数が３ＧＨｚ〜６ＧＨｚである場合、ｎ＝０，１，２，３である。
【０１８１】
-  Ｃａｓｅ  Ｂ−３０ｋＨｚ  ＳＣＳ：候補ＳＳＢの開始シンボルのインデックスは、[４，８，１６，２０]＋２８＊ｎで与えられる。搬送波周波数が３ＧＨｚ以下の場合、ｎ＝０である。搬送波周波数が３ＧＨｚ〜６ＧＨｚである場合、ｎ＝０，１である。
【０１８２】
-  Ｃａｓｅ  Ｃ−３０ｋＨｚ  ＳＣＳ：候補ＳＳＢの開始シンボルのインデックスは、[２，８]＋１４＊ｎで与えられる。搬送波周波数が３ＧＨｚ以下の場合、ｎ＝０，１である。搬送波周波数が３ＧＨｚ〜６ＧＨｚである場合、ｎ＝０，１，２，３である。
【０１８３】
-  Ｃａｓｅ  Ｄ−１２０ｋＨｚ  ＳＣＳ：候補ＳＳＢの開始シンボルのインデックスは、[４，８，１６，２０]＋２８＊ｎで与えられる。搬送波周波数が６ＧＨｚより大きい場合、ｎ＝０，１，２，３，５，６，７，８，１０，１１，１２，１３，１５，１６，１７，１８である。
【０１８４】
-  Ｃａｓｅ  Ｅ−２４０ｋＨｚ  ＳＣＳ：候補ＳＳＢの開始シンボルのインデックスは、[８，１２，１６，２０，３２，３６，４０，４４]＋５６＊ｎで与えられる。搬送波周波数が６ＧＨｚより大きい場合、ｎ＝０，１，２，３，５，６，７，８である。
【０１８５】
ＵＥの任意接続過程は、表２及び図８のようにまとめられる。
【０１８６】
【表２】
2020532890.tif 000004
【０１８７】
任意接続過程は、様々な用途として用いられる。例えば、任意接続過程は、ネットワーク初期接続、ハンドオーバー、ＵＥ−トリガー（ｔｒｉｇｇｅｒｅｄ）ＵＬデータ送信に用いられる。ＵＥは任意接続過程を介してＵＬ同期とＵＬ送信リソースを取得することができる。任意接続過程は、競合基盤（ｃｏｎｔｅｎｔｉｏｎ−ｂａｓｅｄ）の任意接続過程と、無競合（ｃｏｎｔｅｎｔｉｏｎ  ｆｒｅｅ）の任意接続過程とに区分できる。図８は、任意接続過程の一例を示す。特に、図Ｇ１は、競合基盤の任意接続過程を例示する。
【０１８８】
先ず、ＵＥがＵＬにおいて任意接続過程のＭｓｇ１として任意接続プリアンブルをＰＲＡＣＨを介して送信することができる。
【０１８９】
互いに異なる長さの任意接続プリアンブルシーケンスが支援される。長いシーケンス長さ８３９は、１．２５及び５ｋＨｚの副搬送波間隔（ｓｕｂｃａｒｒｉｅｒ  ｓｐａｃｉｎｇ）に対して適用され、短いシーケンス長さ１３９は、１５、３０、６０及び１２０ｋＨｚの副搬送波間隔に対して適用される。
【０１９０】
多数のプリアンブルフォーマットが１つ又はそれ以上のＲＡＣＨ  ＯＦＤＭシンボル及び互いに異なる循環前置（ｃｙｃｌｉｃ  ｐｒｅｆｉｘ）（及び／又はガードタイム（ｇｕａｒｄ  ｔｉｍｅ））によって定義される。セルのためのＲＡＣＨ設定（ｃｏｎｆｉｇｕｒａｔｉｏｎ）が前記セルのシステム情報に含まれてＵＥへ提供される。ＲＡＣＨ設定は、ＰＲＡＣＨの副搬送波間隔、利用可能なプリアンブル、プリアンブルフォーマットなどに関する情報を含む。ＲＡＣＨ設定は、ＳＳＢとＲＡＣＨ（時間−周波数）リソース間の関連情報を含む。ＵＥは、検出した、或いは選択したＳＳＢと関連するＲＡＣＨ時間−周波数リソースにおいて任意接続プリアンブルを送信する。
【０１９１】
ＲＡＣＨリソース関連のためのＳＳＢの閾値がネットワークによって設定され、ＳＳＢに基づいて測定された参照信号受信電力（ｒｅｆｅｒｅｎｃｅ  ｓｉｇｎａｌ  ｒｅｃｅｉｖｅｄ  ｐｏｗｅｒ，ＲＳＲＰ）が前記閾値を満たすＳＳＢに基づいてＲＡＣＨプリアンブルの送信又は再送信が行われる。例えば、ＵＥは、閾値を満たすＳＳＢのうちの１つを選択し、選択したＳＳＢに関連するＲＡＣＨリソースに基づいてＲＡＣＨプリアンブルを送信又は再送信することができる。
【０１９２】
ＢＳがＵＥから任意接続プリアンブルを受信すると、ＢＳは任意接続応答（ｒａｎｄｏｍ  ａｃｃｅｓｓ  ｒｅｓｐｏｎｓｅ，ＲＡＲ）メッセージ（Ｍｓｇ２）をＵＥへ送信する。ＲＡＲを運ぶＰＤＳＣＨをスケジュールするＰＤＣＣＨは、任意接続（ｒａｎｄｏｍ  ａｃｃｅｓｓ，ＲＡ）無線ネットワーク仮の識別子（ｒａｄｉｏ  ｎｅｔｗｏｒｋ  ｔｅｍｐｏｒａｒｙ  ｉｄｅｎｔｉｆｉｅｒ，ＲＮＴＩ）（ＲＡ−ＲＮＴＩ）でＣＲＣマスクされて送信される。ＲＡ−ＲＮＴＩでマスクされたＰＤＣＣＨを検出したＵＥは、ＰＤＣＣＨが運ぶＤＣＩがスケジュールするＰＤＳＣＨからＲＡＲを受信することができる。ＵＥは送信したプリアンブル、すなわち、Ｍｓｇ１に対する任意接続応答情報がＲＡＲ内にあるか否かを確認する。ＵＥが送信したＭｓｇ１に対する任意接続情報の存否は、ＵＥが送信したプリアンブルに対する任意接続プリアンブルＩＤの存否によって判断することができる。Ｍｓｇ１に対する応答がなければ、ＵＥは電力ランピング（ｐｏｗｅｒ  ｒａｍｐｉｎｇ）を行いながら、ＲＡＣＨプリアンブルを所定回数内に再送信することができる。ＵＥは最近のパスロス及び電力ランピングカウンターに基づいてプリアンブルの再送信に対するＰＲＡＣＨ送信電力を算出する。
【０１９３】
任意接続応答情報は、ＵＬ同期化のためのタイミングアドバンス情報、ＵＬグラント及びＵＥ  仮のＵＥがＰＤＳＣＨ上で自身に対する任意接続応答情報を受信すると、ＵＥは、ＵＬ同期化のためのタイミングアドバンス（ｔｉｍｉｎｇ  ａｄｖａｎｃｅ）情報、初期ＵＬグラント、ＵＥ仮の（ｔｅｍｐｏｒａｒｙ）セルＲＮＴＩ（ｃｅｌｌ  ＲＮＴＩ，Ｃ−ＲＮＴＩ）が分かる。タイミングアドバンス情報は、上りリンク信号送信タイミングの制御に用いられる。ＵＥによるＰＵＳＣＨ／ＰＵＣＣＨ送信をネットワーク端においてサブフレームタイミングとより良好に整列（ａｌｉｇｎ）させるために、ネットワーク（例えば、ＢＳ）は、ＰＵＳＣＨ／ＰＵＣＣＨ／ＳＲＳ受信及びサブフレーム間の時間差を測定し、それに基づいてタイミングアドバンス情報を送ることができる。ＵＥは、任意接続応答情報に基づいて、上りリンク共有チャンネル上でＵＬ送信を任意接続過程のＭｓｇ３として送信することができる。Ｍｓｇ３は、ＲＲＣ接続要請及びＵＥ識別子を含んでもよい。Ｍｓｇ３に対する応答として、ネットワークはＭｓｇ４を送信することができ、これはＤＬ上における競合解決メッセージとして取り扱われてもよい。Ｍｓｇ４を受信することで、ＵＥはＲＲＣ接続された状態に進入することができる。
【０１９４】
一方、無競合の任意接続過程は、ＵＥが他のセル又はＢＳにハンドオーバーする過程で用いるか、ＢＳの命令によって要請される場合に行われる。無競合の任意接続過程の基本過程は、競合基盤の任意接続過程と類似する。但し、ＵＥが複数の任意接続プリアンブルのうち、使用するプリアンブルを任意に選択する競合基盤の任意接続過程とは異なり、無競合の任意接続過程の場合、ＵＥが使用するプリアンブル（以下、専用の任意接続プリアンブル）がＢＳによってＵＥに割り当てられる。専用の任意接続プリアンブルに関する情報は、ＲＲＣメッセージ（例えば、ハンドオーバー命令）に含まれるか、ＰＤＣＣＨオーダー（ｏｒｄｅｒ）によってＵＥに提供される。任意接続過程を開始すると、ＵＥは専用の任意接続プリアンブルをＢＳに送信する。ＵＥがＢＳから任意接続過程を受信すると、任意接続過程は完了（ｃｏｍｐｌｅｔｅ）する。
【０１９５】
上述のように、ＲＡＲ内のＵＬグラントは、ＵＥにＰＵＳＣＨ送信をスケジュールする。ＲＡＲ内のＵＬグラントによる初期ＵＬ送信を運ぶＰＵＳＣＨは、Ｍｓｇ３  ＰＵＳＣＨとも称する。ＲＡＲ  ＵＬグラントのコンテンツは、ＭＳＢから開始してＬＳＢで終了し、表３のように与えられる。
【０１９６】
【表３】
2020532890.tif 000005
【０１９７】
ＴＰＣ命令は、Ｍｓｇ３  ＰＵＳＣＨの送信電力の決定に用いられ、例えば、表４のように与えられる。
【０１９８】
【表４】
2020532890.tif 000006
【０１９９】
無競合の任意接続過程において、ＲＡＲ  ＵＬグラント内のＣＳＩ要請フィールドは、ＵＥが非周期的ＣＳＩ報告を該当ＰＵＳＣＨ送信に含ませるか否かを指示する。Ｍｓｇ３  ＰＵＳＣＨ送信のための副搬送波間隔はＲＲＣパラメータによって提供される。ＵＥは、同一のサービス提供セルの同一の上りリンク搬送波上でＰＲＡＣＨ及びＭｓｇ３  ＰＵＳＣＨを送信することになる。Ｍｓｇ３  ＰＵＳＣＨ送信のためのＵＬ  ＢＷＰは、ＳＩＢ１（ＳｙｓｔｅｍＩｎｆｏｒｍａｔｉｏｎＢｌｏｃｋ１）によって指示される。
【０２００】
下りリンクチャンネル構造
【０２０１】
基地局は、後述する下りリンクチャンネルを介して、関連信号を端末へ送信し、端末は、後述する下りリンクチャンネルを介して、関連信号を基地局から受信する。
【０２０２】
（１）物理下りリンク共有チャンネル（ＰＤＳＣＨ）
【０２０３】
ＰＤＳＣＨは、下りリンクデータ（例えば、ＤＬ−ｓｈａｒｅｄ  ｃｈａｎｎｅｌ  ｔｒａｎｓｐｏｒｔ  ｂｌｏｃｋ，ＤＬ−ＳＣＨ  ＴＢ）を運搬し、ＱＰＳＫ（Ｑｕａｄｒａｔｕｒｅ  Ｐｈａｓｅ  Ｓｈｉｆｔ  Ｋｅｙｉｎｇ）、１６ＱＡＭ（Ｑｕａｄｒａｔｕｒｅ  Ａｍｐｌｉｔｕｄｅ  Ｍｏｄｕｌａｔｉｏｎ）、６４ＱＡＭ、２５６ＱＡＭなどの変調方法が適用される。ＴＢをエンコードし、コードワード（ｃｏｄｅｗｏｒｄ）を生成する。ＰＤＳＣＨは、最大２個のコードワードを運ぶことができる。各コードワード（ｃｏｄｅｗｏｒｄ）ごとにスクランブリング（ｓｃｒａｍｂｌｉｎｇ）及び変調マッピング（ｍｏｄｕｌａｔｉｏｎ  ｍａｐｐｉｎｇ）が行われ、各コードワードから生成された変調シンボルは１つ以上のレイヤにマップされる（Ｌａｙｅｒ  ｍａｐｐｉｎｇ）。各レイヤは、ＤＭＲＳ（Ｄｅｍｏｄｕｌａｔｉｏｎ  Ｒｅｆｅｒｅｎｃｅ  Ｓｉｇｎａｌ）と共にリソースにマップされて、ＯＦＤＭシンボル信号として生成され、該当アンテナポートを介して送信される。
【０２０４】
（２）物理下りリンク制御チャンネル（ＰＤＣＣＨ）
【０２０５】
ＰＤＣＣＨは、下りリンク制御情報（ＤＣＩ）を運搬し、ＱＰＳＫ変調方法が適用される。１つのＰＤＣＣＨは、ＡＬ（Ａｇｇｒｅｇａｔｉｏｎ  Ｌｅｖｅｌ）に応じて、１、２、４、８、１６個のＣＣＥ（Ｃｏｎｔｒｏｌ  Ｃｈａｎｎｅｌ  Ｅｌｅｍｅｎｔ）から構成される。１個のＣＣＥは、６個のＲＥＧ（Ｒｅｓｏｕｒｃｅ  Ｅｌｅｍｅｎｔ  Ｇｒｏｕｐ）から構成される。１個のＲＥＧは、１個のＯＦＤＭシンボルと１個の（Ｐ）ＲＢで定義される。
【０２０６】
図９は、１つのＲＥＧ構造を例示する。図６において、ＤはＤＣＩがマップされるリソース要素(ＲＥ)を示し、ＲはＤＭＲＳがマップされるＲＥを示す。ＤＭＲＳは１つのシンボル内の周波数ドメイン方向に、ＲＥ＃１、ＲＥ＃５及びＲＥ＃９にマップされる。
【０２０７】
ＰＤＣＣＨは制御リソースセット(Ｃｏｎｔｒｏｌ Ｒｅｓｏｕｒｃｅ Ｓｅｔ，ＣＯＲＥＳＥＴ)により送信される。ＣＯＲＥＳＥＴは与えられたニューマロロジー(例えば、ＳＣＳ、ＣＰ長さなど)を有するＲＥＧセットで定義される。１つの端末のための複数のＯＣＲＥＳＥＴは、時間／周波数ドメインで重畳することもできる。ＣＯＲＥＳＥＴはシステム情報(例えば、ＭＩＢ)又は端末−特定(ＵＥ−ｓｐｅｃｉｆｉｃ)の上位層(例えば、Ｒａｄｉｏ Ｒｅｓｏｕｒｃｅ Ｃｏｎｔｒｏｌ，ＲＲＣ，ｌａｙｅｒ)シグナリングにより設定される。具体的には、ＣＯＲＥＳＥＴを構成するＲＢの数及びシンボルの数(最大３つ)が上位層シグナリングにより設定される。
【０２０８】
各ＣＯＲＥＳＥＴのための周波数ドメイン内のプリコーディング粒度(ｐｒｅｃｏｄｅｒ ｇｒａｎｕｌａｒｉｔｙ)は上位層シグナリングにより以下のうちのいずれか１つに設定される：
【０２０９】
−ｓａｍｅＡｓＲＥＧ−ｂｕｎｄｌｅ：周波数ドメイン内のＲＥＧバンドルのサイズと同一である。
【０２１０】
−ａｌｌＣｏｎｔｉｇｕｏｕｓＲＢｓ：ＣＯＲＥＳＥＴ内の周波数ドメイン内に連続するＲＢの数と同数である。
【０２１１】
ＣＯＲＥＳＥＴ内のＲＥＧは、時間−優先マッピング方式(ｔｉｍｅ−ｆｉｒｓｔ  ｍａｐｐｉｎｇ  ｍａｎｎｅｒ)に基づいて番号付けされる。即ち、ＲＥＧはＣＯＲＥＳＥＴ内において最低の番号に番号付けされたリソースブロック内の１番目のＯＦＤＭシンボルから開始して、０から順に番号付けされる。
【０２１２】
ＣＣＥにおいて、ＲＥＧへのマッピングタイプは、非−インターリーブされたＣＣＥ−ＲＥＧマッピングタイプ又はインターリーブされたＣＣＥ−ＲＥＧマッピングタイプのうちの１つに設定される。図１０(ａ)は非−インターリーブされたＣＣＥ−ＲＥＧマッピングタイプを、図１０(ｂ)はインターリーブされたＣＣＥ−ＲＥＧマッピングタイプを例示する。
【０２１３】
−非−インターリーブされた(ｎｏｎ−ｉｎｔｅｒｌｅａｖｅｄ)ＣＣＥ−ＲＥＧマッピングタイプ(又はｌｏｃａｌｉｚｅｄマッピングタイプ)：与えられたＣＣＥのための６ＲＥＧは１つのＲＥＧバンドルを構成し、与えられたＣＣＥのための全てのＲＥＧは連続する。１つのＲＥＧバンドルは１つのＣＣＥに対応する。
【０２１４】
−インターリーブされた(ｉｎｔｅｒｌｅａｖｅｄ)ＣＣＥ−ＲＥＧマッピングタイプ(又はＤｉｓｔｒｉｂｕｔｅｄマッピングタイプ)：与えられたＣＣＥのための２，３又は６ＲＥＧは１つのＲＥＧバンドルを構成し、ＲＥＧバンドルはＣＯＲＥＳＥＴ内でインターリーブされる。１つのＯＦＤＭシンボル又は２つのＯＦＤＭシンボルで構成されたＣＯＲＥＳＥＴ内のＲＥＧバンドルは２又は６のＲＥＧで構成され、３つのＯＦＤＭシンボルで構成されたＣＯＲＥＳＥＴ内のＲＥＧバンドルは３又は６ＲＥＧで構成される。ＲＥＧバンドルのサイズはＣＯＲＥＳＥＴごとに設定される。
【０２１５】
図１１は、ブロックインターリーバを例示する。上記のようなインターリーブ動作のための(ブロック)インターリーバの行(ｒｏｗ)の数(Ａ)は２，３，６の１つに設定される。与えられたＣＯＲＥＳＥＴのためのインターリービング単位(ｉｎｔｅｒｌｅａｖｉｎｇ ｕｎｉｔ)の数がＰである場合、ブロックインターリーバの列(ｃｏｌｕｍｎ)の数はＰ／Ａである。ブロックインターリーバに対する書き込み(ｗｒｉｔｅ)動作は、図１１のように行−優先(ｒｏｗ−ｆｉｒｓｔ)方向に行われ、読み取り(ｒｅａｄ)動作は、列−優先(ｃｏｌｕｍｎ−ｆｉｒｓｔ)方向に行われる。インターリービング単位の循環シフト(ＣＳ)は、ＤＭＲＳのために設定可能なＩＤと独立して設定可能なｉｄに基づいて適用される。
【０２１６】
端末はＰＤＣＣＨ候補のセットに対するデコーディング(いわゆる、ブラインドデジーティング)を行ってＰＤＣＣＨを介して送信されるＤＣＩを得る。端末がデコードするＰＤＣＣＨ候補のセットをＰＤＣＣＨ検索空間(Ｓｅａｒｃｈ  Ｓｐａｃｅ)セットと定義する。検索空間セットは共通検索空間(ｃｏｍｍｏｎ ｓｅａｒｃｈ  ｓｐａｃｅ)又は端末−特定の検索空間(ＵＥ−ｓｐｅｃｉｆｉｃ ｓｅａｒｃｈ  ｓｐａｃｅ)であることができる。端末はＭＩＢ又は上位層シグナリングにより設定された１つ以上の検索空間セット内のＰＤＣＣＨ候補をモニタリングしてＤＣＩを得ることができる。各ＣＯＲＥＳＥＴ設定は１つ以上の検索空間セットに連関し(ａｓｓｏｃｉａｔｅｄ  ｗｉｔｈ)、各検索空間セットは１つのＣＯＲＥＳＴ設定に連関する。１つの検索空間セットは以下のパラメータに基づいて決定される。
【０２１７】
−ｃｏｎｔｒｏｌＲｅｓｏｕｒｃｅＳｅｔＩｄ：検索空間セットに関連する制御リソースセットを示す。
【０２１８】
−ｍｏｎｉｔｏｒｉｎｇＳｌｏｔＰｅｒｉｏｄｉｃｉｔｙＡｎｄＯｆｆｓｅｔ：ＰＤＣＣＨモニタリング周期区間(スロット単位)及びＰＤＣＣＨモニタリング区間オフセット(スロット単位)を示す。
【０２１９】
−ｍｏｎｉｔｏｒｉｎｇＳｙｍｂｏｌｓＷｉｔｈｉｎＳｌｏｔ：ＰＤＣＣＨモニタリングのためのスロット内のＰＤＣＣＨモニタリングパターンを示す(例えば、制御リソースセットの１番目のシンボルを示す)。
【０２２０】
−ｎｒｏｆＣａｎｄｉｄａｔｅｓ：ＡＬ＝[１、２、４、８、１６]ごとのＰＤＣＣＨ候補の数(０、１、２、３、４、５、６、８のうちの１つ)を示す。
【０２２１】
表５は、各々の検索空間タイプの特徴を例示する。
【０２２２】
【表５】
2020532890.tif 000007
【０２２３】
表６は、ＰＤＣＣＨを介して送信されるＤＣＩフォーマットを例示する。
【０２２４】
【表６】
2020532890.tif 000008
【０２２５】
ＤＣＩ  ｆｏｒｍａｔ  ０＿０はＴＢ−基盤(又はＴＢ−ｌｅｖｅｌ)のＰＵＳＣＨをスケジュールするために使用され、ＤＣＩ  ｆｏｒｍａｔ  ０＿１はＴＢ−基盤(又はＴＢ−ｌｅｖｅｌ)のＰＵＳＣＨ又はＣＢＧ(Ｃｏｄｅ  Ｂｌｏｃｋ  Ｇｒｏｕｐ)−基盤(又はＣＢＧ−ｌｅｖｅｌ)のＰＵＳＣＨをスケジュールするために使用される。ＤＣＩ  ｆｏｒｍａｔ  １＿０はＴＢ−基盤(又はＴＢ−ｌｅｖｅｌ)のＰＤＳＣＨをスケジュールするために使用され、ＤＣＩ  ｆｏｒｍａｔ  １＿１はＴＢ−基盤(又はＴＢ−ｌｅｖｅｌ)のＰＤＳＣＨ又はＣＢＧ−基盤(又はＣＢＧ−ｌｅｖｅｌ)のＰＤＳＣＨをスケジュールするために使用される。ＤＣＩ  ｆｏｒｍａｔ  ２＿０は動的スロットフォーマット情報(例えば、ｄｙｎａｍｉｃ  ＳＦＩ)を端末に伝達するために使用され、ＤＣＩ  ｆｏｒｍａｔ  ２＿１は下りリンク先制(ｐｒｅ−Ｅｍｐｔｉｏｎ)情報を端末に伝達するために使用される。ＤＣＩ  ｆｏｒｍａｔ  ２＿０及び／又はＤＣＩ  ｆｏｒｍａｔ  ２＿１は１つのグループで定義された端末に伝達されるＰＤＣＣＨであるグループ共通ＰＤＣＣＨ(Ｇｒｏｕｐ  Ｃｏｍｍｏｎ  ＰＤＣＣＨ)を介して該当グループ内の端末に伝達される。
【０２２６】
ＤＭＲＳ（ｄｅｍｏｄｕｌａｔｉｏｎ  ｒｅｆｅｒｅｎｃｅ  ｓｉｇｎａｌ）
【０２２７】
ＮＲのＤＭＲＳは、ネットワークエネルギー効率性（ｎｅｔｗｏｒｋ  ｅｎｅｒｇｙ  ｅｆｆｉｃｉｅｎｃｙ）を強化し、上位互換性（ｆｏｒｗａｒｄ  ｃｏｍｐａｔｉｂｉｌｉｔｙ）を保するために、必要なときに限って送信されるのが特徴である。ＤＭＲＳの時間ドメイン密度（ｔｉｍｅ  ｄｏｍａｉｎ  ｄｅｎｓｉｔｙ）は、ＵＥの速度（ｓｐｅｅｄ）又は移動性（ｍｏｂｉｌｉｔｙ）に応じて様々である。ＮＲにおいて、無線チャンネルの早い変化を追跡するために、時間ドメインでＤＭＲＳに対する密度が増加する可能性がある。
【０２２８】
１．ＤＬ  ＤＭＲＳに関連する動作
【０２２９】
ＰＤＳＣＨ送信／受信のためのＤＭＲＳに関連する動作を説明する。
【０２３０】
ＢＳはＵＥへＤＭＲＳ設定（ｃｏｎｆｉｇｕｒａｔｉｏｎ）情報を送信する。該ＤＭＲＳ設定情報は、ＤＭＲＳ−ＤｏｗｎｌｉｎｋＣｏｎｆｉｇ  ＩＥを称してもよい。ＤＭＲＳ−ＤｏｗｎｌｉｎｋＣｏｎｆｉｇ  ＩＥは、ｄｍｒｓ−Ｔｙｐｅパラメータ、ｄｍｒｓ−ＡｄｄｉｔｉｏｎａｌＰｏｓｉｔｉｏｎパラメータ、ｍａｘＬｅｎｇｔｈパラメータ、ｐｈａｓｅＴｒａｃｋｉｎｇＲＳパラメータなどを含む。「ｄｍｒｓ−Ｔｙｐｅ」パラメータは、ＤＬのために用いられるＤＭＲＳタイプを選択するためのパラメータである。ＮＲにおいて、ＤＭＲＳは、（１）ＤＭＲＳ設定タイプ１と、（２）ＤＭＲＳ設定タイプ２の２つの設定タイプに分けられる。ＤＭＲＳ設定タイプ１は、周波数ドメインにおいてより高いＲＳ密度を有し、ＤＭＲＳ設定タイプ２は、より多いＤＭＲＳアンテナポートを有する。「ｄｍｒｓ−ＡｄｄｉｔｉｏｎａｌＰｏｓｉｔｉｏｎ」パラメータは、ＤＬにおいて追加（ａｄｄｉｔｉｏｎａｌ）ＤＭＲＳの位置を示すパラメータである。「ｍａｘＬｅｎｇｔｈ」パラメータは、ＤＬ  ｆｒｏｎｔ−ｌｏａｄｅｄ  ＤＭＲＳに対するＯＦＤＭシンボルの最大数を示すパラメータである。「ｐｈａｓｅＴｒａｃｋｉｎｇＲＳ」パラメータは、ＤＬ  ＰＴＲＳを設定するパラメータである。
【０２３１】
ＤＭＲＳは、ＰＤＳＣＨマッピングタイプ（タイプＡ又はタイプＢ）によって、ｆｒｏｎｔ−ｌｏａｄｅｄ  ＤＭＲＳの最初の位置が決められ、高い速度（ｈｉｇｈ  ｓｐｅｅｄ）のＵＥを支援するために、追加のＤＭＲＳを設定してもよい。ｆｒｏｎｔ−ｌｏａｄｅｄ  ＤＭＲＳは、１個又は２個の連続的（ｃｏｎｓｅｃｕｔｉｖｅ）ＯＦＤＭシンボルを占有し、ＲＲＣシグナリング及びＤＣＩによって指示される。
【０２３２】
ＢＳは、上記のＤＭＲＳ設定に基づいてＤＭＲＳに用いられるシーケンスを生成する。ＢＳは、生成されたシーケンスをリソース要素（ｒｅｓｏｕｒｃｅ  ｅｌｅｍｅｎｔ）にマップする。ここで、リソース要素は、時間、周波数、アンテナポート又はコードのうちの少なくとも１つを含む意味であってもよい。
【０２３３】
ＢＳは、上述したリソース要素上でＤＭＲＳをＵＥへ送信する。ＵＥは、受信したＤＭＲＳを用いてＰＤＳＣＨを受信する。
【０２３４】
２．ＵＬ  ＤＭＲＳに関連する動作
【０２３５】
ＰＵＳＣＨ受信のためのＤＭＲＳに関連する動作を説明する。
【０２３６】
ＵＬ  ＤＭＲＳに関連する動作は、ＤＬ  ＤＭＲＳに関連する動作と類似して、ＤＬに関連するパラメータの名称がＵＬに関連するパラメータの名称に取り替えられる。例えば、ＤＭＲＳ−ＤｏｗｎｌｉｎｋＣｏｎｆｉｇ  ＩＥはＤＭＲＳ−ＵｐｌｉｎｋＣｏｎｆｉｇ  ＩＥに、ＰＤＳＣＨマッピングタイプはＰＵＳＣＨマッピングタイプに、ＰＤＳＣＨはＰＵＳＣＨに取り替えられる。また、ＤＬ  ＤＭＲＳに関連する動作におけるＢＳはＵＥに、ＵＥはＢＳに取り替えられる。
【０２３７】
ＵＬ  ＤＭＲＳに対するシーケンスの生成は、トランスフォームプリコーディング（ｔｒａｎｓｆｏｒｍ  ｐｒｅｃｏｄｉｎｇ）が可能化（ｅｎａｂｌｅ）されたか否かによってその定義が異なり得る。例えば、ＤＭＲＳは、ＣＰ−ＯＦＤＭ（ｃｙｃｌｉｃ  ｐｒｅｆｉｘ  ｏｒｔｈｏｇｏｎａｌ  ｆｒｅｑｕｅｎｃｙ  ｄｉｖｉｓｉｏｎ  ｍｕｌｔｉｐｌｅｘｉｎｇ）を用いる場合（すなわち、トランスフォームプリコーディングが可能化（ｅｎａｂｌｅ）されない場合）、擬似−雑音（ｐｓｅｕｄｏ−ｎｏｉｓｅ，ＰＮ）シーケンスを使用し、ＤＦＴ−ｓ−ＯＦＤＭ（Ｄｉｓｃｒｅｔｅ  Ｆｏｕｒｉｅｒ  Ｔｒａｎｓｆｏｒｍ−ｓｐｒｅａｄ−ＯＦＤＭ）を用いる場合（すなわち、トランスフォームプリコーディングが可能化された場合）、３０以上の長さを有するＺａｄｏｆｆ−Ｃｈｕ（ＺＣ）シーケンスを使用する。
【０２３８】
帯域幅パート（Ｂａｎｄｗｉｄｔｈ  ｐａｒｔ，ＢＷＰ）
【０２３９】
ＮＲシステムでは１つの搬送波（ｃａｒｒｉｅｒ）当たり最大４００ＭＨｚまで支援できる。かかるワイドバンド（ｗｉｄｅｂａｎｄ）搬送波で動作するＵＥが常に搬送波全体に対する無線周波数（ｒａｄｉｏ  ｆｒｅｑｕｅｎｃｙ，ＲＦ）モジュールをオンにしたまま動作すると、ＵＥバッテリーの消耗が大きくなる。或いは、１つのワイドバンド搬送波内において動作する様々な使用例（ｕｓｅ  ｃａｓｅ）（ｅ．ｇ.，ｅＭＢＢ、ＵＲＬＬＣ、ｍＭＴＣ、Ｖ２Ｘなど）を考慮した時、該当搬送波内に周波数帯域ごとに互いに異なるニューマロロジー（例えば、副搬送波間隔）が支援されることができる。或いは、ＵＥごとに最大帯域幅に対する能力が異なることができる。これを考慮して、基地局はワイドバンド搬送波の全体帯域幅ではなく一部の帯域幅のみで動作するようにＵＥに指示でき、該当一部の帯域幅を帯域幅パート（ｂａｎｄｗｉｄｔｈ  ｐａｒｔ，ＢＷＰ）と称する。周波数ドメインにおいて、ＢＷＰは、搬送波上の帯域幅パートｉ内のニューマロロジーμiに対して定義された隣接する（ｃｏｎｔｉｇｕｏｕｓ）共通リソースブロックのサブセットであり、１つのニューマロロジー（例えば、副搬送波間隔、ＣＰ長さ、スロット／ミニスロットの持続時間）が設定できる。
【０２４０】
なお、基地局はＵＥに設定された１つの搬送波内に１つ以上のＢＷＰを設定することができる。或いは、特定のＢＷＰにＵＥが集中する場合は、負荷バランス（ｌｏａｄ  ｂａｌａｎｃｉｎｇ）のために一部のＵＥを他のＢＷＰへ移すことができる。或いは、隣接セル間の周波数ドメインインターセル干渉消去（ｆｒｅｑｕｅｎｃｙ  ｄｏｍａｉｎ  ｉｎｔｅｒ−ｃｅｌｌ  ｉｎｔｅｒｆｅｒｅｎｃｅ  ｃａｎｃｅｌｌａｔｉｏｎ）などを考慮して、全体帯域幅のうち、中心の一部のスペクトルを排除してセルの両側のＢＷＰを同一のスロット内に設定することができる。即ち、基地局はワイドバンド搬送波に連関するＵＥに少なくとも１つのＤＬ／ＵＬ  ＢＷＰを設定することができ、特定の時点に設定されたＤＬ／ＵＬ  ＢＷＰのうち、少なくとも１つのＤＬ／ＵＬ  ＢＷＰを（物理層制御信号であるＬ１シグナリング、ＭＡＣ層制御信号であるＭＡＣ制御要素（ｃｏｎｔｒｏｌ  ｅｌｅｍｅｎｔ，ＣＥ）、又はＲＲＣシグナリングなどにより）活性化させることができ、他の設定されたＤＬ／ＵＬ  ＢＷＰにスイッチングすることを（Ｌ１シグナリング、ＭＡＣ  ＣＥ、又はＲＲＣシグナリングなどにより）指示するか、又はタイマー値を設定してタイマーが満了すると、ＵＥが所定のＤＬ／ＵＬ  ＢＷＰにスイッチングするようにする。このとき、他の設定されたＤＬ／ＵＬ  ＢＷＰにスイッチングすることを指示するために、ＤＣＩフォーマット１＿１又はＤＣＩフォーマット０＿１を使用することができる。活性化されたＤＬ／ＵＬ  ＢＷＰを特に活性（ａｃｔｉｖｅ）ＤＬ／ＵＬ  ＢＷＰという。ＵＥが初期接続（ｉｎｉｔｉａｌ  ａｃｃｅｓｓ）過程にあるか、又はＵＥのＲＲＣ連結のセットアップ前などの状況では、ＵＥがＤＬ／ＵＬ  ＢＷＰに対する設定（ｃｏｎｆｉｇｕｒａｔｉｏｎ）を受信できないこともある。かかる状況でＵＥが仮定するＤＬ／ＵＬ  ＢＷＰを初期活性ＤＬ／ＵＬ  ＢＷＰという。
【０２４１】
一方、ここでＤＬ  ＢＷＰは、ＰＤＣＣＨ及び／又はＰＤＳＣＨなどのような下りリンク信号を送受信するためのＢＷＰであり、ＵＬ  ＢＷＰはＰＵＣＣＨ及び／又はＰＵＳＣＨなどのような上りリンク信号を送受信するためのＢＷＰである。
【０２４２】
図１３は、ＮＲにおいて使用される無線フレームの構造を例示している。
【０２４３】
ＮＲにおいて、上りリンク及び下りリンク送信はフレームで構成される。無線フレームは１０ｍｓの長さを有し、２つの５ｍｓハーフフレーム（Ｈａｌｆ−Ｆｒａｍｅ，ＨＦ）と定義される。ハーフフレームは５つの１ｍｓサブフレーム（Ｓｕｂｆｒａｍｅ，ＳＦ）と定義される。サブフレームは１つ以上のスロットに分割され、サブフレーム内のスロット数はＳＣＳ（Ｓｕｂｃａｒｒｉｅｒ  Ｓｐａｃｉｎｇ）に依存する。各スロットはＣＰ（ｃｙｃｌｉｃ  ｐｒｅｆｉｘ）によって１２つ又は１４つのＯＦＤＭ（Ａ）シンボルを含む。一般ＣＰが使用される場合、各スロットは１４つのシンボルを含む。拡張ＣＰが使用される場合は、各スロットは１２つのシンボルを含む。ここで、シンボルはＯＦＤＭシンボル（或いは、ＣＰ−ＯＦＤＭシンボル）、ＳＣ−ＦＤＭＡシンボル（或いは、ＤＦＴ−ｓ−ＯＦＤＭシンボル）を含むことができる。
【０２４４】
表７は、一般ＣＰが使用される場合、ＳＣＳによってスロットごとのシンボル数、フレームごとのスロット数とサブフレームごとのスロット数が変化することを例示している。
【０２４５】
【表７】
2020532890.tif 000009
【０２４６】
＊Ｎslotsymb:スロット内のシンボル数、＊Ｎframe,uslot:フレーム内のスロット数
【０２４７】
＊Ｎsubframe,uslot:サブフレーム内のスロット数
【０２４８】
表８は、拡張ＣＰが使用される場合、ＳＣＳによってスロットごとのシンボル数、フレームごとのスロット数とサブフレームごとのスロット数が変化することを例示している。
【０２４９】
【表８】
2020532890.tif 000010
【０２５０】
ＮＲシステムでは１つの端末に併合される複数のセル間でＯＦＤＭ（Ａ）ニューマロロジー（ｎｕｍｅｒｏｌｏｇｙ）（例えば、ＳＣＳ、ＣＰ長さなど）が異なるように設定されてもよい。これにより、同数のシンボルで構成された時間リソース（例えば、ＳＦ、スロット又はＴＴＩ）（便宜上、ＴＵ（Ｔｉｍｅ  Ｕｎｉｔ）と通称）の（絶対時間）区間が併合されたセル間で異なるように設定される。図１４は、ＮＲフレームのスロット構造を例示している。スロットは時間ドメインで複数のシンボルを含む。例えば、一般ＣＰの場合、１つのスロットが７つのシンボルを含むが、拡張ＣＰの場合は、１つのスロットが６つのシンボルを含む。搬送波は周波数ドメインで複数の副搬送波を含む。ＲＢ（Ｒｅｓｏｕｒｃｅ  Ｂｌｏｃｋ）は周波数ドメインで複数（例えば、１２）の連続する副搬送波と定義される。ＢＷＰは周波数ドメインで複数の連続する（Ｐ）ＲＢと定義され、１つのニューマロロジー（ｎｕｍｅｒｏｌｏｇｙ）（例えば、ＳＣＳ、ＣＰ長さなど）に対応することができる。搬送波は最大Ｎ個（例えば、４つ）のＢＷＰを含む。データ通信は活性化されたＢＷＰで行われ、１つの端末には１つのＢＷＰのみが活性化される。リソースグリッドにおいて各々の要素はリソース要素（Ｒｅｓｏｕｒｃｅ  Ｅｌｅｍｅｎｔ，ＲＥ）と称され、１つの複素シンボルがマップされることができる。
【０２５１】
図１５は、自己完備型（Ｓｅｌｆ−ｃｏｎｔａｉｎｅｄ）スロットの構造を例示している。ＮＲシステムにおいて、フレームは１つのスロット内にＤＬ制御チャンネル、ＤＬ又はＵＬデータ、ＵＬ制御チャンネルなどを全て含むことができる自己完備型構造を特徴とする。例えば、スロット内の最初のＮ個のシンボルは、ＤＬ制御チャンネルを送信するときに使用され（以下、ＤＬ制御領域）、スロット内の最後のＭ個のシンボルは、ＵＬ制御チャンネルを送信するときに使用される（以下、ＵＬ制御領域）。ＮとＭはそれぞれ０以上の整数である。ＤＬ制御領域とＵＬ制御領域の間におけるリソース領域（以下、データ領域）は、ＤＬデータ送信のために使用されるか、又はＵＬデータ送信のために使用される。一例として、以下の構成を考慮することができる。各区間は時間順である。
【０２５２】
１．ＤＬのみの構成
【０２５３】
２．ＵＬのみの構成
【０２５４】
３．混合ＵＬ−ＤＬの構成
【０２５５】
−ＤＬ領域＋ＧＰ（Ｇｕａｒｄ  Ｐｅｒｉｏｄ）＋ＵＬ制御領域
【０２５６】
−ＤＬ制御領域＋ＧＰ＋ＵＬ領域
【０２５７】
＊ＤＬ領域:（i）ＤＬデータ領域、（ii）ＤＬ制御領域＋ＤＬデータ領域
【０２５８】
＊ＵＬ領域:（i）ＵＬデータ領域、（ii）ＵＬデータ領域＋ＵＬ制御領域
【０２５９】
ＤＬ制御領域ではＰＤＣＣＨが送信され、ＤＬデータ領域ではＰＤＳＣＨが送信されることができる。ＵＬ制御領域ではＰＵＣＣＨが送信され、ＵＬデータ領域ではＰＵＳＣＨが送信されることができる。ＰＤＣＣＨではＤＣＩ（Ｄｏｗｎｌｉｎｋ  Ｃｏｎｔｒｏｌ  Ｉｎｆｏｒｍａｔｉｏｎ）、例えば、ＤＬデータスケジューリング情報、ＵＬデータスケジューリング情報などが送信される。ＰＵＣＣＨではＵＣＩ（Ｕｐｌｉｎｋ  Ｃｏｎｔｒｏｌ  Ｉｎｆｏｒｍａｔｉｏｎ）、例えば、ＤＬデータに対するＡＣＫ／ＮＡＣＫ（Ｐｏｓｉｔｉｖｅ  Ａｃｋｎｏｗｌｅｄｇｅｍｅｎｔ／Ｎｅｇａｔｉｖｅ  Ａｃｋｎｏｗｌｅｄｇｅｍｅｎｔ）情報、ＣＳＩ（Ｃｈａｎｎｅｌ  Ｓｔａｔｅ  Ｉｎｆｏｒｍａｔｉｏｎ）情報、ＳＲ（Ｓｃｈｅｄｕｌｉｎｇ  Ｒｅｑｕｅｓｔ）などが送信される。ＧＰは基地局と端末が送信モードから受信モードに転換する過程又は受信モードから送信モードに転換する過程で時間ギャップを提供する。サブフレーム内でＤＬからＵＬに転換する時点の一部のシンボルがＧＰとして設定されることができる。
【０２６０】
ＮＲシステムでは、下りリンクチャンネル及び／又は下りリンク信号が活性（ａｃｔｉｖｅ）ＤＬ  ＢＷＰ（Ｄｏｗｎｌｉｎｋ  Ｂａｎｄｗｉｄｔｈ  Ｐａｒｔ）内で送受信される。また、上りリンクチャンネル及び／又は上りリンク信号が活性（ａｃｔｉｖｅ）ＵＬ  ＢＷＰ（Ｕｐｌｉｎｋ  Ｂａｎｄｗｉｄｔｈ  Ｐａｒｔ）内で送受信される。また、ＤＬ  ＢＷＰ及び／又はＵＬ  ＢＷＰは、共通ＲＢ（Ｒｅｓｏｕｒｃｅ  ｂｌｏｃｋ）グリッド（ｃｏｍｍｏｎ  ＲＢ  ｇｒｉｄ）端において定義又は設定されることができる。また、該共通ＲＢグリッドは、基地局によって動的（ｄｙｎａｍｉｃ）及び／又は準−静的（ｓｅｍｉ−ｓｔａｔｉｃ）に変更できる。
【０２６１】
一方、共通ＲＢグリッド（Ｃｏｍｍｏｎ  ＲＢ  ｇｒｉｄ）内において複数のＢＷＰを様々に設定することができ、共通ＲＢグリッド（ｃｏｍｍｏｎ  ＲＢ  ｇｒｉｄ）に関する情報は、互いに異なるＢＷＰで動作するＵＥ間のＭＵ−ＭＩＭＯ又はマルチプレクシング（ｍｕｌｔｉｐｌｅｘｉｎｇ）などを考慮して、ＤＭＲＳ設定の基準点（Ｒｅｆｅｒｅｎｃｅ  Ｐｏｉｎｔ）及び／又はＲＢ又はＲＢグループ（ＲＢＧ）設定の基準点などとして活用できる。
【０２６２】
ＮＲシステムにおいて、共通ＲＢグリッド（Ｃｏｍｍｏｎ  ＲＢ  ｇｒｉｄ）に関する情報は、ＳＩＢ１（Ｓｙｓｔｅｍ  Ｉｎｆｏｒｍａｔｉｏｎ  Ｂｌｏｃｋ  １）を介して基地局がＵＥに指示することができる。よって、ＵＥは、ＳＩＢ１の受信に成功するまで、共通ＲＢグリッド（ｃｏｍｍｏｎ  ＲＢ  ｇｒｉｄ）に関する情報が分からないことがある。或いは、ＳＩＢ１更新（ｕｐｄａｔｅ）によって、共通ＲＢグリッド（ｃｏｍｍｏｎ  ＲＢ  ｇｒｉｄ）情報が変更される時点まで、共通ＲＢグリッドに対する曖昧性（ａｍｂｉｇｕｉｔｙ）が生じ得る。
【０２６３】
よって、ＵＥが共通ＲＢグリッドに関する情報が分からないか、共通ＲＢグリッドに対する曖昧性（ａｍｂｉｇｕｉｔｙ）が発生する場合、ＵＥが基準点（Ｒｅｆｅｒｅｎｃｅ  Ｐｏｉｎｔ）として参照可能なデフォルトモード（ｄｅｆａｕｌｔ  ｍｏｄｅ）動作について定義する必要がある。換言すれば、ＵＥが共通ＲＢグリッドに関する情報が分からないか、共通ＲＢグリッドに関する情報の曖昧性（ａｍｂｉｇｕｉｔｙ）が発生する場合、基本に、共通ＲＢグリッド（ｃｏｍｍｏｎ  ＲＢ  ｇｉｒｄ）には関係なくＤＭＲＳを受信する方法及び／又はＤＭＲＳのためのリソース割り当て方法が必要である。
【０２６４】
また、ＵＥがＰＳＣｅｌｌ又はＳＣｅｌｌにおいて下りリンク信号を受信する場合、該当セル（ｃｅｌｌ）をＰＣｅｌｌとして有するＵＥとのマルチプレクシング（ｍｕｌｔｉｐｌｅｘｉｎｇ）が考慮できる。同様に、ＵＥがハンドオーバー（ｈａｎｄｏｖｅｒ）を行う場合、ターゲットセル（ｔａｒｇｅｔ  ｃｅｌｌ）における送受信を開始するとき、また該当セルにおいて既に動作しているＳＩＢ１送信を考慮したＵＥのデフォルトモード（ｄｅｆａｕｌｔ  ｍｏｄｅ）動作方法について定義する必要がある。
【０２６５】
本発明では、ＵＥ自分がＳＩＢ１を含むブロードキャスト（ｂｒｏａｄｃａｓｔ）情報を受信するための領域及び／又は他のＵＥのＳＩＢ１を含むブロードキャスト（ｂｒｏａｄｃａｓｔ）情報を受信するための領域におけるＵＥの動作方法を提案する。ここで、ＵＥの動作方法とは、例えば、ＤＭＲＳ生成方法、基準点（ｒｅｆｅｒｅｎｃｅ  ｐｏｉｎｔ）に対する仮定及び／又はリソース割り当て方法などである。また、本発明では、ＮＲシステムにおいて、ＤＣＩサイズ設定及び／又はＤＣＩサイズ変換のような初期（Ｉｎｉｔｉａｌ）ＢＷＰに基づく動作を行う場合、ＳＣｅｌｌにおける動作方法を提案する。
【０２６６】
図１５乃至図１７は、本発明に係るＵＥ、基地局及びネットワークの動作の具現例を説明するための図である。
【０２６７】
図１５に基づいて本発明に係るＵＥの動作の具現例を説明すると、ＵＥは、ＳＳ／ＰＢＣＨブロック（Ｓｙｎｃｈｒｏｎｉｚａｔｉｏｎ  Ｓｉｇｎａｌ／Ｐｈｙｓｉｃａｌ  Ｂｒｏａｄｃａｓｔ  Ｃｈａｎｎｅｌ  Ｂｌｏｃｋ）を受信し（Ｓ１５０１）、ＳＳ／ＰＢＣＨブロックのＰＢＣＨに含まれたＭＩＢ（Ｍａｓｔｅｒ  Ｉｎｆｏｒｍａｔｉｏｎ  Ｂｌｏｃｋ）からＰＤＳＣＨ（Ｐｈｙｓｉｃａｌ  Ｄｏｗｎｌｉｎｋ  Ｓｈａｒｅｄ  Ｃｈａｎｎｅｌ）をスケジュールするＰＤＣＣＨ（Ｐｈｙｓｉｃａｌ  Ｄｏｗｎｌｉｎｋ  Ｃｏｎｔｒｏｌ  Ｃｈａｎｎｅｌ）のためのＣＯＲＥＳＥＴ（Ｃｏｎｔｒｏｌ  Ｒｅｓｏｕｒｃｅ  Ｓｅｔ）に関する情報を取得することができる（Ｓ１５０３）。
【０２６８】
この後、第１のデフォールトモード（ｄｅｆａｕｌｔ  ｍｏｄｅ）に基づいて、ＣＯＲＥＳＥＴの検索空間（Ｓｅａｒｃｈ  Ｓｐａｃｅ）を介してＰＤＣＣＨ及びＤＭＲＳ（Ｄｅｍｏｄｕｌａｔｉｏｎ  Ｒｅｆｅｒｅｎｃｅ  Ｓｉｇｎａｌ）を受信する（Ｓ１５０５）。このとき、第１のデフォールトモードに基づいてＤＭＲＳを受信する方法及び条件は、後述する条件１−１乃至条件１−２に基づくことができる。
【０２６９】
ＵＥは、受信したＰＤＣＣＨから取得したＰＤＳＣＨのスケジューリング情報に従って、第２のデフォールトモードに基づいて、ＳＩＢ  １（Ｓｙｓｔｅｍ  Ｉｎｆｏｒｍａｔｉｏｎ  Ｂｌｏｃｋ  １）を運搬するＰＤＳＣＨ及びＰＤＳＣＨのためのＤＭＲＳを受信することができる（Ｓ１５０７）。このとき、第２のデフォールトモードに基づいてＤＭＲＳを受信する方法及び条件は、後述する条件２−１乃至条件２−２に基づくことができる。
【０２７０】
また、ＳＩＢ１を受信したＵＥは、ＳＩＢ１を介して初期（ｉｎｉｔｉａｌ）ＢＷＰ（Ｂａｎｄｗｉｄｔｈ  Ｐａｒｔ）情報を取得することができ、初期ＢＷＰ情報に基づいてグループＴＰＣ情報を含むＤＣＩ（Ｄｏｗｎｌｉｎｋ  Ｃｏｎｔｒｏｌ  Ｉｎｆｏｒｍａｔｉｏｎ）を受信することができる。このとき、グループＴＰＣ情報を含むＤＣＩを生成する方法及び送受信する方法もまた、後述する方法１−１乃至方法１−３及び方法２−１乃至方法２−２に基づいて行うことができる。
【０２７１】
図１６は、本発明に係る基地局の動作の具現例を示す。図１６を参照すると、基地局は、ＳＳ／ＰＢＣＨブロックを送信し（Ｓ１６０１）、ＳＳ／ＰＢＣＨブロックのＰＢＣＨに含まれたＭＩＢを介して送信されたＣＯＲＥＳＥＴに関する情報に従って、第１のデフォールトモードに基づいてＰＤＣＣＨ及びそのＰＤＣＣＨのためのＤＭＲＳを送信することができる（Ｓ１６０３）。
【０２７２】
この場合、第１のデフォールトモードに基づいてＤＭＲＳを生成及び送信する方法及び条件は、後述する条件１−１乃至条件１−２に基づくことができる。
【０２７３】
また、基地局は、ＰＤＣＣＨに含まれたスケジューリング情報に従って、第２のデフォールトモードに基づいてＳＩＢ１を運搬するＰＤＳＣＨ及びそのＰＤＳＣＨのためのＤＭＲＳを送信することができる（Ｓ１６０５）。このとき、第２のデフォールトモードに基づいてＤＭＲＳを生成及び送信する方法及び条件は、後述する条件２−１乃至条件２−２に基づくことができる。
【０２７４】
また、ＳＩＢ１を送信した基地局は、ＳＩＢ１を介して初期（ｉｎｉｔｉａｌ）ＢＷＰ（Ｂａｎｄｗｉｄｔｈ  Ｐａｒｔ）情報を送信することができ、初期ＢＷＰ情報に基づいて、グループＴＰＣ情報を含むＤＣＩ（Ｄｏｗｎｌｉｎｋ  Ｃｏｎｔｒｏｌ  Ｉｎｆｏｒｍａｔｉｏｎ）を送信することができる。このとき、グループＴＰＣ情報を含むＤＣＩを生成する方法及び送受信する方法もまた、後述する方法１−１乃至方法１−３及び方法２−１乃至方法２−２に基づいて行うことができる。
【０２７５】
図１７は、本発明に係るネットワークの動作の具現例を説明する図である。図１７を参照すると、基地局は、ＵＥにＳＳ／ＰＢＣＨブロックを送信することができる（Ｓ１７０１）。ＵＥは、ＳＳ／ＰＢＣＨブロックのＰＢＣＨに含まれたＭＩＢ（Ｍａｓｔｅｒ  Ｉｎｆｏｒｍａｔｉｏｎ  Ｂｌｏｃｋ）からＰＤＳＣＨ（Ｐｈｙｓｉｃａｌ  Ｄｏｗｎｌｉｎｋ  Ｓｈａｒｅｄ  Ｃｈａｎｎｅｌ）をスケジュールするＰＤＣＣＨ（Ｐｈｙｓｉｃａｌ  Ｄｏｗｎｌｉｎｋ  Ｃｏｎｔｒｏｌ  Ｃｈａｎｎｅｌ）のためのＣＯＲＥＳＥＴ（Ｃｏｎｔｒｏｌ  Ｒｅｓｏｕｒｃｅ  Ｓｅｔ）に関する情報を取得することができる（Ｓ１７０３）。基地局は、ＣＯＲＥＳＥＴに関する情報に従って、ＵＥに第１のデフォールトモードに基づいてＰＤＣＣＨ及びそのＰＤＣＣＨのためのＤＭＲＳを送信することができる（Ｓ１７０５）。このとき、第１のデフォールトモードに基づいてＤＭＲＳを生成及び送信する方法及び条件は、後述する条件１−１乃至条件１−２に基づくことができる。
【０２７６】
また、基地局は、ＵＥに、ＰＤＣＣＨに含まれたスケジューリング情報に従って、第２のデフォールトモードに基づいてＳＩＢ１を運搬するＰＤＳＣＨ及びそのＰＤＳＣＨのためのＤＭＲＳを送信することができる（Ｓ１７０７）。このとき、第２のデフォールトモードに基づいてＤＭＲＳを生成及び送信する方法及び条件は、後述する条件２−１乃至条件２−２に基づくことができる。
【０２７７】
また、ＵＥは基地局から受信したＳＩＢ１を介して初期（ｉｎｉｔｉａｌ）ＢＷＰ（Ｂａｎｄｗｉｄｔｈ  Ｐａｒｔ）情報を取得することができ、基地局は初期ＢＷＰ情報に基づいてグループＴＰＣ情報を含むＤＣＩ（Ｄｏｗｎｌｉｎｋ  Ｃｏｎｔｒｏｌ  Ｉｎｆｏｒｍａｔｉｏｎ）をＵＤに送信することができる。このとき、グループＴＰＣ情報を含むＤＣＩを生成する方法及び送受信する方法もまた、後述する方法１−１乃至方法１−３及び方法２−１乃至方法２−２に基づいて行うことができる。
【０２７８】
ここで、図１５乃至図１７に係るデフォールトモード動作によるＰＤＣＣＨ／ＰＤＳＣＨ及びＤＭＲＳの送信方法について説明する。
【０２７９】
先ず、ＰＤＣＣＨにおけるデフォールトモード動作に基づくＤＭＲＳ及びＰＤＣＣＨ送信方法を説明する。
【０２８０】
ＵＥは、初期にＳＳ／ＰＢＣＨブロック（Ｓｙｎｃｈｒｏｎｉｚａｔｉｏｎ  Ｓｉｇｎａｌ／Ｐｈｙｓｉｃａｌ  Ｂｒｏａｄｃａｓｔ  Ｃｈａｎｎｅｌ  ｂｌｏｃｋ）とＰＢＣＨ内のＭＩＢ（Ｍａｓｔｅｒ  Ｉｎｆｏｒｍａｔｉｏｎ  Ｂｌｏｃｋ）及び／又はＰＢＣＨペイロードに含まれた情報に基づいて初期（ｉｎｉｔｉａｌ）ＤＬ  ＢＷＰ（例えば、ＢＷＰ＃０）を導出することができる。
【０２８１】
このとき、初期ＤＬ  ＢＷＰは、ＢＷＰ＃０であってもよいが、これに限らない。例えば、上位層によって設定された（Ｃｏｎｆｉｇｕｒｅｄ）ＢＷＰが３つ以下の場合、初期ＤＬ  ＢＷＰはＢＷＰ＃０であり、上位層によって設定された（Ｃｏｎｆｉｇｕｒｅｄ）ＢＷＰが４つである場合、初期ＤＬ  ＢＷＰはＢＷＰ＃０以外の他のＢＷＰであってもよい。
【０２８２】
具体的に、ＰＢＣＨ内のＭＩＢ及び／又はＰＢＣＨペイロードからＳＩＢ１受信のためのＣＯＲＥＳＥＴ（Ｃｏｎｔｒｏｌ  Ｒｅｓｏｕｒｃｅ  Ｓｅｔ）設定（ｃｏｎｆｉｇｕｒａｔｉｏｎ）と検索空間（Ｓｅａｒｃｈ  Ｓｐａｃｅ）設定（ｃｏｎｆｉｇｕｒａｔｉｏｎ）を受信し、この情報はＳＳ／ＰＢＣＨブロックに連動できる。一方、このときの初期（Ｉｎｉｔｉａｌ）ＤＬ  ＢＷＰは、ＣＯＲＥＳＥＴに対する周波数領域として初期に設定されることができる。ＰＳＣｅｌｌ又はＳＣｅｌｌの追加及び／又はハンドオーバー（Ｈａｎｄｏｖｅｒ）時に、ＵＥは、専用信号（ｄｅｄｉｃａｔｅｄ  ｓｉｇｎａｌ）によって、該当サービングセル（ｓｅｒｖｉｎｇ  ｃｅｌｌ）に対するＳＳ／ＰＢＣＨブロック情報及び該当セルのＳＩＢ１受信のためのＣＯＲＥＳＥＴ設定と検索空間設定（ｃｏｎｆｉｇｕｒａｔｉｏｎ）を受信し、初期ＤＬ  ＢＷＰ（例えば、ＢＷＰ＃０）が設定されることができる。
【０２８３】
ここで、ＰＳＣｅｌｌ又はＳＣｅｌｌの追加及び／又はハンドオーバー（Ｈａｎｄｏｖｅｒ）時に、ＵＥは、専用信号（ｄｅｄｉｃａｔｅｄ  ｓｉｇｎａｌ）によって取得するＣＯＲＥＳＥＴ及びＭＩＢ／ＰＢＣＨペイロードによって取得するＣＯＲＥＳＥＴをＣＯＲＥＳＥＴ＃０と称してもよく、これは共通ＣＯＲＥＳＥＴ（Ｃｏｍｍｏｎ  ＣＯＲＥＳＥＴ）の一種である。
【０２８４】
また、ＰＳＣｅｌｌ又はＳＣｅｌｌの追加及び／又はハンドオーバー（Ｈａｎｄｏｖｅｒ）時に、ＵＥは、専用信号（ｄｅｄｉｃａｔｅｄ  ｓｉｇｎａｌ）によって取得する検索空間及びＭＩＢ／ＰＢＣＨペイロードによって取得する検索空間をＴｙｐｅ−０  ＰＤＣＣＨ共通検索空間（Ｃｏｍｍｏｎ  Ｓｅａｒｃｈ  Ｓｐａｃｅ）と称してもよく、本発明では、便宜のために、「検索空間＃０」と称してもよい。このような検索空間＃０は、システム情報のためのＰＤＣＣＨを送受信するために用いられる。
【０２８５】
一方、サービングセルに対するＳＳ／ＰＢＣＨブロック情報は、ＳＳ／ＰＢＣＨブロックが送信される周波数位置に関する情報を含むことができる。また、該当セルのＳＩＢ１受信のためのＣＯＲＥＳＥＴ設定と検索空間設定は、該当セルのＰＢＣＨに含まれたＭＩＢ及び／又はＰＢＣＨペイロードによって受信できる。また、上述した情報に基づいて、ＵＥは、該当サービングセル（ｓｅｒｖｉｎｇ  ｃｅｌｌ）に対するＣＯＲＥＳＥＴ＃０及び／又は検索空間＃０（ｓｅａｒｃｈ  ｓｐａｃｅ＃０）を導出することができる。
【０２８６】
各サービングセル（ｓｅｒｖｉｎｇ  ｃｅｌｌ）をＰＣｅｌｌとして有するＵＥは、該当セル（ｃｅｌｌ）からＳＩＢ１を受信することができ、この場合、共通ＲＢグリッド（Ｃｏｍｍｏｎ  ＲＢ  ｇｒｉｄ）には関係なく、ＰＤＣＣＨ受信が可能なデフォルトモードが動作されることができる。また、ＵＥは、該当セルをＰＳＣｅｌｌ又はＳＣｅｌｌに接続するか、ハンドオーバー後に該当セル（ｃｅｌｌ）でＰＤＣＣＨを受信する場合にも、ＵＥの動作領域によって、デフォルトモード（ｄｅｆａｕｌｔ  ｍｏｄｅ）で動作しなければならないこともある。
【０２８７】
例えば、デフォルトモード（ｄｅｆａｕｌｔ  ｍｏｄｅ）は、ＤＭＲＳを生成するとき、生成の基準となる基準点（ｒｅｆｅｒｅｎｃｅ  ｐｏｉｎｔ）がＰＤＣＣＨの送信されるＣＯＲＥＳＥＴの最低番号を有するＲＢ（ｌｏｗｅｓｔ−ｎｕｍｂｅｒｅｄ  ＲＢ）の副搬送波０のものであってもよい。このとき、基準点に基づいて、インデックス０の実際の位置及び／又はインターリービング（ｉｎｔｅｒｌｅａｖｉｎｇ）有無及びインターリービング単位のようなＰＤＣＣＨ送信／マッピング方法が決定できる。一方、ＤＭＲＳは、ＰＤＣＣＨのためのＤＭＲＳ及びＰＤＳＣＨのためのＤＭＲＳのいずれにも対応できる。
【０２８８】
一方、ＰＤＣＣＨが送信されるＣＯＲＥＳＥＴは、他の方式によって表現されてもよい。例えば、ＳＩＢ１を受信するための動作を仮定するとき、該当ＣＯＲＥＳＥＴはＣＯＲＥＳＥＴ＃０と表現されてもよく、ＳＩＢ（例えば、ＳＩＢ１）又はＰＢＣＨによって設定されるＣＯＲＥＳＥＴと表現されてもよい。
【０２８９】
また、ＳＩＢ１によって設定されるＣＯＲＥＳＥＴとは、ＲＡＲ（Ｒａｎｄｏｍ  Ａｃｃｅｓｓ  Ｒｅｓｐｏｎｓｅ）などのために別のＣＯＲＥＳＥＴをＳＩＢ１によって構成するＣＯＲＥＳＥＴを意味する。ＣＯＲＥＳＥＴの設定（ｃｏｎｆｉｇｕｒａｔｉｏｎ）方式は、ＰＢＣＨで構成したＣＯＲＥＳＥＴ＃０との整列（ａｌｉｇｎｍｅｎｔ）のために、初期（ｉｎｉｔｉａｌ）ＤＬ  ＢＷＰ内においてＰＢＣＨを介してＳＩＢ１を指定する方式と同様な方式であると仮定できる。例えば、この仮定は、ＳＩＢ１によって設定された初期（ｉｎｉｔｉａｌ）ＤＬ  ＢＷＰがＰＢＣＨによって設定された初期（ｉｎｉｔｉａｌ）ＤＬ  ＢＷＰを上書き（ｏｖｅｒｒｉｄｅ）しない場合に限って適用され、ＳＩＢ１によって設定された初期（ｉｎｉｔｉａｌ）ＤＬ  ＢＷＰがＰＢＣＨによって設定された初期ＤＬ  ＢＷＰを上書きする（ｏｖｅｒｒｉｄｅ）場合には、共通ＲＢグリッド（ｃｏｍｍｏｎ  ＲＢ  ｇｒｉｄ）に基づいてＣＯＲＥＳＥＴ設定（ｃｏｎｆｉｇｕｒａｔｉｏｎ）が行われると仮定できる。
【０２９０】
以下、共通ＲＢグリッドには関係なく動作するＰＤＣＣＨ受信に対するデフォルトモード（ｄｅｆａｕｌｔ  ｍｏｄｅ）が動作する条件について、詳細に説明する。
【０２９１】
条件１−１：
【０２９２】
サービングセル（ｓｅｒｖｉｎｇ  ｃｅｌｌ）に対応するＰＤＣＣＨが送信される領域がＣＯＲＥＳＥＴ＃０及び／又は検索空間＃０（Ｓｅａｒｃｈ  ｓｐａｃｅ＃０）である場合、ＰＤＣＣＨは、共通ＲＢグリッド（ｃｏｍｍｏｎ  ＲＢ  ｇｒｉｄ）には関係なくデフォールトモード（ｄｅｆａｕｌｔ  ｍｏｄｅ）に基づいて送信することができる。仮に、ＵＥに複数の検索空間（ｓｅａｒｃｈ  ｓｐａｃｅ）が設定され、複数の検索空間（ｓｅａｒｃｈ  ｓｐａｃｅ）からＰＤＣＣＨを受信する場合、ＣＯＲＥＳＥＴ＃０に関連する特定の検索空間（ｓｅａｒｃｈ  ｓｐａｃｅ）が検索空間＃０（Ｓｅａｒｃｈ  ｓｐａｃｅ＃０）と全体又は一部が重なる場合、その重なる時点に送信されたＰＤＣＣＨは、検索空間＃０に対応するものと仮定できる。例えば、ＵＥは、ＢＷＰ＃０のような初期（ｉｎｉｔｉａｌ）ＤＬ  ＢＷＰではない他のＢＷＰに対してもＣＯＲＥＳＥＴ＃０及び／又は検索空間＃０（Ｓｅａｒｃｈ  ｓｐａｃｅ＃０）を設定又は使用することができ、この場合にも、ＣＯＲＥＳＥＴ＃０及び／又は検索空間＃０を介してＵＥがＰＤＣＣＨを受信すれば、デフォールトモード（ｄｅｆａｕｌｔ  ｍｏｄｅ）に基づいてＰＤＣＣＨを受信することができる。
【０２９３】
条件１−２：
【０２９４】
サービングセル（ｓｅｒｖｉｎｇ  ｃｅｌｌ）に対応するＰＤＣＣＨが送信される領域がＢＷＰ＃０のような初期（ｉｎｉｔｉａｌ）ＤＬ  ＢＷＰである場合、ＰＤＣＣＨは、共通ＲＢグリッド（ｃｏｍｍｏｎ  ＲＢ  ｇｒｉｄ）には関係なくデフォールトモード（ｄｅｆａｕｌｔ  ｍｏｄｅ）に基づいて送信することができる。
【０２９５】
この場合、ＳＩＢ１の受信に成功し、ＵＥが共通ＲＢグリッド（Ｃｏｍｍｏｎ  ＲＢ  ｇｉｒｄ）情報が分かったとしても、依然として初期（ｉｎｉｔｉａｌ）ＤＬ  ＢＷＰでは他のブロードキャスト（ｂｒｏａｄｃａｓｔ）情報の送信が可能であるため、該当ブロードキャスト情報に関連する信号とＰＤＣＣＨがマルチプレックス（ｍｕｌｔｉｐｌｅｘｉｎｇ）されることを考慮する場合、ＳＩＢ１検出成功の前後に関係なく、初期（ｉｎｉｔｉａｌ）ＤＬ  ＢＷＰにおけるＰＤＣＣＨ受信をデフォルトモード（ｄｅｆａｕｌｔ  ｍｏｄｅ）に基づいて行うことができる。この場合、本例示は、ＰＤＣＣＨが共通検索空間（Ｃｏｍｍｏｎ  Ｓｅａｒｃｈ  Ｓｐａｃｅ）で受信されるＰＤＣＣＨである場合に限ってもよい。その理由は、ＰＤＣＣＨがＵＥ特定の検索空間（ＵＥ−Ｓｐｅｃｉｆｉｃ  Ｓｅａｒｃｈ  Ｓｐａｃｅ）を介して送信される場合には、基準点（ｒｅｆｅｒｅｎｃｅ  ｐｏｉｎｔ）には関係なく、ＤＭＲＳシーケンス生成シード（ｓｅｑｕｅｎｃｅ  ｇｅｎｅｒａｔｉｏｎ  ｓｅｅｄ）そのものがＵＥ間において異なるため、ＤＭＲＳそのものが異なるからである。
【０２９６】
上述した条件１−１及び条件１−２において、ＰＤＣＣＨが送信されるＣＯＲＥＳＥＴ  ＩＤが０ではない場合、検索空間ＩＤ（Ｓｅａｒｃｈ  Ｓｐａｃｅ  ＩＤ）が０ではない場合、及び／又はＢＷＰ  ＩＤが０ではない場合にも、該当ＣＯＲＥＳＥＴ、検索空間及び／又はＢＷＰに対する設定値のそれぞれは、ＣＯＲＥＳＥＴ＃０、検索空間＃０（Ｓｅａｒｃｈ  Ｓｐａｃｅ＃０）、ＢＷＰ＃０と全体又は一部が同一であるか、該当ＣＯＲＥＳＥＴ、検索空間及び／又はＢＷＰを介して送信されるＰＤＣＣＨがいずれのＩＤ又はいずれのタイプのＣＯＲＥＳＥＴ、検索空間（Ｓｅａｒｃｈ  Ｓｐａｃｅ）及び／又はＢＷＰを介して送信されるかが区分できない場合は、特定のＣＯＲＥＳＥＴ、検索空間（Ｓｅａｒｃｈ  Ｓｐａｃｅ）及び／又はＢＷＰに含まれるものと仮定してＰＤＣＣＨを検出することができる。ここで、特定のＣＯＲＥＳＥＴ、検索空間（Ｓｅａｒｃｈ  Ｓｐａｃｅ）及び／又はＢＷＰのそれぞれは、ＣＯＲＥＳＥＴ＃０、検索空間（Ｓｅａｒｃｈ  Ｓｐａｃｅ）＃０及びＢＷＰ＃０であってもよい。
【０２９７】
ここで、ＰＤＳＣＨにおけるデフォルトモード動作に基づくＤＭＲＳ及びＰＤＳＣＨの送信方法を説明する。
【０２９８】
ＮＲシステムにおいて共通ＲＢグリッド（Ｃｏｍｍｏｎ  ＲＢ  ｇｒｉｄ）に関する情報を含むＳＩＢ１は、ＰＤＳＣＨで送信可能である。よって、少なくともＳＩＢ１を運ぶＰＤＳＣＨを受信するために、共通ＲＢグリッド（Ｃｏｍｍｏｎ  ＲＢ  ｇｒｉｄ）には関係なく、デフォルトモード（ｄｅｆａｕｌｔ  ｍｏｄｅ）の動作を定義する必要がある。
【０２９９】
例えば、デフォルトモード（Ｄｅｆａｕｌｔ  ｍｏｄｅ）は、ＰＤＳＣＨに関連するＤＭＲＳを生成するための基準点（ｒｅｆｅｒｅｎｃｅ  ｐｏｉｎｔ）が、該当ＰＤＳＣＨをスケジュール（ｓｃｈｅｄｕｌｉｎｇ）するＰＤＣＣＨの送信されるＣＯＲＥＳＥＴの最低番号を有するＲＢ（ｌｏｗｅｓｔ−ｎｕｍｂｅｒｅｄ  ＲＢ）の副搬送波０（ｓｕｂｃａｒｒｉｅｒ  ０）のものであってもよい。ＰＤＣＣＨが送信されるＣＯＲＥＳＥＴは、他の方式によって表現されてもよい。例えば、ＳＩＢ１を受信するための動作を仮定するとき、該当ＣＯＲＥＳＥＴは、ＣＯＲＥＳＥＴ＃０と表現されてもよく、ＳＩＢ（例えば、ＳＩＢ１）又はＰＢＣＨによって設定されるＣＯＲＥＳＥＴと表現されてもよい。
【０３００】
一方、デフォルトモード（Ｄｅｆａｕｌｔ  ｍｏｄｅ）のまた別の例としては、ｉｎｔｅｒｌｅａｖｅｄ  ＶＲＢ−ｔｏ−ＰＲＢ  ｍａｐｐｉｎｇにおける基本単位であるＲＢバンドル（ｂｕｎｄｌｅ）がＰＤＳＣＨをスケジュール（ｓｃｈｅｄｕｌｉｎｇ）するＰＤＣＣＨの送信されるＣＯＲＥＳＥＴの最低番号を有するＲＢの副搬送波０から定義されるものであってもよい。換言すれば、ＲＢバンドルの境界（ｂｏｕｎｄａｒｙ）が初期ＤＬ  ＢＷＰの境界（ｂｏｕｎｄａｒｙ）又はＰＤＣＣＨが送信されるＣＯＲＥＳＥＴ領域の境界（ｂｏｕｎｄａｒｙ）に整列（ａｌｉｇｎｅｄ）されるものであってもよい。また、このデフォルトモード（ｄｅｆａｕｌｔ  ｍｏｄｅ）は、上述した２つのデフォルトモードに対するそれぞれの例示の様々な組み合わせによって構成できる。
【０３０１】
しかし、ＳＩＢ１を含むシステム情報（Ｓｙｓｔｅｍ  ｉｎｆｏｒｍａｔｉｏｎ）は、関連するＰＤＣＣＨ／ＰＤＳＣＨがＳＩ−ＲＮＴＩを共通して用いることができる。よって、ＰＤＳＣＨを受信するとき、ＰＤＳＣＨに含まれる情報がＳＩＢ１であるか否かは、ＰＤＳＣＨをデコード（ｄｅｃｏｄｉｎｇ）してからこそ分かる。また、基地局は、初期接続（Ｉｎｉｔｉａｌ  Ａｃｃｅｓｓ）の後、第３のＢＷＰにおいてシステム情報（Ｓｙｓｔｅｍ  ｉｎｆｏｒｍａｔｉｏｎ）を送信することもでき、この場合、共通ＲＢグリッド（ｃｏｍｍｏｎ  ＲＢ  ｇｒｉｄ）情報に基づくＰＤＣＣＨ／ＰＤＳＣＨの送信を行うこともでき、ＵＥも共通ＲＢグリッド（ｃｏｍｍｏｎ  ＲＢ  ｇｉｒｄ）に基づくＰＤＣＣＨ／ＰＤＳＣＨの受信を期待することができる。
【０３０２】
以下、共通ＲＢグリッド（Ｃｏｍｍｏｎ  ＲＢ  ｇｉｒｄ）には関係なくデフォルトモード（ｄｅｆａｕｌｔ  ｍｏｄｅ）に基づいてＰＤＳＣＨを受信するための条件について説明する。
【０３０３】
条件２−１：
【０３０４】
サービングセル（ｓｅｒｖｉｎｇ  ｃｅｌｌ）に対応するＰＤＳＣＨをスケジュール（ｓｃｈｅｄｕｌｉｎｇ）するＰＤＣＣＨの送信される領域がＣＯＲＥＳＥＴ＃０及び／又は検索空間＃０（Ｓｅａｒｃｈ  Ｓｐａｃｅ＃０）である場合、ＰＤＳＣＨは、共通ＲＢグリッド（ｃｏｍｍｏｎ  ＲＢ  ｇｒｉｄ）には関係なく、デフォルトモード（ｄｅｆａｕｌｔ  ｍｏｄｅ）に基づいて送信することができる。
【０３０５】
仮に、ＵＥに複数の検索空間（Ｓｅａｒｃｈ  Ｓｐａｃｅ）が設定され、この複数の検索空間（Ｓｅａｒｃｈ  Ｓｐａｃｅ）からＰＤＣＣＨを受信する場合、ＣＯＲＥＳＥＴ＃０に関連する特定の検索空間（Ｓｅａｒｃｈ  Ｓｐａｃｅ）が検索空間＃０（Ｓｅａｒｃｈ  Ｓｐａｃｅ＃０）と全体又は一部が重なる場合、その重なる時点に送信されるＰＤＣＣＨは、検索空間＃０に対応するものと仮定できる。例えば、ＵＥは、ＢＷＰ＃０のような初期（ｉｎｉｔｉａｌ）ＤＬ  ＢＷＰではない他のＢＷＰに対しても、ＣＯＲＥＳＥＴ＃０及び／又は検索空間＃０（Ｓｅａｒｃｈ  Ｓｐａｃｅ＃０）を設定又は使用することができ、この場合にも、ＣＯＲＥＳＥＴ＃０及び／又は検索空間＃０を介してＵＥがＰＤＣＣＨ及び／又はＰＤＳＣＨを受信すれば 、デフォルトモード（ｄｅｆａｕｌｔ  ｍｏｄｅ）に基づいてＰＤＣＣＨ及び／又はＰＤＳＣＨを受信することができる。また、ＰＤＳＣＨをスケジュール（ｓｃｈｅｄｕｌｉｎｇ）するＰＤＣＣＨがＳＩ−ＲＮＴＩでアドレス（ａｄｄｒｅｓｓｅｄ）される場合に限って、デフォルトモード（ｄｅｆａｕｌｔ  ｍｏｄｅ）に基づいてＰＤＳＣＨを受信することができる。換言すれば、ＰＤＳＣＨをスケジュールするＰＤＣＣＨがＣＯＲＥＳＥＴ＃０及び／又は検索空間＃０を介して送信されながら、該ＰＤＣＣＨがＳＩ−ＲＮＴＩでアドレスされた場合、デフォルトモードに基づいてＰＤＳＣＨを受信することができる。これは、ＳＩＢ１のためのＰＤＳＣＨをスケジュール（ｓｃｈｅｄｕｌｉｎｇ）するＰＤＣＣＨは、ＣＯＲＥＳＥＴ＃０内の検索空間＃０（Ｓｅａｒｃｈ  Ｓｐａｃｅ＃０）を介して送信されるＳＩ−ＲＮＴＩでアドレスされたＰＤＣＣＨであるからである。
【０３０６】
条件２−２：
【０３０７】
サービングセル（ｓｅｒｖｉｎｇ  ｃｅｌｌ）に対応するＰＤＳＣＨをスケジュール（ｓｃｈｅｄｕｌｉｎｇ）するＰＤＣＣＨの送信される領域がＢＷＰ＃０のような初期（ｉｎｉｔｉａｌ）ＤＬ  ＢＷＰである場合、ＰＤＳＣＨは、共通ＲＢグリッド（ｃｏｍｍｏｎ  ＲＢ  ｇｒｉｄ）には関係なくデフォルトモード（ｄｅｆａｕｌｔ  ｍｏｄｅ）に基づいて送信することができる。この場合、ＳＩＢ１の受信に成功し、ＵＥが共通ＲＢグリッド（Ｃｏｍｍｏｎ  ＲＢ  ｇｉｒｄ）情報が分かったとしても、依然として初期（ｉｎｉｔｉａｌ）ＤＬ  ＢＷＰでは他のブロードキャスト（ｂｒｏａｄｃａｓｔ）情報の送信が可能であるため、該当ブロードキャスト情報に関連する信号とＰＤＳＣＨがマルチプレックス（ｍｕｌｔｉｐｌｅｘｉｎｇ）されることを考慮する場合には、ＳＩＢ１検出成功の前後には関係なく、初期（ｉｎｉｔｉａｌ）ＤＬ  ＢＷＰにおけるＰＤＣＣＨの受信をデフォルトモード（ｄｅｆａｕｌｔ  ｍｏｄｅ）に基づいて行うことができる。このとき、本例示は、ＰＤＳＣＨをスケジュールするＰＤＣＣＨが共通検索空間（Ｃｏｍｍｏｎ  Ｓｅａｒｃｈ  Ｓｐａｃｅ）で受信するＰＤＣＣＨである場合に限ってもよい。その理由は、ＰＤＳＣＨをスケジュールするＰＤＣＣＨがＵＥ特定の検索空間（ＵＥ−Ｓｐｅｃｉｆｉｃ  Ｓｅａｒｃｈ  Ｓｐａｃｅ）を介して送信される場合、基準点（ｒｅｆｅｒｅｎｃｅ  ｐｏｉｎｔ）には関係なく、ＤＭＲＳシーケンス生成シード（ｓｅｑｕｅｎｃｅ  ｇｅｎｅｒａｔｉｏｎ  ｓｅｅｄ）そのものがＵＥ間において異なるため、ＤＭＲＳそのものが異なるからである。
【０３０８】
上述した条件２−１及び条件２−２において、ＰＤＳＣＨをスケジュールするＰＤＣＣＨの送信されるＣＯＲＥＳＥＴ  ＩＤが０ではない場合、検索空間ＩＤ（Ｓｅａｒｃｈ  Ｓｐａｃｅ  ＩＤ）が０ではない場合、及び／又はＢＷＰ  ＩＤが０ではない場合にも、該当ＣＯＲＥＳＥＴ、検索空間及び／又はＢＷＰへの設定値のそれぞれが、ＣＯＲＥＳＥＴ＃０、検索空間＃０（Ｓｅａｒｃｈ  Ｓｐａｃｅ＃０）、ＢＷＰ＃０と全体又は一部が同一であるか、該当ＣＯＲＥＳＥＴ、検索空間及び／又はＢＷＰを介して送信されるＰＤＣＣＨがいずれのＩＤ又はいずれのタイプのＣＯＲＥＳＥＴ、検索空間（Ｓｅａｒｃｈ  Ｓｐａｃｅ）、及び／又はＢＷＰによって送信されるのかが区分できない場合には、特定のＣＯＲＥＳＥＴ、検索空間（Ｓｅａｒｃｈ  Ｓｐａｃｅ）及び／又はＢＷＰに含まれるものと仮定し、ＰＤＳＣＨをスケジュールするＰＤＣＣＨを検出することができる。ここで、特定のＣＯＲＥＳＥＴ、検索空間（Ｓｅａｒｃｈ  Ｓｐａｃｅ）及び／又はＢＷＰのそれぞれは、ＣＯＲＥＳＥＴ＃０、検索空間（Ｓｅａｒｃｈ  Ｓｐａｃｅ）＃０及びＢＷＰ＃０であってもよい。
【０３０９】
一方、ＰＤＳＣＨの場合、デフォルトモード（ｄｅｆａｕｌｔ  ｍｏｄｅ）の内容に応じて、デフォルトモードを使用する条件が異なり得る。例えば、デフォルトモードがＤＭＲＳのための基準点（ｒｅｆｅｒｅｎｃｅ  ｐｏｉｎｔ）の指定のために用いられるか、又はＩｎｔｅｒｌｅａｖｅｄ  ＶＲＢ−ｔｏ−ＰＲＢ  ｍａｐｐｉｎｇにおけるＲＢバンドル（ｂｕｎｄｌｅ）の設定のための基準点のために用いられるかに応じて、デフォルトモード（ｄｅｆａｕｌｔ  ｍｏｄｅ）を使用する条件が異なり得る。例えば、Ｉｎｔｅｒｌｅａｖｅｄ  ＶＲＢ−ｔｏ−ＰＲＢ  ｍａｐｐｉｎｇに対するデフォルトモード（ｄｅｆａｕｌｔ  ｍｏｄｅ）動作は、ＰＣｅｌｌのような特定のセルに限って適用されてもよい。
【０３１０】
一方、Ｉｎｔｅｒｌｅａｖｅｄ  ＶＲＢ−ｔｏ−ＰＲＢ  ｍａｐｐｉｎｇに対するデフォルトモード（ｄｅｆａｕｌｔ  ｍｏｄｅ）は、ＵＥにＢＷＰに関する情報（例えば、ＢＷＰの開始ＲＢインデックス及び／又はＲＢの数）が設定される前に用いられることもできる。
【０３１１】
【表９】
2020532890.tif 000011
【０３１２】
しかし、上記式は一例に過ぎず、他の表現を使ってもよい。換言すれば、上記式は、ＵＥが現在仮定している活性（ａｃｔｉｖｅ）ＤＬ  ＢＷＰの最初の副搬送波（ｓｕｂｃａｒｒｉｅｒ）からＲＢバンドル（ｂｕｎｄｌｅ）を設定する本発明の基本思想から拡張したものとみられる。
【０３１３】
また、ＢＷＰのサイズは他の表現を使ってもよい。例えば、初期（ｉｎｉｔｉａｌ）ＢＷＰは、ＣＯＲＥＳＥＴ＃０のような特定のＣＯＲＥＳＥＴを構成するＲＢ数又は最低ＲＢから最高ＲＢまでの連続するＲＢの総数で表現されてもよい。
【０３１４】
一方、Ｉｎｔｅｒｌｅａｖｅｄ  ＶＲＢ−ｔｏ−ＰＲＢ  ｍａｐｐｉｎｇに対するデフォルトモード（ｄｅｆａｕｌｔ  ｍｏｄｅ）のまた別の例は、ＰＤＳＣＨをスケジュール（ｓｃｈｅｄｕｌｉｎｇ）するＰＤＣＣＨに関連するＣＯＲＥＳＥＴ、初期ＤＬ  ＢＷＰサイズのような特定のＢＷＰサイズ、ＲＢバンドルサイズ（ｂｕｎｄｌｅ  ｓｉｚｅ）及び／又は共通ＲＢグリッドに基づいて行うことができる。ここで、共通ＲＢグリッドに基づいてＩｎｔｅｒｌｅａｖｅｄ  ＶＲＢ−ｔｏ−ＰＲＢ  ｍａｐｐｉｎｇに対するデフォルトモードが行われることは、例えば、Ｐｏｉｎｔ  Ａ又は共通ＲＢグリッドにおける最初のＲＢの最初の副搬送波０を基準としてＩｎｔｅｒｌｅａｖｅｄ  ＶＲＢ−ｔｏ−ＰＲＢ  ｍａｐｐｉｎｇに対するデフォルトモードが行われることである。このとき、最初のＲＢの最初の副搬送波０は、最低番号を有するＲＢの副搬送波０を意味してもよい。
【０３１５】
具体的に、ｉｎｔｅｒｌｅａｖｅｄ  ＶＲＢ−ｔｏ−ＰＲＢ  ｍａｐｐｉｎｇにおけるインターリービング（ｉｎｔｅｒｌｅａｖｉｎｇ）の対象領域は、ＣＯＲＥＳＥＴの最低番号を有するＲＢインデックスから初期ＤＬ  ＢＷＰサイズのような特定のＢＷＰサイズだけの連続するＲＢ集合であってもよい。例えば、Ｎを共通ＲＢグリッド（Ｃｏｍｍｏｎ  ＲＢ  ｇｒｉｄ）におけるＣＯＲＥＳＥＴの最低のＲＢインデックスとし、初期ＤＬ  ＢＷＰサイズをＢとし、ＲＢバンドルサイズをＬとするとき、ＲＢバンドル（ｂｕｎｄｌｅ）の数は、（Ｂ＋（Ｎ  ｍｏｄ  Ｌ））／Ｌに対する定数変換値（例えば、切り上げ値）である。
【０３１６】
一方、上記例は、共通ＲＢグリッドに基づいてＲＢバンドル（ｂｕｎｄｌｅ）を生成する例示に過ぎず、（Ｎ  ｍｏｄｅ  Ｌ）が省略され、Ｂ／Ｌに対する定数変換値がＲＢバンドルの数として用いられる。
【０３１７】
また、ＲＢバンドル（ｂｕｎｄｌｅ）０は、Ｌ−（Ｎ  ｍｏｄ  Ｌ）個のＲＢから構成できる。上記例もまた、共通ＲＢグリッド（ｃｏｍｍｏｎ  ＲＢ  ｇｒｉｄ）に基づいてＲＢバンドル（ｂｕｎｄｌｅ）を生成する例示に過ぎず、（Ｎ  ｍｏｄｅ  Ｌ）が省略され、Ｌ個のＢＲがＲＢバンドル０を構成することもできる。
【０３１８】
また、最後のＲＢバンドル（ｂｕｎｄｌｅ）は、（Ｎ＋Ｂ）ｍｏｄ  Ｌ  ｉｆ（Ｎ＋Ｂ）ｍｏｄ  Ｌ>０個のＲＢ、又はＬ（ｉｆ（Ｎ＋Ｂ）ｍｏｄ  Ｌ＝０）個のＲＢから構成できる。これもまた、共通ＲＢグリッド（ｃｏｍｍｏｎ  ＲＢ  ｇｒｉｄ）に基づいてＲＢバンドル（ｂｕｎｄｌｅ）を生成する例示に過ぎず、Ｎが省略され、Ｂ  ｍｏｄ  Ｌ  ｉｆ（Ｎ＋Ｂ）ｍｏｄ  Ｌ>０個のＲＢ、又はＬ（ｉｆ  Ｂ  ｍｏｄ  Ｌ＝０）個のＲＢから構成できる。一方、上記例において、初期（ｉｎｉｔｉａｌ）ＤＬ  ＢＷＰサイズは、他の形態で表現されてもよい。例えば、初期（ｉｎｉｔｉａｌ）ＤＬ  ＢＷＰを設定において参照するＣＯＲＥＳＥＴ（例えば、ＣＯＲＥＳＥＴ＃０）を構成するＲＢ数に取り替えられてもよい。
【０３１９】
また、上述したデフォルトモード（ｄｅｆａｕｌｔ  ｍｏｄｅ）は、ＰＤＳＣＨをスケジュール（ｓｃｈｅｄｕｌｉｎｇ）するＤＣＩが共通検索空間（Ｃｏｍｍｏｎ  Ｓｅａｒｃｈ  Ｓｐａｃｅ）で送信されるときに適用可能である。但し、ＳＩＢ１に対する検索空間及び／又はＣＯＲＥＳＥＴの全体又は一部がＤＣＩの送信される共通検索空間と重なる場合は、デフォルトモードが適用されないことがある。このとき、ＳＩＢ１に対する検索空間及び／又はＣＯＲＥＳＥＴの全体又は一部がＤＣＩの送信される共通検索空間と重なる場合とは、例えば、ＳＩＢ１に対する検索空間（Ｓｅａｒｃｈ  Ｓｐａｃｅ）と重なる時点を意味する。この場合、互いに異なるＢＷＰを有するＵＥが、ｉｎｔｅｒｌｅａｖｅｄ  ＶＲＢ−ｔｏ−ＰＲＢ  ｍａｐｐｉｎｇを使用しながら、同一の共通検索空間を共有しても、各々の活性（ａｃｔｉｖｅ）ＢＷＰとは関係なく、同一のリソース割り当て（ｒｅｓｏｕｒｃｅ  ａｌｌｏｃａｔｉｏｎ）が仮定できるという効果がある。
【０３２０】
次に、デフォルトモード（ｄｅｆａｕｌｔ  ｍｏｄｅ）動作に対するＤＣＩサイズの決定方法を説明する。
【０３２１】
ＵＥがＰＣｅｌｌで受信するグループＴＰＣ（Ｔｒａｎｓｍｉｔ  ｐｏｗｅｒ  ｃｏｎｔｒｏｌ）情報を含むＤＣＩ（例えば、ＤＣＩフォーマット２−２及び／又はＤＣＩフォーマット２−３）のペイロードサイズ（ｐａｙｌｏａｄ  ｓｉｚｅ）は、該当ＰＣｅｌｌの共通検索空間（Ｃｏｍｍｏｎ  Ｓｅａｒｃｈ  Ｓｐａｃｅ）で送信可能なフォールバックＤＣＩ（例えば、ＤＣＩフォーマット１＿０／０＿０）と同じサイズになるように設定することができる。また、このＤＣＩのサイズがフォールバックＤＣＩと同じサイズになるために、ゼロ−パディング（ｚｅｒｏ−ｐａｄｄｉｎｇ）及び／又は切り捨て（ｔｒｕｎｃａｔｉｏｎ）をしてもよい。
【０３２２】
また、ＰＣｅｌｌの共通検索空間で送信可能なフォールバックＤＣＩ（ＤＣＩフォーマット１＿０／０＿０）のペイロードサイズは、初期（ｉｎｉｔｉａｌ）ＤＬ  ＢＷＰのサイズに基づいて設定可能である。例えば、ＤＣＩフォーマット１＿０は、周波数ドメインリソース割り当てサイズ（ｆｒｅｑｕｅｎｃｙ  ｄｏｍａｉｎ  ｒｅｓｏｕｒｃｅ  ａｌｌｏｃａｔｉｏｎ  ｓｉｚｅ）を初期（ｉｎｉｔｉａｌ）ＤＬ  ＢＷＰに基づいて設定し、ＤＣＩフォーマット０＿０のサイズは、ＤＣＩフォーマット１＿０と整列（Ａｌｉｇｎ）する。
【０３２３】
また、ＵＥ特定の検索空間（ＵＥ−Ｓｐｅｃｉｆｉｃ  Ｓｅａｒｃｈ  Ｓｐａｃｅ）で送信するフォールバックＤＣＩ（例えば、ＤＣＩフォーマット１＿０／０＿０）のペイロードサイズは、特定の状況において活性ＤＬ  ＢＷＰではない初期ＤＬ  ＢＷＰに基づいて変更されてもよい。ここで、特定の状況とは、例えば、Ｃ−ＲＮＴＩでアドレス（ａｄｄｒｅｓｓｅｄ）されるＰＤＣＣＨに対するＤＣＩサイズの数が３つを超える場合、又はＤＣＩサイズの総数が４つを超える場合である。これによって、ＤＣＩサイズのバジェット（ｂｕｄｇｅｔ）を制限することができ、ＵＥの複雑性（ｃｏｍｐｌｅｘｉｔｙ）を減らすことができる。
【０３２４】
これと同様に、ＰＳＣｅｌｌ又はＳＣｅｌｌに対しても、ＤＣＩサイズのバジェット（ｂｕｄｇｅｔ）などを理由として、ＤＣＩのペイロードサイズ（ｐａｙｌｏａｄ  ｓｉｚｅ）を特定のＢＷＰ（例えば、ＰＣｅｌｌ又はＳＣｅｌｌのための初期（ｉｎｉｔｉａｌ）ＤＬ  ＢＷＰ）を基準として設定する必要がある。
【０３２５】
ＮＲシステムでは、少なくとも、ＰＳＣｅｌｌ又はＳＣｅｌｌが追加されるとき、及び／又はハンドオーバーを行うとき、初期ＤＬ  ＢＷＰ（例えば、ＢＷＰ＃０）を上位層シグナリング（ｈｉｇｈｅｒ  ｌａｙｅｒ  ｓｉｇｎａｌｌｉｎｇ）を介して更新（ｕｐｄａｔｅ）することを考慮することができる。これは、ＰＳＣｅｌｌ又はＳＣｅｌｌの初期ＤＬ  ＢＷＰが保有可能なサイズ値（例えば、２４／４８／９６）から外れて、他の値でＰＳＣｅｌｌ又はＳＣｅｌｌが追加されるとき、及び／又はハンドオーバーを行うときの初期ＤＬ  ＢＷＰのサイズが設定可能であるからである。
【０３２６】
ここで、ＵＥがＳＣｅｌｌで受信するグループＴＰＣを含むＤＣＩのペイロードサイズを設定することについて説明する。
【０３２７】
方法１−１：
【０３２８】
グループＴＰＣを送信するためのＤＣＩフォーマット（例えば、ＤＣＩフォーマット２＿２、ＤＣＩフォーマット２＿３）に対するペイロードサイズは、上位層シグナリング（ｈｉｇｈｅｒ  ｌａｙｅｒ  ｓｉｇｎａｌｌｉｎｇ）を介して設定可能である。また、初期（Ｉｎｉｔｉａｌ）ＤＬ  ＢＷＰに対する情報が専用のＲＲＣシグナリング（ｄｅｄｉｃａｔｅｄ  ＲＲＣ  ｓｉｇｎａｌｌｉｎｇ）を介して変更可能なときに限って、該当ＤＣＩペイロードサイズ（ｐａｙｌｏａｄ  ｓｉｚｅ）を上位層を介して設定することができる。その他には、グループＴＰＣを含むＤＣＩが送信されるサービングセル（ｓｅｒｖｉｎｇ  ｃｅｌｌ）又はＰＣｅｌｌの初期（ｉｎｉｔｉａｌ）ＤＬ  ＢＷＰのサイズに基づいてＤＣＩのペイロードサイズが設定できる。例えば、グループＴＰＣを含むＤＣＩのサイズをサービングセル又はＰＣｅｌｌの初期ＤＬ  ＢＷＰのサイズを仮定したＤＣＩフォーマット１＿０／０＿０のペイロードサイズと同一に設定することができる。
【０３２９】
方法１−２：
【０３３０】
グループＴＰＣを送信するためのＤＣＩフォーマット（例えば、ＤＣＩフォーマット２＿２、ＤＣＩフォーマット２＿３）に対するペイロードサイズは、グループＴＰＣを含むＤＣＩが送信されるサービングセル（ｓｅｒｖｉｎｇ  ｃｅｌｌ）の初期（ｉｎｉｔｉａｌ）ＤＬ  ＢＷＰのサイズに基づいて設定することができる。例えば、グループＴＰＣを含むＤＣＩが送信されるサービングセル（ｓｅｒｖｉｎｇ  ｃｅｌｌ）の初期（ｉｎｉｔｉａｌ）ＤＬ  ＢＷＰを仮定したＤＣＩフォーマット１＿０／０＿０のペイロードサイズと同一にグループＴＰＣを含むＤＣＩのペイロードサイズを設定することができる。
【０３３１】
一方、方法１−２のメリットは、該当サービングセル（ｓｅｒｖｉｎｇ  ｃｅｌｌ）をＰＣｅｌｌとして有するＵＥともグループＴＰＣを共有（ｓｈａｒｉｎｇ）できるということである。この場合、サービングセル（ｓｅｒｖｉｎｇ  ｃｅｌｌ）の初期（ｉｎｉｔｉａｌ）ＤＬ  ＢＷＰがＳＩＢ又はＵＥ専用のシグナリング（ＵＥ−ｄｅｄｉｃａｔｅｄ  ｓｉｇｎａｌｌｉｎｇ）によって知られた初期ＤＬ  ＢＷＰに変更（ｏｖｅｒｒｉｄｅ）可能である。しかし、方法１−２）によれば、ＰＢＣＨ、ハンドオーバーコマンド（ｈａｎｄｏｖｅｒ  ｃｏｍｍａｎｄ）又はＰＳＣｅｌｌ追加のためのメッセージによって知られた初期（ｉｎｉｔｉａｌ）ＤＬ  ＢＷＰのサイズに応じてＤＣＩサイズが決定され、その後、初期ＤＬ  ＢＷＰが変更されても、そのＤＣＩサイズは変更されないことができる。
【０３３２】
具体的に、１つの端末に設定された初期（ｉｎｉｔｉａｌ）ＤＬ  ＢＷＰを１つのＢＷＰ設定（ｃｏｎｆｉｇｕｒａｔｉｏｎ）によって調整（ａｄａｐｔａｔｉｏｎ）する場合、初期接続（ｉｎｉｔｉａｌ  ａｃｃｅｓｓ）段階において、ＰＢＣＨ、ハンドオーバーコマンド（ｈａｎｄｏｖｅｒ  ｃｏｍｍａｎｄ）又はＰＳＣｅｌｌ追加のためのメッセージによって知られた初期（ｉｎｉｔｉａｌ）ＤＬ  ＢＷＰに応じて該当グループＴＰＣを含むＤＣＩのサイズが決定され、その後に、調整されたＤＬ  ＢＷＰに変更（ｏｖｅｒｒｉｄｅ）しないことを仮定することができる。
【０３３３】
このために、ＳＩＢを介して初期（ｉｎｉｔｉａｌ）ＤＬ  ＢＷＰを更新（ｕｐｄａｔｅ）する場合、初期ＤＬ  ＢＷＰの更新のためのフィールド（ｆｉｅｌｄ）は、ＰＢＣＨで知らせる初期（ｉｎｉｔｉａｌ）ＤＬ  ＢＷＰのためのフィールドとは別のフィールド（ｆｉｅｌｄ）を介して送信可能であり、これによってＵＥは、ＰＢＣＨで知らせる他のＵＥと共有（ｓｈａｒｅ）する初期（ｉｎｉｔｉａｌ）ＤＬ  ＢＷＰと更新（ｕｐｄａｔｅｄ）された初期（ｉｎｉｔｉａｌ）ＤＬ  ＢＷＰとを区別することができる。
【０３３４】
一方、上述した方式は、ＰＳＣｅｌｌの追加（ａｄｄｉｔｉｏｎ）にも同様に適用できる。すなわち、ＳＩＢ更新（ｕｐｄａｔｅ）又はＵＥ専用のシグナリング（ＵＥ−ｄｅｄｉｃａｔｅｄ  ｓｉｇｎａｌｌｉｎｇ）を介して初期（ｉｎｉｔｉａｌ）ＤＬ  ＢＷＰが変更されても、共通検索空間を介して送信されるＤＣＩフォーマット０＿０／１＿０、ＴＰＣを含むＤＣＩフォーマット２＿１／２−２及び／又はＵＥ特定の検索空間を介して送信されるＤＣＩフォーマット０＿０／１＿０が活性（ａｃｔｉｖｅ）ＢＷＰに基づいてＤＣＩのサイズ（ｓｉｚｅ）を決定しなかった場合は、初期（ｉｎｉｔｉａｌ）ＤＬ  ＢＷＰの変更は影響を及ぼさない可能性がある。すなわち、初期ＤＬ  ＢＷＰのサイズが変更されても、変更前の初期ＤＬ  ＢＷＰのサイズに基づいてＤＣＩのサイズが決定できる。
【０３３５】
方法１−３：
【０３３６】
グループＴＰＣを送信するためのＤＣＩフォーマット（例えば、ＤＣＩフォーマット２＿２、ＤＣＩフォーマット２＿３）に対するペイロードサイズ（ｐａｙｌｏａｄ  ｓｉｚｅ）は、ＰＣｅｌｌの初期（ｉｎｉｔｉａｌ）ＤＬ  ＢＷＰのサイズに基づいて設定することができる。例えば、グループＴＰＣを含むＤＣＩが送信されるＰＣｅｌｌの初期（ｉｎｉｔｉａｌ）ＤＬ  ＢＷＰを仮定したＤＣＩフォーマット１＿０／０＿０のペイロードサイズと同一にグループＴＰＣを含むＤＣＩのペイロードサイズを設定することができる。
【０３３７】
このとき、ＵＥは、ＳＣｅｌｌに対しては、共通検索空間（Ｃｏｍｍｏｎ  Ｓｅａｒｃｈ  Ｓｐａｃｅ）を介してＣ−ＲＮＴＩでアドレス（ａｄｄｒｅｓｓｅｄ）されたＰＤＣＣＨが送信されることを期待しなくてもよい。よって、ＵＥは、不要にＤＣＩサイズバジェット（ｓｉｚｅ  ｂｕｄｇｅｔ）を増やさなくてもよい。但し、この場合、グループＴＰＣを共有（ｓｈａｒｉｎｇ）するためには、該当ＵＥが同一のＰＣｅｌｌを有するか、ＰＣｅｌｌのための初期（ｉｎｉｔｉａｌ）ＤＬ  ＢＷＰのサイズが同一である必要がある。
【０３３８】
一方、初期（Ｉｎｉｔｉａｌ）ＤＬ  ＢＷＰのサイズは、ＰＤＣＣＨが送信されるＣＯＲＥＳＥＴの最低ＰＲＢから最高ＰＲＢまでのサイズに取り替えられてもよい。例えば、初期ＤＬ  ＢＷＰのサイズは（最高ＰＲＢインデックス−最低ＰＲＢインデックス＋１）に取り替えられる。また、ＣＯＲＥＳＥＴを構成するＰＲＢ数に取り替えられてもよい。この場合は、グループＴＰＣを含むＤＣＩのペイロードサイズ（ｐａｙｌｏａｄ  ｓｉｚｅ）は、上述のように、ＣＯＲＥＳＥＴから導出されたサイズをＢＷＰのサイズと仮定して生成したＤＣＩフォーマット１＿０／０＿０のペイロードサイズに設定することができる。
【０３３９】
ここで、ＵＥがＳＣｅｌｌでＤＣＩサイズバジェット（ｓｉｚｅ  ｂｕｄｇｅｔ）が満足（ｆｕｌｆｉｌｌｅｄ）されていない場合、ＵＥ特定の検索空間（ＵＥ−Ｓｐｅｃｉｆｉｃ  Ｓｅａｒｃｈ  Ｓｐａｃｅ）で受信するフォールバックＤＣＩに対するペイロードサイズを変更するためのことについて説明する。
【０３４０】
方法２−１：
【０３４１】
ＳＣｅｌｌで受信するグループＴＰＣを送信するためのＤＣＩフォーマット（例えば、ＤＣＩフォーマット２＿２、ＤＣＩフォーマット２＿３）に対するペイロードサイズと同一にフォールバック（ｆａｌｌｂａｃｋ）ＤＣＩのペイロードサイズ（ｐａｙｌｏａｄ  ｓｉｚｅ）を設定することができる。一方、グループＴＰＣを含むＤＣＩフォーマットのペイロードサイズを変更するとき、周波数ドメインリソース割り当てフィールド（ｆｒｅｑｕｅｎｃｙ  ｄｏｍａｉｎ  ｒｅｓｏｕｒｃｅ  ａｌｌｏｃａｔｉｏｎ  ｆｉｅｌｄ）のような特定のフィールドのサイズを変更することができる。また、上述したグループＴＰＣを含むＤＣＩフォーマットのペイロードサイズの変更は、ＵＥがＳＣｅｌｌでグループＴＰＣを含むＤＣＩを受信する場合に限ってもよい。グループＴＰＣを含むＤＣＩを受信する場合の他には、該当ＳＣｅｌｌに対しては、ＤＣＩサイズバジェット（ｓｉｚｅ  ｂｕｄｇｅｔ）が満足（ｆｕｌｆｉｌｌｅｄ）されていると仮定又は期待することができる。
【０３４２】
方法２−２：
【０３４３】
ＳＣｅｌｌのＵＥ特定の検索空間（ＵＥ−Ｓｐｅｃｉｆｉｃ  Ｓｅａｒｃｈ  Ｓｐａｃｅ）で受信するフォールバック（ｆａｌｌｂａｃｋ）ＤＣＩのペイロードサイズ（ｐａｙｌｏａｄ  ｓｉｚｅ）を上位層シグナリング（ｈｉｇｈｅｒ  ｌａｙｅｒ  ｓｉｇｎａｌｌｉｎｇ）を介して設定することができる。例えば、初期（Ｉｎｉｔｉａｌ）ＤＬ  ＢＷＰに関する情報が専用のＲＲＣシグナリング（ｄｅｄｉｃａｔｅｄ  ＲＲＣ  ｓｉｇｎａｌｌｉｎｇ）を介して変更される場合に限って、フォールバック（ｆａｌｌｂａｃｋ）ＤＣＩのペイロードサイズ（ｐａｙｌｏａｄ  ｓｉｚｅ）を上位層を介して設定することができる。その他は、該当サービングセル（ｓｅｒｖｉｎｇ  ｃｅｌｌ）又はＰＣｅｌｌの初期（ｉｎｉｔｉａｌ）ＤＬ  ＢＷＰのサイズに基づいてフォールバック（ｆａｌｌｂａｃｋ）ＤＣＩのペイロードサイズを設定することができる。
【０３４４】
一方、ＵＥは、共通検索空間（Ｃｏｍｍｏｎ  Ｓｅａｒｃｈ  Ｓｐａｃｅ）でフォールバック（ｆａｌｌｂａｃｋ）ＤＣＩを受信する場合、フォールバックＤＣＩのペイロードサイズは、該当ＰＣｅｌｌの初期（ｉｎｉｔｉａｌ）ＤＬ  ＢＷＰに基づいて設定することができる。
【０３４５】
また、ＮＲシステムでは、ハンドオーバーのとき、基地局がターゲットサービングセル（ｔａｒｇｅｔ  ｓｅｒｖｉｎｇ  ｃｅｌｌ）の初期（ｉｎｉｔｉａｌ）ＤＬ  ＢＷＰを専用シグナリング（ｄｅｄｉｃａｔｅｄ  ｓｉｇｎａｌｌｉｎｇ）を介して変更することもできる。但し、この場合、サービングセル（ｓｅｒｖｉｎｇ  ｃｅｌｌ）の初期接続（ｉｎｉｔｉａｌ  ａｃｃｅｓｓ）のための初期（ｉｎｉｔｉａｌ）ＤＬ  ＢＷＰとこれに基づくＰＤＣＣＨ／ＰＤＳＣＨ送信は維持する必要がある。
【０３４６】
具体的に、特定のＵＥに対する初期（ｉｎｉｔｉａｌ）ＤＬ  ＢＷＰ情報を変更する場合、この特定のＵＥは、ターゲットサービングセルの変更された初期ＤＬ  ＢＷＰを介してＰＤＣＣＨを受信することにおいて、ＰＤＣＣＨがサービングセル（ｓｅｒｖｉｎｇ  ｃｅｌｌ）のＣＯＲＥＳＥＴ＃０、検索空間＃０、ｓｅａｒｃｈＳｐａｃｅ−ＯＳＩ、ｒａ−ＳｅａｒｃｈＳｐａｃｅ及び／又はｐａｇｉｎｇＳｅａｒｃｈＳｐａｃｅに対応することを期待しなくてもよい。すなわち、より具体的に、特定のＵＥは、ターゲットサービングセルの変更された初期ＤＬ  ＢＷＰのＰＤＣＣＨモニタリング機会（Ｏｃｃａｓｉｏｎ）とサービングセルの初期ＤＬ  ＢＷＰのＰＤＣＣＨモニタリング機会（Ｏｃｃａｓｉｏｎ）が重ならないことを期待することもできる。これは、サービングセルのＣＯＲＥＳＥＴ＃０、検索空間＃０、ｓｅａｒｃｈＳｐａｃｅ−ＯＳＩ、ｒａ−ＳｅａｒｃｈＳｐａｃｅ及び／又はｐａｇｉｎｇＳｅａｒｃｈＳｐａｃｅに対応するＣＯＲＥＳＥＴ及び／又は検索空間（Ｓｅａｒｃｈ  Ｓｐａｃｅ）では、専用シグナリング（ｄｅｄｉｃａｔｅｄ  ｓｉｇｎａｌｌｉｎｇ）に変更される前の初期ＤＬ  ＢＷＰに基づいて動作することを仮定するためである。
【０３４７】
以上説明してきた実施例は、本発明の構成要素及び特徴を所定形態に結合したものである。各構成要素又は特徴は、別の明示的な言及がない限り、選択的なものとして考慮される。各構成要素又は特徴は、他の構成要素や特徴と結合しない形態で実施することもでき、一部の構成要素及び／又は特徴を結合して本発明の実施例を構成することもできる。本発明の実施例で説明される動作の順序は変更されてもよい。ある実施例の一部構成や特徴は、他の実施例に含まれてもよく、他の実施例の対応する構成又は特徴に取り替わってもよい。特許請求の範囲において明示的な引用関係にない請求項を結合して実施例を構成したり、出願後の補正により新たな請求項として含めたりできるということは明らかである。
【０３４８】
本文書で基地局によって行われるとした特定動作は、場合によってはその上位ノード（ｕｐｐｅｒ  ｎｏｄｅ）によって行われることもある。即ち、基地局を含む複数のネットワークノード（ｎｅｔｗｏｒｋ  ｎｏｄｅｓ）からなるネットワークにおいて端末との通信のために行われる様々な動作は、基地局又は基地局以外の他のネットワークノードによって行われ得ることは明らかである。基地局は、固定局（ｆｉｘｅｄ  ｓｔａｔｉｏｎ）、ＮｏｄｅＢ、ｅＮｏｄｅＢ（ｅＮＢ）、アクセスポイント（ａｃｃｅｓｓ  ｐｏｉｎｔ）などの用語にしてもよい。
【０３４９】
本発明に係る実施例は、様々な手段、例えば、ハードウェア、ファームウェア（ｆｉｒｍｗａｒｅ）、ソフトウェア又はそれらの結合などによって具現することができる。ハードウェアによる具現では、本発明の一実施例は、一つ以上のＡＳＩＣｓ（ａｐｐｌｉｃａｔｉｏｎ  ｓｐｅｃｉｆｉｃ  ｉｎｔｅｇｒａｔｅｄ  ｃｉｒｃｕｉｔｓ）、ＤＳＰｓ（ｄｉｇｉｔａｌ  ｓｉｇｎａｌ  ｐｒｏｃｅｓｓｏｒｓ）、ＤＳＰＤｓ（ｄｉｇｉｔａｌ  ｓｉｇｎａｌ  ｐｒｏｃｅｓｓｉｎｇ  ｄｅｖｉｃｅｓ）、ＰＬＤｓ（ｐｒｏｇｒａｍｍａｂｌｅ  ｌｏｇｉｃ  ｄｅｖｉｃｅｓ）、ＦＰＧＡｓ（ｆｉｅｌｄ  ｐｒｏｇｒａｍｍａｂｌｅ  ｇａｔｅ  ａｒｒａｙｓ）、プロセッサー、コントローラ、マイクロコントローラ、マイクロプロセッサーなどによって具現することができる。
【０３５０】
ファームウェアやソフトウェアによる具現では、本発明の一実施例は、以上で説明された機能又は動作を実行するモジュール、手順、関数などの形態で具現されてもよい。ソフトウェアコードは、メモリユニットに記憶され、プロセッサーによって駆動可能である。メモリユニットは、プロセッサーの内部又は外部に設けられ、公知の様々な手段によってプロセッサーとデータを交換することができる。
【０３５１】
本発明は、本発明の特徴を逸脱しない範囲で他の特定の形態に具体化できることは当業者にとって自明である。よって、前記の詳細な説明は、全ての面で制限的に解釈してはならなく、例示的なものとして考慮しなければならない。本発明の範囲は、添付の請求項の合理的解釈によって決定しなければならなく、本発明の等価的範囲内での全ての変更は本発明の範囲に含まれる。
【産業上の利用可能性】
【０３５２】
上述のような共通リソースブロックグリッドには関係なく基準点を設定する方法及びそのための装置は、５世代ＮｅｗＲＡＴシステムに適用される例を中心として説明されたが、５世代ＮｅｗＲＡＴシステム以外にも様々な無線通信システムに適用することができる。
【図１】
2020532890.tif 000012
【図２】
2020532890.tif 000013
【図３】
2020532890.tif 000014
【図４】
2020532890.tif 000015
【図５】
2020532890.tif 000016
【図６】
2020532890.tif 000017
【図７】
2020532890.tif 000018
【図８】
2020532890.tif 000019
【図９】
2020532890.tif 000020
【図１０】
2020532890.tif 000021
【図１１】
2020532890.tif 000022
【図１２】
2020532890.tif 000023
【図１３】
2020532890.tif 000024
【図１４】
2020532890.tif 000025
【図１５】
2020532890.tif 000026
【図１６】
2020532890.tif 000027
【図１７】
2020532890.tif 000028
【国際調査報告】
2020532890.tif 000029
2020532890.tif 000030
2020532890.tif 000031
2020532890.tif 000032